(57)【特許請求の範囲】
【請求項１】
１つのセルを用いて基地局装置と通信する端末装置であって、
第１のサブフレームセットのサブフレームと第２のサブフレームセットのサブフレームを示す情報、前記第１のサブフレームセットに対する第１のパラメータを示す情報、および、前記第２のサブフレームセットに対する第２のパラメータを示す情報を受信し、
前記第１のパラメータと電力制御調整に関する第３のパラメータに基づいて、前記第１のサブフレームセットに属するサブフレームにおける物理上りリンク共用チャネルの送信に対する送信電力を設定し、
前記第２のパラメータと電力制御調整に関する第４のパラメータに基づいて、前記第２のサブフレームセットに属するサブフレームにおける物理上りリンク共用チャネルの送信に対する送信電力を設定し、
アキュムレーションが有効にされている場合に、ランダムアクセスレスポンスメッセージを受信するならば、前記第３のパラメータの値をリセットする一方、前記第４のパラメータの値を維持し、
アキュムレーションが有効にされている場合に、前記第１のパラメータの値が変更されるならば、前記第３のパラメータの値をリセットし、
アキュムレーションが有効にされている場合に、前記第２のパラメータの値が変更されるならば、前記第４のパラメータの値をリセットする
端末装置。
【請求項２】
アキュムレーションが有効にされている場合に、前記第１のサブフレームセットに属するサブフレームに対応する送信電力制御コマンドによって示される補正値を累算することによって前記第３のパラメータの値を算出し、前記第２のサブフレームセットに属するサブフレームに対応する送信電力制御コマンドによって示される補正値を累算することによって前記第４のパラメータの値を算出する
請求項１記載の端末装置。
【請求項３】
前記ランダムアクセスレスポンスメッセージを受信することによって、前記第３のパラメータの値をリセットした場合に、前記第３のパラメータに対する初期値をランダムアクセスプリアンブルの送信に対する電力調整に関するパラメータに基づいてセットし、
前記第１のパラメータの値が変更されることによって、前記第３のパラメータの値をリセットした場合に、前記第３のパラメータに対する初期値を０にセットし、
前記第２のパラメータの値が変更されることによって、前記第４のパラメータの値をリセットした場合に、前記第４のパラメータに対する初期値を０にセットする
請求項１記載の端末装置。
【請求項４】
アキュムレーションが有効にされている場合に、前記第１のサブフレームセットに属するサブフレームに対応する送信電力制御コマンドによって示される補正値を累算することによって算出した前記第３のパラメータの値に基づく前記送信電力が、前記端末装置に設定された最大送信電力を超えるとすれば、前記第３のパラメータに対して前記補正値を累算せず、
アキュムレーションが有効にされている場合に、前記第２のサブフレームセットに属するサブフレームに対応する送信電力制御コマンドによって示される補正値を累算することによって算出した前記第４のパラメータの値に基づく前記送信電力が、前記端末装置に設定された最大送信電力を超えるとすれば、前記第４のパラメータに対して補正値を累算しない
請求項２記載の端末装置。
【請求項５】
アキュムレーションが有効にされている場合に、前記第１のサブフレームセットに属するサブフレームに対応する送信電力制御コマンドによって示される補正値を累算することによって算出した前記第３のパラメータの値に基づく前記送信電力が、最小電力以下になるとすれば、前記第３のパラメータに対して前記補正値を累算せず、
アキュムレーションが有効にされている場合に、前記第２のサブフレームセットに属するサブフレームに対応する送信電力制御コマンドによって示される補正値を累算することによって算出した前記第４のパラメータの値に基づく前記送信電力が、最小電力以下になるとすれば、前記第４のパラメータに対して前記補正値を累算しない
請求項２記載の端末装置。
【請求項６】
１つのセルを用いて基地局装置と通信する端末装置に用いられる方法であって、
第１のサブフレームセットのサブフレームと第２のサブフレームセットのサブフレームを示す情報、前記第１のサブフレームセットに対する第１のパラメータを示す情報、および、前記第２のサブフレームセットに対する第２のパラメータを示す情報を受信するステップと、
前記第１のパラメータと電力制御調整に関する第３のパラメータに基づいて、前記第１のサブフレームセットに属するサブフレームにおける物理上りリンク共用チャネルの送信に対する送信電力を設定するステップと、
前記第２のパラメータと電力制御調整に関する第４のパラメータに基づいて、前記第２のサブフレームセットに属するサブフレームにおける物理上りリンク共用チャネルの送信に対する送信電力を設定するステップと、
アキュムレーションが有効にされている場合に、ランダムアクセスレスポンスメッセージを受信するならば、前記第３のパラメータの値をリセットする一方、前記第４のパラメータの値を維持するステップと、
アキュムレーションが有効にされている場合に、前記第１のパラメータの値が変更されるならば、前記第３のパラメータの値をリセットするステップと、
アキュムレーションが有効にされている場合に、前記第２のパラメータの値が変更されるならば、前記第４のパラメータの値をリセットするステップと、を含む
方法。
【請求項７】
アキュムレーションが有効にされている場合に、前記第１のサブフレームセットに属するサブフレームに対応する送信電力制御コマンドによって示される補正値を累算することによって前記第３のパラメータの値を算出するステップと、
アキュムレーションが有効にされている場合に、前記第２のサブフレームセットに属するサブフレームに対応する送信電力制御コマンドによって示される補正値を累算することによって前記第４のパラメータの値を算出するステップと、を含む
請求項６記載の方法。
【請求項８】
前記ランダムアクセスレスポンスメッセージを受信することによって、前記第３のパラメータの値をリセットした場合に、前記第３のパラメータに対する初期値をランダムアクセスプリアンブルの送信に対する電力調整に関するパラメータに基づいてセットするステップと、
前記第１のパラメータの値が変更されることによって、前記第３のパラメータの値をリセットした場合に、前記第３のパラメータに対する初期値を０にセットするステップと、
前記第２のパラメータの値が変更されることによって、前記第４のパラメータの値をリセットした場合に、前記第４のパラメータに対する初期値を０にセットするステップと、を含む
請求項６記載の方法。
【請求項９】
アキュムレーションが有効にされている場合に、前記第１のサブフレームセットに属するサブフレームに対応する送信電力制御コマンドによって示される補正値を累算することによって算出した前記第３のパラメータの値に基づく前記送信電力が、前記端末装置に設定された最大送信電力を超えるとすれば、前記第３のパラメータに対して前記補正値を累算しないステップと、
アキュムレーションが有効にされている場合に、前記第２のサブフレームセットに属するサブフレームに対応する送信電力制御コマンドによって示される補正値を累算することによって算出した前記第４のパラメータの値に基づく前記送信電力が、前記端末装置に設定された最大送信電力を超えるとすれば、前記第４のパラメータに対して前記補正値を累算しないステップと、を含む
請求項７記載の方法。
【請求項１０】
アキュムレーションが有効にされている場合に、前記第１のサブフレームセットに属するサブフレームに対応する送信電力制御コマンドによって示される補正値を累算することによって算出した前記第３のパラメータの値に基づく前記送信電力が、最小電力以下になるとすれば、前記第３のパラメータに対して前記補正値を累算しないステップと、
アキュムレーションが有効にされている場合に、前記第２のサブフレームセットに属するサブフレームに対応する送信電力制御コマンドによって示される補正値を累算することによって算出した前記第４のパラメータの値に基づく前記送信電力が、最小電力以下になるとすれば、前記第４のパラメータに対して前記補正値を累算しないステップと、を含む
請求項７記載の方法。
【請求項１１】
１つのセルを用いて基地局装置と通信する端末装置に搭載される集積回路であって、
第１のサブフレームセットのサブフレームと第２のサブフレームセットのサブフレームを示す情報に基づいて、前記第１のサブフレームセットのサブフレームおよび前記第２のサブフレームセットのサブフレームを設定する機能と、
前記第１のサブフレームセットに対する第１のパラメータと電力制御調整に関する第３のパラメータに基づいて、前記第１のサブフレームセットに属するサブフレームにおける物理上りリンク共用チャネルの送信に対する送信電力を設定する機能と、
前記第２のサブフレームセットに対する第２のパラメータと電力制御調整に関する第４のパラメータに基づいて、前記第２のサブフレームセットに属するサブフレームにおける物理上りリンク共用チャネルの送信に対する送信電力を設定する機能と、
アキュムレーションが有効にされている場合に、ランダムアクセスレスポンスメッセージを受信するならば、前記第３のパラメータの値をリセットする一方、前記第４のパラメータの値を維持する機能と、
アキュムレーションが有効にされている場合に、前記第１のパラメータの値が変更されるならば、前記第３のパラメータの値をリセットする機能と、
アキュムレーションが有効にされている場合に、前記第２のパラメータの値が変更されるならば、前記第４のパラメータの値をリセットする機能と、を含む一連の機能を前記端末装置に発揮させる
集積回路。
【請求項１２】
アキュムレーションが有効にされている場合に、前記第１のサブフレームセットに属するサブフレームに対応する送信電力制御コマンドによって示される補正値を累算することによって前記第３のパラメータの値を算出する機能と、
アキュムレーションが有効にされている場合に、前記第２のサブフレームセットに属するサブフレームに対応する送信電力制御コマンドによって示される補正値を累算することによって前記第４のパラメータの値を算出する機能と、を含む一連の機能を前記端末装置に発揮させる
請求項１１記載の集積回路。
【請求項１３】
前記ランダムアクセスレスポンスメッセージを受信することによって、前記第３のパラメータの値をリセットした場合に、前記第３のパラメータに対する初期値をランダムアクセスプリアンブルの送信に対する電力調整に関するパラメータに基づいてセットする機能と、
前記第１のパラメータの値が変更されることによって、前記第３のパラメータをリセットした場合に、前記第３のパラメータに対する初期値を０にセットする機能と、
前記第２のパラメータの値が変更されることによって、前記第４のパラメータをリセットした場合に、前記第４のパラメータに対する初期値を０にセットする機能と、を含む
請求項１１記載の集積回路。
【請求項１４】
アキュムレーションが有効にされている場合に、前記第１のサブフレームセットに属するサブフレームに対応する送信電力制御コマンドによって示される補正値を累算することによって算出した前記第３のパラメータの値に基づく前記送信電力が、前記端末装置に設定された最大送信電力を超えるとすれば、前記第３のパラメータに対して前記補正値を累算しない機能と、
アキュムレーションが有効にされている場合に、前記第２のサブフレームセットに属するサブフレームに対応する送信電力制御コマンドによって示される補正値を累算することによって算出した前記第４のパラメータの値に基づく前記送信電力が、前記端末装置に設定された最大送信電力を超えるとすれば、前記第４のパラメータに対して前記補正値を累算しない機能と、を含む一連の機能を前記端末装置に発揮させる
請求項１２記載の集積回路。
【請求項１５】
アキュムレーションが有効にされている場合に、前記第１のサブフレームセットに属するサブフレームに対応する送信電力制御コマンドによって示される補正値を累算することによって算出した前記第３のパラメータの値に基づく前記送信電力が、最小電力以下になるとすれば、前記第３のパラメータに対して前記補正値を累算しない機能と、
アキュムレーションが有効にされている場合に、前記第２のサブフレームセットに属するサブフレームに対応する送信電力制御コマンドによって示される補正値を累算することによって算出した前記第４のパラメータの値に基づく前記送信電力が、最小電力以下になるとすれば、前記第４のパラメータに対して前記補正値を累算しない機能と、を含む一連の機能を前記端末装置に発揮させる
請求項１２記載の集積回路。
【発明の詳細な説明】
【技術分野】
【０００１】
本発明は、端末装置、方法および集積回路に関する。
本願は、２０１３年７月１２日に、日本に出願された特願２０１３−１４６５１５号、および２０１４年２月１９日に、日本に出願された特願２０１４−０２９７４３号に基づき優先権を主張し、その内容をここに援用する。
【背景技術】
【０００２】
３ＧＰＰ（Third Generation Partnership Project）によるＷＣＤＭＡ（登録商標）（Wideband Code Division Multiple Access）、ＬＴＥ（Long Term Evolution）、ＬＴＥ−Ａ（LTE-Advanced）やＩＥＥＥ（The Institute of Electrical and Electronics engineers）によるＷｉｒｅｌｅｓｓ  ＬＡＮ、ＷｉＭＡＸ（Worldwide Interoperability for Microwave Access）のような通信システムでは、基地局装置（セル、第１の通信装置（端末装置とは異なる通信装置）、eNodeB）および端末装置（移動端末、移動局装置、第２の通信装置（基地局装置とは異なる通信装置）、ＵＥ（User Equipment））は、複数の送受信アンテナをそれぞれ備え、ＭＩＭＯ（Multi Input Multi Output）技術を用いることにより、データ信号を空間多重し、高速なデータ通信を実現する。【０００３】
その通信システムで、基地局装置と端末装置とのデータ通信を実現するためには、基地局装置は端末装置に対して様々な制御を行うことが必要である。そのため、基地局装置は、端末装置に対して、所定のリソースを用いて、制御情報を通知することにより、下りリンクおよび上りリンクにおけるデータ通信を行う。例えば、基地局装置は、端末装置に対して、リソースの割り当て情報、データ信号の変調および符号化情報、データ信号の空間多重数情報、送信電力制御情報等を通知することにより、データ通信を実現する。【０００４】
その通信システムは、時分割複信（TDD: Time Division Duplex）に対応している。ＴＤＤ方式を採用したＬＴＥをＴＤ−ＬＴＥまたはＬＴＥ  ＴＤＤとも呼称する。ＴＤＤは、上りリンク信号と下りリンク信号を時分割多重することによって、単一の周波数帯域（キャリア周波数、コンポーネントキャリア）において下りリンクと上りリンクの通信を可能にする技術である。ＬＴＥでは、予め設定することで、サブフレーム単位で下りリンクと上りリンクを切り替えることができる。なお、ＴＤＤでは、下りリンク送信が可能なサブフレーム（下りリンクサブフレーム、下りリンク送信に対して予約されたサブフレーム）と上りリンク送信が可能なサブフレーム（上りリンクサブフレーム、上りリンク送信に対して予約されたサブフレーム）、さらに、ガード期間（GP: Guard Period）を設けることにより、下りリンク送信と上りリンク送信を時間領域（シンボル領域）で切り替え可能なサブフレーム（スペシャルサブフレーム）が定義されている。なお、スペシャルサブフレームにおいて、下りリンク送信が可能な時間領域を下りリンクパイロットタイムスロット（DwPTS: Downlink Pilot Time Slot）と呼称し、上りリンク送信が可能な時間領域を上りリンクパイロットタイムスロット（UpPTS: Uplink Pilot Time Slot）と呼称する。【０００５】
例えば、端末装置は、サブフレームｉが下りリンクサブフレームである場合、基地局装置から送信された下りリンク信号を受信することができ、サブフレームｉとは異なるサブフレームｊが上りリンクサブフレームである場合、端末装置から基地局装置へ上りリンク信号を送信することができる。また、サブフレームｉやサブフレームｊとは異なるサブフレームｋがスペシャルサブフレームである場合、下りリンクの時間領域ＤｗＰＴＳで下りリンク信号を受信することができ、上りリンクの時間領域ＵｐＰＴＳで上りリンク信号を送信することができる（非特許文献１）。また、ＬＴＥ、ＬＴＥ−ＡにおいてＴＤＤ方式で通信を行なうために、特定の情報要素（ＴＤＤ  ＵＬ／ＤＬ設定（TDD UL/DL configuration(s), TDD uplink-downlink configuration(s)）、ＴＤＤ設定（TDD configuration(s), tdd-Config, TDD config）、ＵＬ／ＤＬ設定（uplink-downlink configuration(s)））で通知される。端末装置は、通知された情報に基づいて、あるサブフレームを上りリンクサブフレーム、下りリンクサブフレーム、スペシャルサブフレームの何れかとみなして、送受信処理することができる。また、スペシャルサブフレームの構成（スペシャルサブフレーム内のＤｗＰＴＳとＵｐＰＴＳとＧＰの長さ）は、複数のパターンが定義され、テーブル管理されている。複数のパターンはそれぞれ値（インデックス）と対応付けられており、その値が通知されることによって、端末装置は、通知されたパターンに基づいて、スペシャルサブフレームの処理を行なう。【０００６】
また、上りリンクのトラフィックと下りリンクのトラフィック（情報量、データ量、通信量）に応じて、上りリンクリソースと下りリンクリソースの比率を変更するトラフィック適応制御技術をＴＤ−ＬＴＥに適用することが検討されている。例えば、１０サブフレーム内の下りリンクサブフレームと上りリンクサブフレームの比率をダイナミックに変更することが検討されている。その方法として、下りリンクサブフレームおよび上りリンクサブフレームを適応的に切り替えるフレキシブルサブフレーム（flexible subframe）が検討されている（非特許文献２）。基地局装置は、フレキシブルサブフレームにおいて、上りリンク信号の受信または下りリンク信号の送信を行なうことができる。また、端末装置は、基地局装置によって、フレキシブルサブフレームにおいて上りリンク信号の送信を指示されない限り、該フレキシブルサブフレームを下りリンクサブフレームとみなして受信処理を行なうことができる。また、このような下りリンクサブフレームと上りリンクサブフレームの比率や上りリンクと下りリンクのサブフレーム、ＴＤＤ  ＵＬ／ＤＬ（再）設定をダイナミックに変更するＴＤＤをダイナミックＴＤＤ（DTDD: Dynamic TDD）と呼称する場合もある。【０００７】
その通信システムは、基地局装置がカバーするエリアをセル状に複数配置するセルラー通信システムである。また、単一の基地局装置は複数のセルを管理してもよい。また、単一の基地局装置は複数のＲＲＨ（Remote Radio Head）を管理してもよい。また、単一の基地局装置は複数のローカルエリアを管理してもよい。また、単一の基地局装置は複数のＨｅｔＮｅｔ（Heterogeneous Network）を管理してもよい。また、単一の基地局装置は複数の小電力基地局装置（LPN: Low Power Node）を管理してもよい。【０００８】
その通信システムにおいて、端末装置は、セル固有参照信号（CRS: Cell-specific Reference Signal(s)）に基づいて参照信号受信電力（RSRP: Reference Signal Received Power）を測定している（非特許文献３）。【０００９】
その通信システムにおいて、ＬＴＥで定義されている一部の物理チャネルや信号が配置されないキャリア（コンポーネントキャリア）を使用し、通信を行なってもよい。ここで、そのようなキャリアをニューキャリアタイプ（NCT: New Carrier Type）と呼称する。例えば、ニューキャリアタイプには、セル固有参照信号や物理下りリンク制御チャネル、同期信号（プライマリー同期信号、セカンダリー同期信号）が配置されなくてもよい。また、ニューキャリアタイプが設定されたセルにおいて、モビリティ測定、時間／周波数同期検出を行なうための物理チャネル（PDCH: Physical Discovery Channel, NDS: New Discovery Signal(s)）の導入が検討されている（非特許文献４）。なお、ニューキャリアタイプは、追加キャリアタイプ（ACT: Additional Carrier Type）と呼称する場合もある。また、ＮＣＴに対し、既存のキャリアタイプをレガシーキャリアタイプ（LCT: Legacy Carrier Type）と呼称する場合もある。
【先行技術文献】
【非特許文献】
【００１０】
【非特許文献１】3rd Generation Partnership Project Technical Specification Group Radio Access Network; Evolved Universal Terrestrial Radio Access (E-UTRA); Physical Channels and Modulation (Release 8), TS36.211 v8.8.0 (2009-09).
【非特許文献２】"On standardization impact of TDD UL-DL adaptation", R1-122016, 3GPP TSG-RAN WG1 Meeting #69, Prague, Czech Republic, 21st - 25th May 2012.
【非特許文献３】3rd Generation Partnership Project Technical Specification Group Radio Access Network; Evolved Universal Terrestrial Radio Access (E-UTRA); Physical layer; Measurements (Release 10) 30th Mar 2011, TS36.214 v10.1.0 (2011-03).
【非特許文献４】"Issues Regarding Additional Carrier Type in Rel-11 CA", R1-114071, 3GPP TSG-RAN WG1 Meeting #67, San Francisco, USA, 14th - 18th Nov 2011.
【発明の概要】
【発明が解決しようとする課題】
【００１１】
種々の上りリンク物理チャネルの送信タイミングがそれぞれインプリシット（implicit）またはエクスプリシット（explicit）に設定されるダイナミック時分割複信（DTDD: Dynamic Time Division Duplex）を行なう通信システムにおいて、上りリンクサブフレームと下りリンクサブフレームを切り替えることのできるサブフレームが設定される。そのため、そのようなサブフレームでは、基地局装置と端末装置それぞれから送信される信号は互いに干渉し、適切な通信が行なえないという問題が生じる。【００１２】
本発明の一態様は、上記問題を鑑みてなされたものであり、適切な送信電力制御が可能な端末装置、方法および集積回路を提供することを目的とする。
【課題を解決するための手段】
【００１３】
この発明の一態様は上述した課題を解決するためになされたもので、本発明の一態様による端末装置は、基地局装置と通信する端末装置であって、第１のサブフレームセットのサブフレームと第２のサブフレームセットのサブフレームを示す情報、前記第１のサブフレームセットに対する第１のパラメータを示す情報、および、前記第２のサブフレームセットに対する第２のパラメータを示す情報を受信し、前記第１のパラメータと電力制御調整に関する第３のパラメータに基づいて、前記第１のサブフレームセットに属するサブフレームにおける物理上りリンク共用チャネルの送信に対する送信電力を設定し、前記第２のパラメータと電力制御調整に関する第４のパラメータに基づいて、前記第２のサブフレームセットに属するサブフレームにおける物理上りリンク共用チャネルの送信に対する送信電力を設定し、アキュムレーションが有効にされている場合に、ランダムアクセスレスポンスメッセージを受信するならば、前記第３のパラメータの値をリセットし、アキュムレーションが有効にされている場合に、前記第１のパラメータの値が変更されるならば、前記第３のパラメータの値をリセットし、アキュムレーションが有効にされている場合に、前記第２のパラメータの値が変更されるならば、前記第４のパラメータの値をリセットする。【００１４】
また、本発明の一態様による方法は、基地局装置と通信する端末装置に用いられる方法であって、第１のサブフレームセットのサブフレームと第２のサブフレームセットのサブフレームを示す情報、前記第１のサブフレームセットに対する第１のパラメータを示す情報、および、前記第２のサブフレームセットに対する第２のパラメータを示す情報を受信するステップと、前記第１のパラメータと電力制御調整に関する第３のパラメータに基づいて、前記第１のサブフレームセットに属するサブフレームにおける物理上りリンク共用チャネルの送信に対する送信電力を設定するステップと、前記第２のパラメータと電力制御調整に関する第４のパラメータに基づいて、前記第２のサブフレームセットに属するサブフレームにおける物理上りリンク共用チャネルの送信に対する送信電力を設定するステップと、アキュムレーションが有効にされている場合に、ランダムアクセスレスポンスメッセージを受信するならば、前記第３のパラメータの値をリセットするステップと、アキュムレーションが有効にされている場合に、前記第１のパラメータの値が変更されるならば、前記第３のパラメータの値をリセットするステップと、アキュムレーションが有効にされている場合に、前記第２のパラメータの値が変更されるならば、前記第４のパラメータの値をリセットするステップと、を含む。【００１５】
また、本発明の一態様による集積回路は、基地局装置と通信する端末装置に搭載される集積回路であって、第１のサブフレームセットのサブフレームと第２のサブフレームセットのサブフレームを示す情報に基づいて、前記第１のサブフレームセットのサブフレームおよび前記第２のサブフレームセットのサブフレームを設定する機能と、前記第１のサブフレームセットに対する第１のパラメータと電力制御調整に関する第３のパラメータに基づいて、前記第１のサブフレームセットに属するサブフレームにおける物理上りリンク共用チャネルの送信に対する送信電力を設定する機能と、前記第２のサブフレームセットに対する第２のパラメータと電力制御調整に関する第４のパラメータに基づいて、前記第２のサブフレームセットに属するサブフレームにおける物理上りリンク共用チャネルの送信に対する送信電力を設定する機能と、アキュムレーションが有効にされている場合に、ランダムアクセスレスポンスメッセージを受信するならば、前記第３のパラメータの値をリセットする機能と、アキュムレーションが有効にされている場合に、前記第１のパラメータの値が変更されるならば、前記第３のパラメータの値をリセットする機能と、アキュムレーションが有効にされている場合に、前記第２のパラメータの値が変更されるならば、前記第４のパラメータの値をリセットする機能と、を含む一連の機能を前記端末装置に発揮させる。
【発明の効果】
【００１６】
この発明の一態様によれば、基地局装置と端末装置が通信する通信システムにおいて、端末装置は適切な電力制御を行なうことで、通信効率を向上させることができる。
【図面の簡単な説明】
【００１７】
【図１】本発明の第１の実施形態に係る基地局装置１の構成を示す概略ブロック図である。
【図２】本発明の第１の実施形態に係る端末装置２の構成を示す概略ブロック図である。
【図３】ＴＤＤ  ＵＬ／ＤＬ設定におけるサブフレームパターンの構成を示す図である。
【図４】本発明の第１の実施形態の基本形態に係るピリオディックＳＲＳに対する端末装置２の処理手順を示すフローチャートである。
【図５】本発明の第１の実施形態の基本形態に係るアピリオディックＳＲＳに対する端末装置２の処理手順を示すフローチャートである。
【図６】第１の実施形態に係るＰＵＳＣＨとＡ−ＳＲＳの送信サブフレームの一例を示す図である。
【図７】第１の上りリンク電力制御に関するパラメータ（UplinkPowerControl）に含まれるパラメータの一例を示す図である。
【図８】第２の上りリンク電力制御に関する共有パラメータの一例を示す図である。
【図９】第１の上りリンク電力制御に関する専用パラメータと第２の上りリンク電力制御に関する専用パラメータの一例を示す図である。
【発明を実施するための形態】
【００１８】
（物理チャネル）
ＬＴＥおよびＬＴＥ−Ａで使用される主な物理チャネル（または物理信号）について説明する。チャネルとは、信号の送信に用いられる媒体を意味する。物理チャネルとは、信号の送信に用いられる物理的な媒体を意味する。物理チャネルは、ＬＴＥおよびＬＴＥ−Ａおよびそれ以降の規格リリースにおいて、今後追加、または、その構造やフォーマット形式が変更または追加される可能性があるが、そのような場合でも本発明の各実施形態の説明に影響しない。
【００１９】
ＬＴＥおよびＬＴＥ−Ａでは、物理チャネルのスケジューリングについて無線フレームを用いて管理している。１無線フレームは１０ｍｓである。１無線フレームは１０サブフレームで構成される。さらに、１サブフレームは２スロットで構成される（すなわち、１スロットは０．５ｍｓである）。また、物理チャネルが配置されるスケジューリングの最小単位としてリソースブロックを用いて管理している。リソースブロックとは、複数サブキャリア（例えば、１２サブキャリア）の集合で構成される一定の周波数領域と、一定の送信時間間隔（例えば、１スロット、７シンボル）で構成される領域で定義される。
【００２０】
物理チャネルは、上位層から出力される情報を伝送するリソースエレメントのセットに対応する。物理信号は、物理層で使用され、上位層から出力される情報を伝送しない。つまり、無線リソース制御（RRC: Radio Resource Control）メッセージやシステム情報（SI: System Information）などの上位層の制御情報は、物理チャネルで伝送される。
【００２１】
下りリンク物理チャネルには、物理下りリンク共用チャネル（PDSCH: Physical Downlink Shared Channel）、物理報知チャネル（PBCH: Physical Broadcast Channel）、物理マルチキャストチャネル（PMCH: Physical Multicast Channel）、物理制御フォーマットインディケータチャネル（PCFICH: Physical Control Format Indicator Channel）、物理下りリンク制御チャネル（PDCCH: Physical Downlink Control Channel）、物理ハイブリットＡＲＱインディケータチャネル（PHICH: Physical Hybrid ARQ Indicator Channel）、拡張物理下りリンク制御チャネル（EPDCCH: Enhanced Physical Downlink Control Channel）がある。また、下りリンク物理信号は、種々の参照信号と種々の同期信号がある。下りリンク参照信号には、セル固有参照信号（CRS: Cell specific Reference Signal）、端末装置固有参照信号（UERS: UE specific Reference Signal）、チャネル状態情報参照信号（CSI-RS: Channel State Information Reference Signal）がある。同期信号には、プライマリー同期信号（PSS: Primary Synchronization Signal）とセカンダリー同期信号（SSS: Secondary Synchronization Signal）がある。
【００２２】
上りリンク物理チャネルには、物理上りリンク共用チャネル（PUSCH: Physical UplinkShared Channel）、物理上りリンク制御チャネル（PUCCH: Physical Uplink Control Channel）、物理ランダムアクセスチャネル（PRACH: Physical Random Access Channel）がある。また、上りリンク物理信号には、種々の参照信号がある。上りリンク参照信号には、復調参照信号（DMRS: Demodulation Reference Signal）とサウンディング参照信号（SRS: Sounding Reference Signal）がある。
【００２３】
同期信号（Synchronization Signal）は、３種類のプライマリー同期信号（PSS: Primary Synchronization Signal）と、周波数領域で互い違いに配置される３１種類の符号から構成されるセカンダリー同期信号（SSS: Secondary Synchronization Signal）とで構成される。プライマリー同期信号とセカンダリー同期信号との組み合わせによって、基地局装置を識別する５０４通りのセル識別子（PCI: Physical layer Cell Identity, Physical Cell Identity, Physical Cell Identifier）と無線同期のためのフレームタイミングが示される。端末装置２は、セルサーチによって受信した同期信号に基づいてセルのセル識別子を特定する。
【００２４】
物理報知チャネル（PBCH: Physical Broadcast Channel）は、セル内の端末装置で共通に用いられる制御パラメータ（報知情報やシステムインフォメーション）を通知する目的で送信される。また、ＰＢＣＨで通知されない報知情報（例えば、ＳＩＢ１や他のシステムインフォメーション）は、ＤＬ−ＳＣＨを介して、ＰＤＳＣＨで送信される。報知情報として、セル個別の識別子を示すセルグローバル識別子（CGI: Cell Global Identifier）、ページングによる待ち受けエリアを管理するトラッキングエリア識別子（TAI: Tracking Area Identifier）、ランダムアクセス設定情報（送信タイミングタイマなど）、共通無線リソース設定情報（共有無線リソース設定情報）などが通知される。
【００２５】
システムインフォメーションブロックタイプ１メッセージは、SFN mod 8 = 0を満たす無線フレームのサブフレーム５においてＰＤＳＣＨを介して初期送信が行われ、SFN mod 2= 0を満たす他の無線フレームにおけるサブフレーム５において再送信（repetition）が行なわれる。システムインフォメーションブロックタイプ１メッセージは、スペシャルサブフレームの構成（ＤｗＰＴＳ、ＧＰ、およびＵｐＰＴＳの長さ）を示す情報を含む。システムインフォメーションブロックタイプ１メッセージは、セル固有の情報である。
【００２６】
システムインフォメーションメッセージは、ＰＤＳＣＨを介して伝送される。システムインフォメーションメッセージは、セル固有の情報である。システムインフォメーションメッセージは、システムインフォメーションブロックタイプ１以外のシステムインフォメーションブロックＸ（Ｘは自然数）を含んでもよい。
【００２７】
下りリンク参照信号は、その用途によって複数のタイプに分類される。例えば、セル固有参照信号（Cell-specific reference signals; CRS）は、セル毎に所定の電力で送信されるパイロット信号であり、所定の規則に基づいて周波数領域および時間領域で周期的に繰り返される下りリンク参照信号である。端末装置２は、セル固有参照信号を受信することでセル毎の受信品質を測定する。また、端末装置２は、セル固有参照信号と同じアンテナポートで送信される物理下りリンク制御チャネル、または物理下りリンク共用チャネルの復調のための参照信号としてもセル固有参照信号を使用する。セル固有参照信号に使用される系列は、セル毎に識別可能な系列が用いられる。この系列は、擬似ランダム系列に基づいて生成されてもよい。また、この系列は、Ｚａｄｏｆｆ−Ｃｈｕ系列に基づいて生成されてもよい。また、この系列は、ゴールド系列に基づいて生成されてもよい。
【００２８】
また、下りリンク参照信号は下りリンクの伝搬路変動の推定にも用いられる。伝搬路変動の推定に用いられる下りリンク参照信号のことをチャネル状態情報参照信号（Channel State Information Reference Signals; CSI-RS）あるいはＣＳＩ参照信号と呼称してもよい。また、実際には信号が送信されない、または、ゼロパワーで送信されるＣＳＩ参照信号は、ゼロパワーチャネル状態情報参照信号（Zero Power Channel State Information Reference Signals; Zero Power CSI-RS）あるいはゼロパワーＣＳＩ参照信号と呼称してもよい。また、実際に信号が送信されるＣＳＩ参照信号は、非ゼロパワーチャネル状態情報参照信号（Non Zero Power Channel State Information Reference Signals; Zero Power CSI-RS）あるいは非ゼロパワーＣＳＩ参照信号と呼称してもよい。また干渉成分を測定するために用いられる下りリンクリソースの事をチャネル状態情報干渉測定リソース（Channel State Information - Interference Measurement Resource: CSI-IMR）あるいはＣＳＩ−ＩＭリソースと呼称してもよい。ＣＳＩ−ＩＭリソースに含まれるゼロパワーＣＳＩ参照信号を用いて、端末装置２はＣＱＩの値を算出するために干渉信号の測定を行なってもよい。また、端末装置２毎に個別に設定される下りリンク参照信号は、端末装置固有参照信号（UERS: UE specific Reference Signals）または専用参照信号（DedicatedReference Signals）、下りリンク復調参照信号（DL DMRS: Downlink Demodulation Reference Signals）などと称され、物理下りリンク制御チャネル、または物理下りリンク共用チャネルの復調に用いられる。
【００２９】
物理下りリンク共用チャネル（Physical Downlink Shared Channel; PDSCH）は、下りリンクデータ（ＤＬ−ＳＣＨ）を送信するために使用される。また、ＰＤＳＣＨは、システムインフォメーションがＤＬ−ＳＣＨで送信される場合にも使用される。物理下りリンク共用チャネルに対する無線リソース割り当て情報は、物理下りリンク制御チャネルで示される。また、ＰＤＳＣＨは、下りリンクと上りリンクに関するパラメータ（情報要素、ＲＲＣメッセージ）を通知するためにも使用される。
【００３０】
ＲＲＣメッセージはＰＤＳＣＨを介して伝送される。ＲＲＣメッセージは、ＲＲＣ層において処理される情報／信号である。ＲＲＣメッセージは、セル内の複数の移動局装置１に対して共通であってもよいし、特定の移動局装置１に対して専用であってもよい。
【００３１】
物理下りリンク制御チャネル（Physical Downlink Control Channel; PDCCH）は、各サブフレームの先頭からいくつかのＯＦＤＭシンボルで送信され、端末装置２に対して基地局装置１のスケジューリングに従ったリソース割り当て情報や、送信電力の増減の調整量を指示する目的で使用される。端末装置２は、レイヤー３メッセージ（ページング、ハンドオーバコマンド、ＲＲＣメッセージなど）を送受信する前に自局宛の物理下りリンク制御チャネルを監視（モニタ）し、送信時には上りリンクグラント、受信時には下りリンクグラント（下りリンクアサインメントとも呼称される）と呼ばれるリソース割り当て情報を自局宛の物理下りリンク制御チャネルから取得する必要がある。なお、物理下りリンク制御チャネルは、上述したＯＦＤＭシンボルで送信される以外に、基地局装置１から端末装置２に対して個別（ｄｅｄｉｃａｔｅｄ）に割り当てられるリソースブロックの領域で送信されるように構成することも可能である。この基地局装置１から端末装置２に対して個別（ｄｅｄｉｃａｔｅｄ）に割り当てられるリソースブロックの領域で送信される物理下りリンク制御チャネルはエンハンスト物理下りリンク制御チャネル（EPDCCH: EnhancedPDCCH）と呼称される場合もある。また、上述したＯＦＤＭシンボルで送信されるＰＤＣＣＨは第１の制御チャネルと呼称される場合もある。また、ＥＰＤＣＣＨは第２の制御チャネルと呼称される場合もある。また、ＰＤＣＣＨが割り当て可能なリソース領域は第１の制御チャネル領域、ＥＰＤＣＣＨが割り当て可能なリソース領域は第２の制御チャネル領域と呼称される場合もある。なお、以降に記述するＰＤＣＣＨには基本的にＥＰＤＣＣＨを含んでいる。
【００３２】
基地局装置１は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。また、基地局装置１は、スペシャルサブフレームのＤｗＰＴＳにおいて、ＰＢＣＨを送信しなくてもよい。
【００３３】
また、端末装置２は、スペシャルサブフレームのＵｐＰＴＳにおいて、ＰＲＡＣＨ、およびＳＲＳを送信しても良い。また、端末装置２は、スペシャルサブフレームのＵｐＰＴＳにおいて、ＰＵＣＣＨ、ＰＵＳＣＨ、およびＤＭＲＳを送信しなくてもよい。
【００３４】
また、端末装置２は、スペシャルサブフレームがＧＰおよびＵｐＰＴＳのみによって構成されている場合には、スペシャルサブフレームのＵｐＰＴＳにおいて、ＰＵＣＣＨおよび／またはＰＵＳＣＨおよび／またはＤＭＲＳを送信してもよい。
【００３５】
ここで、端末装置２は、ＰＤＣＣＨ候補（PDCCH candidates）および／またはＥＰＤＣＣＨ候補（EPDCCH candidates）のセットをモニタする。以下、説明の簡略化のために、ＰＤＣＣＨは、ＥＰＤＣＣＨを含む。ＰＤＣＣＨ候補とは、基地局装置１によって、ＰＤＣＣＨがマップおよび送信される可能性のある候補を示している。また、ＰＤＣＣＨ候補は、１つまたは複数の制御チャネル要素（CCE: Control Channel Element）から構成される。また、モニタとは、モニタされる全てのＤＣＩフォーマットに応じて、ＰＤＣＣＨ候補のセット内のＰＤＣＣＨそれぞれに対して、端末装置２がデコード（復号）を試みるということを意味する。
【００３６】
ここで、端末装置２が、モニタするＰＤＣＣＨ候補のセットは、サーチスペースとも称される。サーチスペースとは、基地局装置１によってＰＤＣＣＨの送信に用いられる可能性のあるリソースのセットである。ＰＤＣＣＨ領域には、コモンサーチスペース（CSS: Common Search Space）と端末装置スペシフィックサーチスペース（USS: UE-specific Search Space）が構成（定義、設定）される。
【００３７】
ＣＳＳは、複数の端末装置２に対する下りリンク制御情報（DCI: Downlink Control Information）の送信に用いられる。すなわち、ＣＳＳは、複数の端末装置２に対して共通のリソースによって定義される。また、ＵＳＳは、ある特定の端末装置２に対する下りリンク制御情報の送信に用いられる。すなわち、ＵＳＳは、ある特定の端末装置２に対して個別に設定される。また、ＵＳＳは、複数の端末装置２に対して重複してもよい。
【００３８】
下りリンク制御情報（ＤＣＩ）は、特定のフォーマット（構成、形式）で基地局装置１から端末装置２へ送信される。このフォーマットをＤＣＩフォーマットと呼称してもよい。ＤＣＩフォーマットは、ＤＣＩを送信するためのフォーマットと言い換えることができる。基地局装置１から端末装置２へ送信されるＤＣＩフォーマットには複数のフォーマットが用意されている（例えば、ＤＣＩフォーマット０／１／１Ａ／１Ｂ／１Ｃ／１Ｄ／２／２Ａ／２Ｂ／２Ｃ／２Ｄ／３／３Ａ／４）。
【００３９】
基地局装置１は、複数の端末装置２に対して共通のＤＣＩ（単一のＤＣＩ）をあるＤＣＩフォーマットで送信する場合には、ＰＤＣＣＨ（またはＥＰＤＣＣＨ）ＣＳＳで送信し、端末装置２に対して個別にＤＣＩをあるＤＣＩフォーマットで送信する場合には、ＰＤＣＣＨ（またはＥＰＤＣＣＨ）ＵＳＳで送信する。
【００４０】
ＤＣＩフォーマットで送信されるＤＣＩには、ＰＵＳＣＨやＰＤＳＣＨのリソース割り当て、変調符号化方式、サウンディング参照信号要求（ＳＲＳリクエスト）、チャネル状態情報要求（ＣＳＩリクエスト）、単一のトランスポートブロックの初送または再送の指示、ＰＵＳＣＨに対する送信電力制御コマンド、ＰＵＣＣＨに対する送信電力制御コマンド、ＵＬ  ＤＭＲＳのサイクリックシフトおよびＯＣＣ（Orthogonal Code Cover）のインデックスなどがある。この他にも種々のＤＣＩは仕様書によって定義されている。
【００４１】
上りリンク送信制御（例えば、ＰＵＳＣＨのスケジューリングなど）に用いられるフォーマットを上りリンクＤＣＩフォーマット（例えば、ＤＣＩフォーマット０／４）または上りリンクに関連するＤＣＩと呼称してもよい。下りリンク受信制御（例えば、ＰＤＳＣＨのスケジューリングなど）に用いられるフォーマットを下りリンクＤＣＩフォーマット（例えば、ＤＣＩフォーマット１／１Ａ／１Ｂ／１Ｃ／１Ｄ／２／２Ａ／２Ｂ／２Ｃ／２Ｄ）または下りリンクに関連するＤＣＩと呼称してもよい。複数の端末装置２それぞれの送信電力を調整するために用いられるフォーマットをグループトリガリングＤＣＩフォーマット（例えば、ＤＣＩフォーマット３／３Ａ）と呼称してもよい。
【００４２】
例えば、ＤＣＩフォーマット０は、１つのサービングセルにおける１つのＰＵＳＣＨのスケジューリングを行なうために必要なＰＵＳＣＨのリソース割り当てに関する情報や変調方式に関する情報、ＰＵＳＣＨに対する送信電力制御（TPC: Transmit Power Control）コマンドに関する情報などを送信するために用いられる。また、これらのＤＣＩはＰＤＣＣＨ／ＥＰＤＣＣＨで送信される。ＤＣＩフォーマットは、少なくとも１つのＤＣＩで構成されていると言える。
【００４３】
端末装置２は、ＰＤＣＣＨ領域のＣＳＳおよび／またはＵＳＳにおいてＰＤＣＣＨをモニタし、自装置宛てのＰＤＣＣＨを検出する。
【００４４】
また、下りリンク制御情報の送信（ＰＤＣＣＨでの送信）には、基地局装置１が端末装置２に割り当てたＲＮＴＩ（Radio Network Temporary Identifier）が利用される。具体的には、ＤＣＩフォーマット（下りリンク制御情報でも良い）に巡回冗長検査（CRC: Cyclic Redundancy check）パリティビットが付加され、付加された後に、ＣＲＣパリティビットがＲＮＴＩによってスクランブルされる。
【００４５】
端末装置２は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも呼称される）。すなわち、端末装置２は、ＲＮＴＩによってスクランブルされたＣＲＣを伴うＰＤＣＣＨに対してデコードを試み、ＣＲＣが成功したＰＤＣＣＨを、自装置宛のＰＤＣＣＨとして検出する。
【００４６】
ここで、ＲＮＴＩには、Ｃ−ＲＮＴＩ(Cell-Radio Network Temporary Identifier)が含まれる。Ｃ−ＲＮＴＩは、ＲＲＣ接続およびスケジューリングの識別に対して使用されるユニークな（一意的な）識別子である。Ｃ−ＲＮＴＩは、動的にスケジュールされるユニキャスト送信のために利用される。
【００４７】
また、ＲＮＴＩには、Ｔｅｍｐｏｒａｒｙ  Ｃ−ＲＮＴＩが含まれる。Ｔｅｍｐｏｒａｒｙ  Ｃ−ＲＮＴＩは、ランダムアクセスプロシージャ（例えば、初期アクセス）に対して使用される識別子である。例えば、端末装置２は、Ｔｅｍｐｏｒａｒｙ  Ｃ−ＲＮＴＩによってスクランブルされたＣＲＣが付加された上りリンクに関連するＤＣＩフォーマット（例えば、ＤＣＩフォーマット０）を、ＣＳＳのみでデコードを試みてもよい。また、端末装置２は、Ｔｅｍｐｏｒａｒｙ  Ｃ−ＲＮＴＩによってスクランブルされたＣＲＣが付加された下りリンクに関連するＤＣＩフォーマット（例えば、ＤＣＩフォーマット１Ａ）を、ＣＳＳおよびＵＳＳでデコードを試みてもよい。
【００４８】
また、基地局装置１は、ＤＣＩをＣＳＳで送信する場合、ＤＣＩ（ＤＣＩフォーマット）にＴｅｍｐｏｒａｒｙ  Ｃ−ＲＮＴＩまたはＣ−ＲＮＴＩでスクランブルしたＣＲＣパリティビットを付加し、ＤＣＩをＵＳＳで送信する場合、ＤＣＩ（ＤＣＩフォーマット）にＣ−ＲＮＴＩでスクランブルしたＣＲＣを付加してもよい。
【００４９】
物理上りリンク共用チャネル（Physical Uplink Shared Channel; PUSCH）は、上りリンクデータと上りリンク制御情報（Uplink Control Information; UCI）を送信するために用いられる。ＰＵＳＣＨで送信されるＵＣＩは、チャネル状態情報（CSI: Channel State Information）、および／または、ＡＣＫ／ＮＡＣＫを含む。また、ＰＵＳＣＨで送信されるＣＳＩは、アピリオディックＣＳＩ（Ａ−ＣＳＩ）とピリオディックＣＳＩを含む。また、下りリンクの場合と同様に物理上りリンク共用チャネルのリソース割り当て情報は、物理下りリンク制御チャネルで示される。また、ダイナミックスケジューリンググラントよってスケジュールされるＰＵＳＣＨは上りリンクデータを伝送する。また、ランダムアクセスレスポンスグラントによってスケジュールされるＰＵＳＣＨは、ランダムアクセスに関連した自局の情報（例えば、端末装置２の識別情報、メッセージ３）を送信する。また、検出したグラントの種類に応じて、ＰＵＳＣＨでの送信に対する送信電力をセットするために使用されるパラメータが異なってもよい。なお、制御データは、チャネル品質情報（ＣＱＩおよび／またはＰＭＩ）、ＨＡＲＱ−ＡＣＫ、およびＲＩという形で送信される。つまり、制御データは、上りリンク制御情報という形で送信される。
【００５０】
物理上りリンク制御チャネル（Physical Uplink Control Channel; PUCCH）は、物理下りリンク共用チャネルで送信された下りリンクデータの受信確認応答（Acknowledgement/Negative Acknowledgement; ACK/NACK）や下りリンクの伝搬路情報（チャネル状態情報）の通知、上りリンクのリソース割り当て要求（無線リソース要求）であるスケジューリングリクエスト（Scheduling Request; SR）を行なうために使用される。チャネル状態情報（CSI: Channel State Information）は、チャネル品質指標（CQI: Channel Quality Indicator）、プリコーディングマトリックス指標（PMI: Precoding Matrix Indicator）、プリコーディングタイプ指標（PTI: Precoding Type Indicator）、ランク指標（RI: Rank Indicator）を含む。各インディケータ（Indicator）は、インディケーション（Indication）と表記される場合もあるが、その用途と意味は同じである。また、送信するＵＣＩに応じて、ＰＵＣＣＨのフォーマットを切り替えてもよい。例えば、ＵＣＩがＨＡＲＱ−ＡＣＫおよび／またはＳＲから構成される場合、ＵＣＩはフォーマット１／１ａ／１ｂ／３のＰＵＣＣＨで送信されてもよい。また、ＵＣＩがピリオディックＣＳＩから構成される場合、ＵＣＩはフォーマット２のＰＵＣＣＨで送信されてもよい。
【００５１】
ＣＳＩ報告には、周期的またはイベント条件が満たされた場合に、チャネル状態情報を報告するピリオディックＣＳＩ報告と、ＤＣＩフォーマットに含まれているＣＳＩリクエストによって、報告が要求された場合にチャネル状態情報を報告するアピリオディックＣＳＩ報告がある。ピリオディックＣＳＩ報告は、ＰＵＣＣＨまたはＰＵＳＣＨで行なわれ、アピリオディックＣＳＩ報告は、ＰＵＳＣＨで行なわれる。端末装置２は、ＤＣＩフォーマットに含まれる情報に基づいて指示された場合、ＰＵＳＣＨで上りリンクデータをともなわないＣＳＩを送信することもできる。
【００５２】
上りリンク参照信号（Uplink Reference Signal）は、基地局装置１が、物理上りリンク制御チャネルＰＵＣＣＨおよび／または物理上りリンク共用チャネルＰＵＳＣＨを復調するために使用する復調参照信号（Demodulation Reference Signal; DMRS）と、基地局装置１が、主に、上りリンクのチャネル状態を推定するために使用するサウンディング参照信号（Sounding Reference Signal; SRS）が含まれる。また、サウンディング参照信号には、上位層によって周期的に送信するように設定される周期的サウンディング参照信号（P-SRS: Periodic SRS）と、下りリンク制御情報（ＤＣＩ）フォーマットに含まれるＳＲＳリクエストによって送信が要求される非周期的サウンディング参照信号（A-SRS: Aperiodic SRS）とがある。上りリンク参照信号は、上りリンクパイロット信号、上りリンクパイロットチャネルと呼称する場合もある。また、周期的サウンディング参照信号をピリオディックサウンディング参照信号（P-SRS: Periodic Sounding Reference Signal）、トリガータイプ０サウンディング参照信号（Trigger Type 0 SRS）と呼称する場合もある。また、非周期的サウンディング参照信号をアピリオディックサウンディング参照信号（A-SRS: Aperiodic Sounding Reference Signal）、トリガータイプ１サウンディング参照信号（Trigger Type 1 SRS）と呼称する場合もある。さらに、非周期的サウンディング参照信号は、協調通信において、上りリンクのチャネル推定用に特化した信号（例えば、トリガータイプ１ａＳＲＳと呼称される場合もある）と、ＴＤＤにおけるチャネル相反性（channel reciprocity）を利用してチャネル状態を基地局装置１に測定させるために使用される信号（例えば、トリガータイプ１ｂＳＲＳと呼称される場合もある）とに分けられてもよい。なお、ＤＭＲＳは、ＰＵＳＣＨとＰＵＣＣＨそれぞれに対応して、セットされる。また、ＤＭＲＳは、ＰＵＳＣＨまたはＰＵＣＣＨと同じサブフレームで時間多重されて、送信される。また、ＤＭＲＳは、ＰＵＳＣＨに対する場合とＰＵＣＣＨに対する場合で、時間多重方法が異なってもよい。例えば、ＰＵＳＣＨに対するＤＭＲＳは、７シンボルで構成される１スロット内に１シンボルだけ配置されるのに対して、ＰＵＣＣＨに対するＤＭＲＳは、７シンボルで構成される１スロット内に３シンボル配置される。
【００５３】
また、サウンディング参照信号は、上位層シグナリングによって通知されるサウンディング参照信号の送信サブフレームに関する情報に従って、サウンディング参照信号を送信するサブフレームが決定される。送信サブフレームに関する情報には、セル固有に設定される情報（共有情報）と端末装置固有に設定される情報（専用情報）とがある。セル固有に設定される情報には、セル内のすべての端末装置２が共有するサウンディング参照信号が送信されるサブフレームを示す情報が含まれる。また、端末装置固有に設定される情報には、セル固有に設定されるサブフレームのサブセットとなるサブフレームオフセットと周期（periodicity）を示す情報が含まれる。これらの情報によって、端末装置２は、サウンディング参照信号を送信することができるサブフレーム（ＳＲＳサブフレーム、ＳＲＳ送信サブフレームと呼称する場合もある）を決定することができる。また、端末装置２は、セル固有に設定されたサウンディング参照信号が送信されるサブフレームにおいて、物理上りリンク共用チャネルを送信する場合、サウンディング参照信号が送信されるシンボル分だけ物理上りリンク共用チャネルの時間リソースをパンクチャし、該時間リソースで物理上りリンク共用チャネルを送信することができる。このことにより、端末装置２間の物理上りリンク共用チャネルの送信とサウンディング参照信号の送信の衝突を回避することができる。物理上りリンク共用チャネルを送信する端末装置２にとっては、特性劣化を防ぐことができる。また、サウンディング参照信号を送信する端末装置２にとっては、チャネル推定精度を確保することができる。ここで、端末装置固有の設定は、周期的サウンディング参照信号と非周期的サウンディング参照信号とで独立に設定されてもよい。第１の上りリンク参照信号は、上位層シグナリングによって種々のパラメータが設定された場合に、設定された送信サブフレームに従って周期的に送信される。また、第２の上りリンク参照信号は、下りリンク制御情報フォーマットに含まれる第２の上りリンク参照信号の送信要求に関するフィールド（ＳＲＳリクエスト）によって、送信要求が指示される場合に、非周期的に送信される。端末装置２は、ある下りリンク制御情報フォーマットに含まれるＳＲＳリクエストがポジティブまたはポジティブに相当するインデックス（値）を示している場合、所定の送信サブフレームでＡ−ＳＲＳを送信する。また、端末装置２は、検出したＳＲＳリクエストがネガティブまたはネガティブに相当するインデックス（値）を示す場合、所定のサブフレームでＡ−ＳＲＳを送信しない。なお、セル固有に設定されるパラメータに関する情報（共有情報、セル情報）は、システムインフォメーションまたは専用制御チャネル（DCCH: Dedicated Control Channel）を用いて通知される。また、端末装置２に対して個別に設定されるパラメータに関する情報（個別情報、専用情報）は、共有制御チャネル（CCCH: Common Control Channel）を用いて通知される。なお、パラメータに関する情報で少なくとも１つのパラメータが通知される。
【００５４】
物理ランダムアクセスチャネル（Physical Random Access Channel; PRACH）は、プリアンブル系列を通知するために使用されるチャネルであり、ガードタイムを有する。プリアンブル系列は、６４種類のシーケンスを用意して６ビットの情報を表現するように構成されている。物理ランダムアクセスチャネルは、端末装置２の基地局装置１へのアクセス手段として用いられる。端末装置２は、スケジューリング要求（SR: Scheduling Request）に対する物理上りリンク制御チャネル未設定時の無線リソース要求や、上りリンク送信タイミングを基地局装置の受信タイミングウィンドウに合わせるために必要な送信タイミング調整情報（タイミングアドバンス（Timing Advance; TA）とも呼称される）を基地局装置１に要求するために物理ランダムアクセスチャネルを用いる。
【００５５】
具体的には、端末装置２は、基地局装置１より設定された物理ランダムアクセスチャネル用の無線リソースを用いてプリアンブル系列を送信する。送信タイミング調整情報を受信した端末装置２は、報知情報によって共通的に設定される（またはレイヤー３メッセージで個別に設定される）送信タイミング調整情報の有効時間を計時する送信タイミングタイマを設定し、送信タイミングタイマの有効時間中（計時中）は送信タイミング調整状態、有効期間外（停止中）は送信タイミング非調整状態（送信タイミング未調整状態）として上りリンクの状態を管理する。レイヤー３メッセージは、端末装置２と基地局装置１の無線リソース制御（RRC: Radio Resource Control）層でやり取りされる制御平面（C-plane: Control-plane）のメッセージであり、ＲＲＣシグナリングまたはＲＲＣメッセージと同義の意味で使用される。また、ＲＲＣシグナリングは、上位層シグナリングや専用シグナリング（Dedicated signaling）と呼称される場合もある。専用シグナリングは、個別シグナリングと呼称される場合もある。
【００５６】
ランダムアクセスプロシージャには、コンテンションベースのランダムアクセスプロシージャ（Contention based Random Access procedure）とノンコンテンションベースのランダムアクセスプロシージャ（Non-contention based Random Access procedure）の２つのランダムアクセスプロシージャが含まれる。コンテンションベースのランダムアクセスプロシージャは、複数の端末装置２間で衝突が発生する可能性のあるランダムアクセスである。
【００５７】
また、ノンコンテンションベースのランダムアクセスプロシージャは、複数の端末装置２間で衝突が発生しないランダムアクセスである。
【００５８】
ノンコンテンションベースのランダムアクセスプロシージャは、３ステップから成り、下りリンクの専用シグナリング（Dedicated signaling）によって、ランダムアクセスプリアンブルアサインメント（Random Access Preamble assignment）が基地局装置１から端末装置２に通知される。その際、ランダムアクセスプリアンブルアサインメントは、基地局装置１が端末装置２に対してノンコンテンション用のランダムアクセスプリアンブルを割り当て、ハンドオーバに対するソース基地局装置によって送信され、ターゲット基地局装置によって生成されたハンドオーバコマンド、または、下りリンクデータアライバルの場合ＰＤＣＣＨによってシグナルされる。
【００５９】
そのランダムアクセスプリアンブルアサインメントを受信した端末装置２は、上りリンクにおいてＲＡＣＨでランダムアクセスプリアンブル（メッセージ１）を送信する。その際、端末装置２は、割り当てられたノンコンテンション用のランダムアクセスプリアンブルを送信する。
【００６０】
ランダムアクセスプリアンブルを受信した基地局装置１は、下りリンクデータ（DL-SCH: Downlink Shared Channel）でランダムアクセスレスポンスを端末装置２へ送信する。また、ランダムアクセスレスポンスで送信される情報には、ハンドオーバに対する最初の上りリンクグラント（ランダムアクセスレスポンスグラント）とタイミング調整情報（Timing Alignment information）、下りリンクデータアライバルに対するタイミング調整情報、ランダムアクセスプリアンブル識別子が含まれる。下りリンクデータは下りリンク共用チャネルデータ（ＤＬ−ＳＣＨデータ）と呼称される場合もある。
【００６１】
ここで、ノンコンテンションベースのランダムアクセスプロシージャは、ハンドオーバ、下りリンクデータアライバル、ポジショニングに対して適用される。コンテンションベースのランダムアクセスプロシージャは、ＲＲＣ_ＩＤＬＥからの初期アクセス、ＲＲＣコネクションの再確立、ハンドオーバ、下りリンクデータアライバル、上りリンクデータアライバルに対して適用される。
【００６２】
次に、コンテンションベースのランダムアクセスプロシージャの例を説明する。
【００６３】
端末装置２は、基地局装置１によって送信されたシステムインフォメーションブロックタイプ２（ＳＩＢ２）を取得する。ＳＩＢ２は、セル内における全ての端末装置２（または、複数の端末装置２）に対して共通の設定（共通の情報）である。例えば、該共通の設定には、ＰＲＡＣＨの設定が含まれる。
【００６４】
端末装置２は、ランダムアクセスプリアンブルの番号をランダムに選択する。また、端末装置２は、選択した番号のランダムアクセスプリアンブル（メッセージ１）を、ＰＲＡＣＨを用いて基地局装置１に送信する。基地局装置１は、ランダムアクセスプリアンブルを用いて上りリンクの送信タイミングを推定する。
【００６５】
基地局装置１は、ＰＤＳＣＨを用いてランダムアクセスレスポンス（ＤＬ−ＳＣＨ、メッセージ２）を送信する。ランダムアクセスレスポンスには、基地局装置１によって検出されたランダムアクセスプリアンブルに対する複数の情報が含まれる。例えば、該複数の情報には、ランダムアクセスプリアンブルの番号、Ｔｅｍｐｏｒａｒｙ  Ｃ−ＲＮＴＩ、ＴＡコマンド（Timing Advance Command）、および、ランダムアクセスレスポンスグラントが含まれる。
【００６６】
端末装置２は、ランダムアクセスレスポンスグラントを用いてスケジューリングされたＰＵＳＣＨで、上りリンクデータ（ＵＬ−ＳＣＨ、メッセージ３）を送信（初期送信）する。該上りリンクデータには、端末装置２を識別するための識別子（InitialUE-IdentityまたはC-RNTIを示す情報）が含まれる。上りリンクデータは、上りリンク共用チャネルデータと呼称される場合もある。
【００６７】
基地局装置１は、上りリンクデータの復号に失敗した場合、Ｔｅｍｐｏｒａｒｙ  Ｃ−ＲＮＴＩによってスクランブルされたＣＲＣパリティビットが付加されたＤＣＩフォーマットを用いて、上りリンクデータの再送信を指示する。端末装置２は、該ＤＣＩフォーマットによって上りリンクデータの再送信を指示された場合、Ｔｅｍｐｏｒａｒｙ  Ｃ−ＲＮＴＩによってスクランブルされたＣＲＣパリティビットが付加されたＤＣＩフォーマットを用いてスケジュールされたＰＵＳＣＨで、同一の上りリンクデータを再送信する。
【００６８】
また、基地局装置１は、上りリンクデータの復号に失敗した場合、ＰＨＩＣＨ（ＮＡＣＫ）を用いて、上りリンクデータの再送信を指示することができる。端末装置２は、該ＮＡＣＫによって上りリンクデータの再送信を指示された場合、ＰＵＳＣＨで、同一の上りリンクデータを再送信する。
【００６９】
基地局装置１は、上りリンクデータの復号に成功し、上りリンクデータを取得することによって、何れの端末装置２がランダムアクセスプリアンブルおよび上りリンクデータの送信を行なっていたかを知ることができる。すなわち、基地局装置１は、上りリンクデータの復号に成功する前は、何れの端末装置２がランダムアクセスプリアンブルおよび上りリンクデータの送信を行なっているかを知ることはできない。
【００７０】
基地局装置１は、InitialUE-Identityを含むメッセージ３を受信した場合、受信したInitialUE-Identityに基づいて生成したコンテンションレゾリューション識別子（contention resolution identity）（メッセージ４）を、ＰＤＳＣＨを用いて端末装置２に送信する。端末装置２は、受信したコンテンションレゾリューション識別子と、送信したInitialUE-Identityがマッチした場合に、（１）ランダムアクセスプリアンブルのコンテンションレゾリューションに成功したとみなし、（２）Ｔｅｍｐｏｒａｒｙ  Ｃ−ＲＮＴＩの値をＣ−ＲＮＴＩにセットし、（３）Ｔｅｍｐｏｒａｒｙ  Ｃ−ＲＮＴＩを破棄し、（４）ランダムアクセスプロシージャが正しく完了したとみなす。
【００７１】
また、基地局装置１は、Ｃ−ＲＮＴＩを示す情報を含むメッセージ３を受信した場合、受信したＣ−ＲＮＴＩによってスクランブルされたＣＲＣパリティビットが付加されたＤＣＩフォーマット（メッセージ４）を、端末装置２に送信する。端末装置２は、Ｃ−ＲＮＴＩによってスクランブルされたＣＲＣパリティビットが付加されたＤＣＩフォーマットをデコードした場合に、（１）ランダムアクセスプリアンブルのコンテンションレゾリューションに成功したとみなし、（２）Ｔｅｍｐｏｒａｒｙ  Ｃ−ＲＮＴＩを破棄し、（３）ランダムアクセスプロシージャが正しく完了したとみなす。
【００７２】
すなわち、基地局装置１は、コンテンションベースのランダムアクセスプロシージャの一環として（as part of contention based random access procedure）、ランダムアクセスレスポンスグラントを用いて、ＰＵＳＣＨをスケジュールする。
【００７３】
端末装置２は、ランダムアクセスレスポンスグラントを用いてスケジュールされたＰＵＳＣＨで、上りリンクデータ（メッセージ３）を送信する。すなわち、端末装置２は、コンテンションベースのランダムアクセスプロシージャの一環として、ランダムアクセスレスポンスグラントに対応するＰＵＳＣＨでの送信を行なう。
【００７４】
また、基地局装置１は、コンテンションベースのランダムアクセスプロシージャの一環として、Ｔｅｍｐｏｒａｒｙ  Ｃ−ＲＮＴＩによってスクランブルされたＣＲＣが付加されたＤＣＩフォーマットを用いて、ＰＵＳＣＨをスケジュールする。また、基地局装置１は、コンテンションベースのランダムアクセスプロシージャの一環として、ＰＨＩＣＨ（ＮＡＣＫ）を用いて、ＰＵＳＣＨでの送信をスケジュール／指示する。
【００７５】
端末装置２は、Ｔｅｍｐｏｒａｒｙ  Ｃ−ＲＮＴＩによってスクランブルされたＣＲＣが付加されたＤＣＩフォーマットを用いてスケジュールされたＰＵＳＣＨで、上りリンクデータ（メッセージ３）を送信（再送信）する。また、端末装置２は、ＰＨＩＣＨの受信に応じて、スケジュールされたＰＵＳＣＨで、上りリンクデータ（メッセージ３）を送信（再送信）する。すなわち、端末装置２は、コンテンションベースのランダムアクセスプロシージャの一環として、同一の上りリンクデータ（トランスポートブロック）の再送信に対応するＰＵＳＣＨでの送信を行う。
【００７６】
以下、論理チャネルについて説明する。論理チャネルは、ＲＲＣメッセージや情報要素を伝送するために用いられる。また、論理チャネルは、トランスポートチャネルを介して、物理チャネルで送信される。
【００７７】
報知制御チャネル（BCCH: Broadcast Control Channel）は、システム制御情報を報知するために用いられる論理チャネルである。例えば、システム情報や初期アクセスに必要な情報は、このチャネルを用いて送信される。ＭＩＢ（Master Information Block）やＳＩＢ１（System Information Block Type 1）は、この論理チャネルを用いて伝送される。
【００７８】
共有制御チャネル（CCCH: Common Control Channel）は、ネットワークとＲＲＣコネクションを持たない端末装置とネットワーク間で制御情報を送信するために用いられる論理チャネルである。例えば、端末固有の制御情報や設定情報は、この論理チャネルを用いて送信される。
【００７９】
専用制御チャネル（DCCH: Dedicated Control Channel）は、ＲＲＣコネクションを持つ端末装置とネットワーク間を双方向で専用制御情報を送信するために用いられるチャネルである。例えば、セル固有の再設定情報は、この論理チャネルを用いて送信される。
【００８０】
ＣＣＣＨやＤＣＣＨを用いるシグナリングをＲＲＣシグナリング（上位層シグナリング）と総称する場合もある。
【００８１】
上りリンク電力制御に関する情報（情報要素、パラメータ、設定）は、報知情報（システム情報）として通知される情報と、同じセル内の端末装置２間で共有される情報（共有情報）として通知される情報と、端末装置固有の専用情報として通知される情報と、がある。端末装置２は、報知情報として通知される情報のみ、または、報知情報／共有情報として通知される情報と、専用情報として通知される情報に基づいて送信電力をセットする。
【００８２】
無線リソース制御設定共有情報は、報知情報（またはシステム情報）として通知されてもよい。また、無線リソース制御設定共有情報は、専用情報（モビリティ制御情報）として通知されてもよい。
【００８３】
無線リソース設定には、ランダムアクセスチャネル（ＲＡＣＨ）設定、報知制御チャネル（ＢＣＣＨ）設定、ページング制御チャネル（ＰＣＣＨ）設定、物理ランダムアクセスチャネル（ＰＲＡＣＨ）設定、物理下りリンク共用チャネル（ＰＤＳＣＨ）設定、物理上りリンク共用チャネル（ＰＵＳＣＨ）設定、物理上りリンク制御チャネル（ＰＵＣＣＨ）設定、サウンディング参照信号（ＳＲＳ）設定、上りリンク電力制御に関する設定、上りリンクサイクリックプレフィックス長に関する設定などが含まれる。情報が報知情報として通知される場合と、情報が再設定情報として通知される場合で、通知される情報は同じでなくてもよい。つまり、報知情報と再設定情報によって通知される種々の設定は独立にセットされてもよい。
【００８４】
種々の物理チャネル／物理信号（ＰＲＡＣＨ，ＰＵＣＣＨ，ＰＵＳＣＨ、ＳＲＳ，ＵＬ  ＤＭＲＳ、ＣＲＳ，ＣＳＩ−ＲＳ、ＰＤＣＣＨ、ＰＤＳＣＨ、ＰＳＳ／ＳＳＳ,ＤＬ  ＤＭＲＳ，ＰＢＣＨ，ＰＭＣＨなど）に関するパラメータを設定するために必要な情報要素は、同一セル内の端末装置２間で共有する共有設定情報と、端末装置２毎に設定される専用設定情報で構成される。共有設定情報は、システムインフォメーションで送信されてもよい。また、共有設定情報は、再設定を行なう場合には、専用情報として送信されてもよい。これらの設定は、パラメータの設定を含む。パラメータの設定とは、パラメータの値の設定を含む。また、パラメータの設定とは、パラメータがテーブル管理されている場合、インデックスの値を含む。
【００８５】
上記物理チャネルのパラメータに関する情報は、ＲＲＣメッセージを用いて端末装置２へ送信される。つまり、端末装置２は、受信したＲＲＣメッセージに基づいて、各物理チャネルのリソース割り当てや送信電力を設定する。ＲＲＣメッセージには、報知チャネルに関するメッセージ、マルチキャストチャネルに関するメッセージ、ページングチャネルに関するメッセージ、下りリンクの各チャネルに関するメッセージ、上りリンクの各チャネルに関するメッセージなどがある。各ＲＲＣメッセージは、情報要素（IE: Information element）を含んで構成されてもよい。また、情報要素は、パラメータに相当する情報が含まれてもよい。なお、ＲＲＣメッセージは、メッセージと呼称される場合もある。また、メッセージクラスは、１つ以上のメッセージのセットである。メッセージには、情報要素が含まれてもよい。情報要素には、無線リソース制御に関する情報要素、セキュリティ制御に関する情報要素、モビリティ制御に関する情報要素、測定に関する情報要素、マルチメディアブロードキャストマルチキャストサービス（MBMS: Multimedia Broadcast Multicast Service）に関する情報要素などがある。また、情報要素には、下位の情報要素が含まれてもよい。情報要素は、パラメータとして設定されてもよい。また、情報要素は、１つ以上のパラメータを示す制御情報として定義されてもよい。
【００８６】
情報要素（IE: Information Element）は、システムインフォメーション（SI: System Information）または専用シグナリング（Dedicated signaling）で種々のチャネル／信号／情報に対するパラメータを規定（指定、設定）するために使われる。また、ある情報要素は、１つ以上のフィールドを含む。情報要素は、１つ以上の情報要素で構成されてもよい。なお、情報要素に含まれるフィールドをパラメータと呼称する場合もある。つまり、情報要素は、１種類（１つ）以上のパラメータを含んでもよい。また、端末装置２は、種々のパラメータに基づいて無線リソース割り当て制御や上りリンク電力制御、送信制御等を行なう。また、システムインフォメーションは情報要素として定義されてもよい。
【００８７】
情報要素を構成するフィールドには、情報要素が設定されてもよい。また、情報要素を構成するフィールドには、パラメータが設定されてもよい。
【００８８】
ＲＲＣメッセージは、１つ以上の情報要素を含む。また、複数のＲＲＣメッセージがセットされたＲＲＣメッセージをメッセージクラスと呼称する。
【００８９】
システムインフォメーションを用いて端末装置２に通知される上りリンク電力制御に関するパラメータには、ＰＵＳＣＨに対する標準電力（標準レベル、標準電力レベル、基準電力、基準レベル、基準電力レベル、公称電力、公称レベル、公称電力レベル）ＰＯ＿ＮＯＭＩＮＡＬ＿ＰＵＳＣＨ、ＰＵＣＣＨに対する標準電力ＰＯ＿ＮＯＭＩＮＡＬ＿ＰＵＣＣＨ、伝搬路損失補償係数αｃ、ＰＵＣＣＨフォーマット毎に設定される電力オフセットのリスト、プリアンブルとメッセージ３の電力オフセットＰＯ＿ＰＲＥがある。また、システムインフォメーションを用いて端末装置２に通知されるランダムアクセスチャネルに関するパラメータには、プリアンブルに関するパラメータ、ランダムアクセスチャネルの送信電力制御に係るパラメータ、ランダムアクセスプリアンブルの送信制御に係るパラメータがある。ランダムアクセスプリアンブルの送信制御に係るパラメータは、初期アクセス時または無線リンク障害（RLF: Radio Link Failure）発生後の再接続時に使用される。また、システムインフォメーションを用いて端末装置２に通知される下りリンク電力制御に関するパラメータには、セル固有参照信号の送信電力（referenceSignalPower）、ＣＲＳが存在しないサブフレームにおけるＰＤＳＣＨとＣＲＳの電力比とＣＲＳが存在するサブフレームにおけるＰＤＳＣＨの送信電力とＣＲＳの送信電力との電力比との比率を表すインデックスＰＢ（p-b）がある。
【００９０】
送信電力制御（上りリンク電力制御、下りリンク電力制御）に関する情報は、報知情報として端末装置２に通知されてもよい。また、送信電力制御に関する情報は、共有情報として端末装置２に通知されてもよい。また、送信電力制御に関する情報は、専用情報として端末装置２に通知されてもよい。また、送信電力制御に関する情報は、システムインフォメーションとして端末装置２に通知されてもよい。
【００９１】
（第１の実施形態の基本形態）
以下、本発明の第１の実施形態の基本形態について説明する。第１の実施形態の基本形態における通信システムは、基地局装置１（以下、アクセスポイント、ポイント、送信ポイント、受信ポイント、セル、サービングセル、送信装置、受信装置、送信局、受信局、送信アンテナ群、送信アンテナポート群、受信アンテナ群、受信アンテナポート群、通信装置、通信端末、ｅＮｏｄｅＢとも呼称される）として、マスター基地局装置（マクロ基地局装置、第１の基地局装置、第１の通信装置、サービング基地局装置、プライマリー基地局装置、アンカー基地局装置、第１のアクセスポイント、第１のポイント、第１の送信ポイント、第１の受信ポイント、マクロセル、第１のセル、プライマリーセルとも呼称される）を備える。さらに、第１の実施形態における通信システムは、セカンダリー基地局装置（ＲＲＨ（Remote Radio Head）、リモートアンテナ、張り出しアンテナ、分散アンテナ、第２のアクセスポイント、第２のポイント、第２の送信ポイント、第２の受信ポイント、参照点、小電力基地局装置（LPN: Low Power Node）、マイクロ基地局装置、ピコ基地局装置、フェムト基地局装置、スモール基地局装置、ローカルエリア基地局装置、ファントム基地局装置、家庭（屋内）向け基地局装置（Home eNodeB, Home NodeB, HeNB, HNB）、第２の基地局装置、第２の通信装置、協調基地局装置群、協調基地局装置セット、協調基地局装置、ホットスポット、マイクロセル、ピコセル、フェムトセル、スモールセル、ファントムセル、ローカルエリア、第２のセル、セカンダリーセルとも呼称される）を備えてもよい。また、第１の実施形態に係る通信システムは、端末装置２（以下、移動局、移動局装置、移動端末、受信装置、送信装置、受信端末、送信端末、第３の通信装置、受信アンテナ群、受信アンテナポート群、送信アンテナ群、送信アンテナポート群、ユーザ装置、ユーザ端末（UE: User Equipment）とも呼称される）を備える。ここで、セカンダリー基地局装置は、複数のセカンダリー基地局装置として示されてもよい。例えば、マスター基地局装置とセカンダリー基地局装置は、ヘテロジーニアスネットワーク配置を利用して、セカンダリー基地局装置のカバレッジの一部または全てが、マスター基地局装置のカバレッジに含まれ、端末装置２と通信が行なわれてもよい。また、セカンダリー基地局装置は、マスター基地局装置のカバレッジの外に配置されてもよい。
【００９２】
また、第１の実施形態の基本形態に係る通信システムは、基地局装置１と端末装置２とで構成される。単一の基地局装置１は、１つ以上の端末装置２を管理してもよい。また、単一の基地局装置１は、１つ以上のセル（サービングセル、プライマリーセル、セカンダリーセル、マクロセル、フェムトセル、ピコセル、スモールセル、ファントムセル）を管理してもよい。つまり、単一の基地局装置１は、マクロセルおよびスモールセルを管理してもよい。また、単一の基地局装置１は、１つ以上の周波数帯域（コンポーネントキャリア、キャリア周波数）を管理してもよい。また、単一の基地局装置１は、１つ以上の小電力基地局装置（LPN: Low Power Node）を管理してもよい。また、単一の基地局装置１は、１つ以上の家庭（屋内）向け基地局装置（HeNB: Home eNodeB）を管理してもよい。また、単一の基地局装置１は、１つ以上のアクセスポイントを管理してもよい。複数の基地局装置１間は、光ファイバ、銅線、同軸ケーブル、Ｘ２インタフェース、Ｘ３インタフェース、Ｘｎインタフェースなどで接続されてもよい。また、複数の基地局装置１は、ネットワークで管理されてもよい。また、単一の基地局装置１は、１つ以上の中継局装置（Relay Node）を管理してもよい。また、複数の基地局装置１でネットワークを構築してもよい。また、複数の基地局装置１はクラスタ化されてもよい。
【００９３】
また、第１の実施形態の基本形態に係る通信システムは、複数の基地局装置および／または小電力基地局装置および／または家庭用基地局装置で協調通信（CoMP: Coordination Multiple Points transmission and reception）を実現してもよい。つまり、第１の実施形態の基本形態に係る通信システムは、端末装置２と通信を行なうポイント（送信ポイントおよび／または受信ポイント）をダイナミックに切り替えるダイナミックポイントセレクション（DPS: Dynamic Point Selection）を行なってもよい。また、第１の実施形態の基本形態に係る通信システムは、協調スケジューリング（CS: Coordinated Scheduling）や協調ビームフォーミング（CB: Coordinated Beamforming）を行なってもよい。また、第１の実施形態の基本形態に係る通信システムは、ジョイント送信（JT: Joint Transmission）やジョイント受信（JR: Joint Reception）を行なってもよい。
【００９４】
また、近くに配置された複数の小電力基地局装置またはスモールセルは、クラスタリング（クラスタ化、グループ化）されてもよい。クラスタリングされた複数の小電力基地局装置は、同じ設定情報を通知してもよい。また、クラスタ化されたスモールセルの領域（カバレッジ）をローカルエリアと呼称する場合もある。
【００９５】
下りリンク送信において、基地局装置１は、送信点（TP: Transmission Point）と呼称される場合もある。また、上りリンク送信において、基地局装置１は、受信点（RP: Reception Point）と呼称される場合もある。また、下りリンク送信点および上りリンク受信点は、下りリンクパスロス測定用のパスロス参照点（Pathloss Reference Point, Reference Point）になりうる。また、パスロス測定用の参照点は、送信点や受信点とは独立に設定されてもよい。
【００９６】
また、スモールセルやファントムセル、ローカルエリアセルは、第３のセルとして設定されてもよい。また、スモールセルやファントムセル、ローカルエリアセルは、プライマリーセルとして再設定されてもよい。また、スモールセルやファントムセル、ローカルエリアセルは、セカンダリーセルとして再設定されてもよい。スモールセルやファントムセル、ローカルエリアセルは、サービングセルとして再設定されてもよい。また、スモールセルやファントムセル、ローカルエリアセルはサービングセルに含まれてもよい。
【００９７】
スモールセルを構成可能な基地局装置１は必要に応じて、間欠受信（DRX: Discrete Reception）や間欠送信（DTX: Discrete Transmission）を行なってもよい。また、スモールセルを構成可能な基地局装置１は、断続的に、電源のオン／オフを行なってもよい。
【００９８】
マクロセルを構成する基地局装置１とスモールセルを構成する基地局装置１とは、独立な識別子（ID: Identity, Identifier）が設定される場合がある。つまり、マクロセルとスモールセルの識別子は、独立に設定される場合がある。例えば、セル固有参照信号（CRS: Cell specific Reference Signal）がマクロセルおよびスモールセルから送信される場合、送信周波数および無線リソースが同じであっても、異なる識別子でスクランブルされる場合もある。マクロセルに対するセル固有参照信号は物理レイヤセルＩＤ（PCI: Physical layer Cell Identity）でスクランブルされ、スモールセルに対するセル固有参照信号は仮想セルＩＤ（VCI: Virtual Cell Identity）でスクランブルされてもよい。マクロセルでは物理レイヤセルＩＤ（PCI: Physical layer Cell Identity）でスクランブルされ、スモールセルではグローバルセルＩＤ（GCI: Global Cell Identity）でスクランブルされてもよい。マクロセルでは第１の物理レイヤセルＩＤでスクランブルされ、スモールセルでは第２の物理レイヤセルＩＤでスクランブルされてもよい。マクロセルでは第１の仮想セルＩＤでスクランブルされ、スモールセルでは第２の仮想セルＩＤでスクランブルされてもよい。
【００９９】
また、スモールセルまたはスモールセルとして設定されたサービングセルまたはスモールセルに対応するコンポーネントキャリアでは、一部の物理チャネル／物理信号が送信されなくてもよい。例えば、セル固有参照信号（CRS: Cell specific Reference Signal(s)）や物理下りリンク制御チャネル（PDCCH: Physical Downlink Control Channel）が送信されなくてもよい。また、スモールセルまたはスモールセルとして設定されたサービングセルまたはスモールセルに対応するコンポーネントキャリアでは、新しい物理チャネル／物理信号が送信されてもよい。
【０１００】
第１の実施形態の基本形態では、基地局装置１は、端末装置２に複数のサブフレームセットを指示する情報を送信する。複数のサブフレームセットを指示する情報に基づいて第１のサブフレームセットと第２のサブフレームセットが設定された端末装置２は、アピリオディックＳＲＳを第１のサブフレームセットに属する上りリンクサブフレームで送信する場合、アピリオディックＳＲＳの送信に対する送信電力を、第１のサブフレームセットに属する上りリンクサブフレームにおけるＰＵＳＣＨでの送信に対する電力制御に関するパラメータ（端末装置２に対する標準電力ＰＯ＿ＰＵＳＣＨ（ＰＯ＿ＮＯＭＩＮＡＬ＿ＰＵＳＣＨとＰＯ＿ＵＥ＿ＰＵＳＣＨの合計）や伝搬路損失補償係数α、ＴＰＣコマンドによって得られる電力制御調整値ｆ（ｉ）など）に基づいてセットし、アピリオディックＳＲＳを第２のサブフレームセットに属する上りリンクサブフレームで送信する場合、アピリオディックＳＲＳの送信に対する送信電力を、第２のサブフレームセットに属する上りリンクサブフレームにおけるＰＵＳＣＨでの送信に対する電力制御に関するパラメータ（端末装置２に対する標準電力ＰＯ＿ＰＵＳＣＨ（ＰＯ＿ＮＯＭＩＮＡＬ＿ＰＵＳＣＨとＰＯ＿ＵＥ＿ＰＵＳＣＨの合計）や伝搬路損失補償係数α、ＴＰＣコマンドによって得られる電力制御調整値ｆ（ｉ）など）に基づいてセットし、ピリオディックＳＲＳに対する送信電力を、ピリオディックＳＲＳを送信するサブフレームが第１のサブフレームセットに属しているか第２のサブフレームセットに属しているかに因らず、第１のサブフレームセットにおけるＰＵＳＣＨでの送信に対する電力制御に関するパラメータに基づいてセットする。すなわち、基地局装置１は、複数のサブフレームセットを指示する情報に基づいて、少なくとも２つのサブフレームセット（複数のサブフレームセット）を端末装置２に対して設定しても良い。なお、電力制御に関するパラメータは、サービングセルｃ毎に独立に設定されてもよい。また、電力制御に関するパラメータは、サブフレームセット毎に独立に設定されてもよい。また、電力制御に関するパラメータは、端末装置２に対して個別に設定されてもよい。
【０１０１】
ＴＰＣコマンドフィールドにセットされた値（またはインデックス）と補正値（または絶対値）は、テーブル管理されており、予め対応付けられている。また、ＴＰＣコマンドによって得られた電力制御調整値は、ＴＰＣコマンドフィールドの値と対応付けられた補正値に基づいて決定される。電力制御調整値の初期値は、０であってもよい。端末装置固有の電力制御パラメータ（ＰＯ＿ＵＥ＿ＰＵＳＣＨ）が変更されるまたは再設定される場合、電力制御調整値の初期値は、０であってもよい。サービングセルｃに対するランダムアクセスレスポンスメッセージを受信した場合、ランダムアクセスの送信電力制御に関するパラメータ（初期送信されるランダムアクセスプリアンブルの電力値、パワーランプアップの総数、パワーランプアップ毎に加算される電力値）およびランダムアクセスレスポンスで指示されたＴＰＣコマンドフィールドにセットされた値に対応する補正値に基づいて電力制御調整値の初期値を決定してもよい。
【０１０２】
ＴＰＣコマンドによって得られる電力制御調整値は、２種類ある。１つは、アキュムレーション（累算、累積）が有効な場合に、ＴＰＣコマンドフィールドにセットされた値に対応する補正値（a correction value）をアキュムレーションすることによって得られ、もう１つは、アキュムレーションが有効でない場合に、ＴＰＣコマンドフィールドにセットされた値に対応する絶対値（an absolute value）によって与えられる。
【０１０３】
複数のサブフレームセットが設定される端末装置２は、下りリンク制御情報フォーマットに含まれるサウンディング参照信号要求（ＳＲＳリクエスト）によって送信が要求されるアピリオディックＳＲＳが、あるサブフレームセットに含まれる上りリンクサブフレームで送信される場合には、あるサブフレームセットに属する上りリンクサブフレームで送信される物理上りリンク共用チャネルに対するパラメータのセット（端末装置２に対する標準電力ＰＯ＿ＰＵＳＣＨ（ＰＯ＿ＮＯＭＩＮＡＬ＿ＰＵＳＣＨとＰＯ＿ＵＥ＿ＰＵＳＣＨの合計）や伝搬路損失補償係数α、ＴＰＣコマンドによって得られる電力制御調整値ｆ（ｉ）など）に基づいてアピリオディックＳＲＳの送信電力をセットし、上位層によって設定されたパラメータに基づいて送信されるピリオディックＳＲＳが複数のサブフレームセットの何れに含まれる上りリンクサブフレームで送信されるかに因らず、特定のサブフレームセットで送信される物理上りリンク共用チャネルに対する電力制御に関するパラメータのセット（端末装置２に対する標準電力ＰＯ＿ＰＵＳＣＨ（ＰＯ＿ＮＯＭＩＮＡＬ＿ＰＵＳＣＨとＰＯ＿ＵＥ＿ＰＵＳＣＨの合計）や伝搬路損失補償係数α、ＴＰＣコマンドによって得られる電力制御調整値ｆ（ｉ）など）に基づいてピリオディック参照信号の送信電力をセットする。この際、ＰＵＳＣＨとアピリオディックＳＲＳ間の電力オフセットＰＳＲＳ＿ＯＦＦＳＥＴ，ｃ（pSRS-OffsetAp）はサブフレームセットに因らず、共通であってもよい。
【０１０４】
端末装置２は、ＰＵＳＣＨに対して電力制御に関するパラメータの設定（セット）が複数設定されない場合には、複数のサブフレームセットが設定されても前述のような処理は行なわなくてもよい。つまり、端末装置２は、ＰＵＳＣＨ、ピリオディックＳＲＳ、アピリオディックＳＲＳが何れのサブフレームセットで送信されるかに因らず、共通の電力制御に関するパラメータに基づいて送信電力をセットする。
【０１０５】
なお、これらＰＵＳＣＨに対する電力制御に関するパラメータのうち、一部のパラメータは、上位層シグナリング（ＲＲＣシグナリング、Ｌ３シグナリング）で通知されてもよい。また、これらＰＵＳＣＨに対する電力制御に関するパラメータのうち、一部のパラメータは、Ｌ１シグナリング（ＤＣＩフォーマット、制御信号、ＰＤＣＣＨ、ＥＰＤＣＣＨ）で通知されてもよい。また、これらＰＵＳＣＨに対する電力制御に関するパラメータのうち、一部のパラメータは、システムインフォメーションで通知されてもよい。
【０１０６】
また、端末装置２に対して、ＰＵＳＣＨの電力制御に関する共有パラメータとして設定されているパラメータが複数セットされ、それぞれの共有パラメータに対して値（value）がセットされる。また、端末装置２に対して、ＰＵＳＣＨに対する電力制御に関する専用パラメータに対して値がセットされていない場合、デフォルト（デフォルト値、デフォルト設定）が予め定義されているパラメータに関しては、デフォルトを用いてもよい。基地局装置１から端末装置２に複数の共有パラメータが通知され、専用パラメータが通知されない場合、専用パラメータは予め定義されたデフォルトを用いてもよい。
【０１０７】
また、第１のサブフレームセットにおけるＰＵＳＣＨでの送信に対する電力制御に関するパラメータは、システムインフォメーションで通知され、第２のサブフレームセットに対応するＰＵＳＣＨに対する電力制御に関するパラメータは、上位層シグナリング（例えば、専用シグナリング）で通知されてもよい。また、第１のサブフレームセットおよび第２のサブフレームセットにおけるＰＵＳＣＨでの送信に対する電力制御に関するパラメータが通知されない場合、端末装置２は、デフォルトが予め定義されているパラメータに関してはそのデフォルト値を用いてＰＵＳＣＨやＳＲＳの送信電力をセットする。つまり、複数のサブフレームセットが設定される端末装置２に対して、サブフレームセットに対応する電力制御に関するパラメータが基地局装置１から通知されなかった場合、各サブフレームセットで送信される物理上りリンクチャネルに対する送信電力は、各パラメータのデフォルトに基づいてセットされる。
【０１０８】
また、プライマリーセルおよびセカンダリーセルを用いて通信を行なう通信システムにおいて、プライマリーセルに対しては、第１のサブフレームセットにおけるＰＵＳＣＨでの送信に対する電力制御に関するパラメータは、システムインフォメーションで通知され、第２のサブフレームセットにおけるＰＵＳＣＨでの送信に対する電力制御に関するパラメータは、上位層シグナリング（例えば、専用シグナリング、ＲＲＣシグナリング）で通知されてもよい。セカンダリーセルに対しては、第１のサブフレームセットおよび第２のサブフレームセットにおけるＰＵＳＣＨでの送信に対する電力制御に関するパラメータはそれぞれ、上位層シグナリング（例えば、専用シグナリング、ＲＲＣシグナリング）で通知されてもよい。なお、複数のサービングセルを用いて通信を行なう通信システムにおいても同様の処理を行なってもよい。
【０１０９】
また、第１の実施形態の基本形態では、端末装置２は、複数のサブフレームセットが設定されるか否かでピリオディックＳＲＳおよびアピリオディックＳＲＳの送信電力のセット方法を切り替えてもよい。つまり、複数のサブフレームセット（サブフレームタイプ、サブフレームサブセット）が設定（構成、セット、定義）されない場合、端末装置２は、ピリオディックＳＲＳの送信電力およびアピリオディックＳＲＳの送信電力をＰＵＳＣＨでの送信に対する電力制御に用いられるパラメータに基づいてセットする。
【０１１０】
また、端末装置２は、複数のサブフレームセットが設定される場合、ピリオディックＳＲＳに対する送信電力を複数のサブフレームセットのうち、何れかのサブフレームセット（例えば、第１のサブフレームセット、第２のサブフレームセット、所定のサブフレームセット、特定のサブフレームセット）に属する上りリンクサブフレームで送信されるＰＵＳＣＨの電力制御に用いられるパラメータに基づいてセットする。
【０１１１】
すなわち、何れかのサブフレームセットは、第１のサブフレームセットまたは第２のサブフレームセットのことであっても良い。また、所定のサブフレームセットは、第１のサブフレームセットまたは第２のサブフレームセットのことであっても良い。また、特定のサブフレームセットは、第１のサブフレームセットまたは第２のサブフレームセットのことであっても良い。
【０１１２】
また、端末装置２は、複数のサブフレームセットが設定される場合、アピリオディックＳＲＳの送信電力を複数のサブフレームセットそれぞれで送信されるＰＵＳＣＨに対する電力制御に用いられるパラメータに基づいてセットする。例えば、第１のサブフレームセットに属する上りリンクサブフレームでアピリオディックＳＲＳが送信される場合、端末装置２は、第１のサブフレームセットで送信されるＰＵＳＣＨに対する電力制御に用いられるパラメータに基づいてアピリオディックＳＲＳに対する送信電力をセットする。また、第２のサブフレームセットに属する上りリンクサブフレームでアピリオディックＳＲＳが送信される場合、端末装置２は、第２のサブフレームセットで送信されるＰＵＳＣＨに対する電力制御に用いられるパラメータに基づいてアピリオディックＳＲＳに対する送信電力をセットする。また、第３のサブフレームセット以降も同様の処理が行なわれる。なお、ＰＵＳＣＨとＳＲＳ間の電力オフセットがサブフレームセット毎に設定される場合には、サブフレームセットに属する上りリンクサブフレームで送信されるＳＲＳの送信電力は、そのＳＲＳが送信される上りリンクサブフレームが属するサブフレームセットに対応する電力オフセットを用いてセットされる。
【０１１３】
図１は、本発明の基地局装置１の構成を示す概略ブロック図である。図示するように、基地局装置１は、上位層処理部１０１、制御部１０３、受信部１０５、送信部１０７、チャネル測定部１０９、および、送受信アンテナ１１１、を含んで構成される。また、受信部１０５は、復号化部１０５１、復調部１０５３、多重分離部１０５５と無線受信部１０５７を含んで構成される。また、基地局装置１の受信処理は、上位層処理部１０１、制御部１０３、受信部１０５、送受信アンテナ１１１で行なわれる。また、送信部１０７は、符号化部１０７１、変調部１０７３、多重部１０７５、無線送信部１０７７と下りリンク参照信号生成部１０７９を含んで構成される。また、基地局装置１の送信処理は、上位層処理部１０１、制御部１０３、送信部１０７、送受信アンテナ１１１で行なわれる。
【０１１４】
上位層処理部１０１は、媒体アクセス制御（MAC: Medium Access Control）層、パケットデータ統合プロトコル（PDCP: Packet Data Convergence Protocol）層、無線リンク制御（RLC: Radio Link Control）層、無線リソース制御（RRC: Radio Resource Control）層の処理を行う。
【０１１５】
上位層処理部１０１は、下りリンクの各チャネルに配置する情報を生成、又は上位ノードから取得し、送信部１０７に出力する。また、上位層処理部１０１は、上りリンクの無線リソースの中から、端末装置２が上りリンクのデータ情報である物理上りリンク共用チャネル（PUSCH: Physical Uplink Shared Channel）を配置する無線リソースを割り当てる。また、上位層処理部１０１は、下りリンクの無線リソースの中から、下りリンクのデータ情報である物理下りリンク共用チャネル（PDSCH: Physical Downlink Shared Channel）を配置する無線リソースを決定する。上位層処理部１０１は、当該無線リソースの割り当てを示す下りリンク制御情報を生成し、送信部１０７を介して、端末装置２に送信する。上位層処理部１０１は、ＰＵＳＣＨを配置する無線リソースを割り当てる際に、チャネル測定部１０９から入力された上りリンクのチャネル測定結果を基に、チャネル品質のよい無線リソースを優先的に割り当てる。つまり、上位層処理部１０１は、ある端末装置またはあるセルに対して各種下りリンク信号の設定および各種上りリンク信号の設定をセットする。また、上位層処理部１０１は、種々の下りリンク信号の設定および種々の上りリンク信号の設定をセル毎にセットしてもよい。また、上位層処理部１０１は、種々の下りリンク信号の設定および種々の上りリンク信号の設定を端末装置２毎にセットしてもよい。また、上位層処理部１０１は、ある端末装置２またはあるセルに対して、つまり、端末装置固有および／またはセル固有に、第１の設定から第ｎの設定（ｎは自然数）をセットし、送信部１０７を介して、端末装置２へ送信してもよい。例えば、下りリンク信号および／または上りリンク信号の設定とは、リソース割り当てに関するパラメータを含んでもよい。また、下りリンク信号および／または上りリンク信号の設定とは、系列算出に使用するパラメータを含んでもよい。なお、これらの無線リソースを時間周波数リソース、サブキャリア、リソースエレメント（RE: Resource Element）、リソースエレメントグループ（REG: Resource Element Group）、制御チャネル要素（CCE: Control Channel Element）、リソースブロック（RB: Resource Block）、リソースブロックグループ（RBG: Resource Block Group）などと呼称される場合もある。
【０１１６】
これらの設定および／または制御に関する情報は情報要素として定義されてもよい。また、これらの設定および／または制御に関する情報はＲＲＣメッセージとして定義されてもよい。また、これらの設定および／または制御に関する情報はシステム情報で端末装置２へ送信されてもよい。また、これらの設定および／または制御に関する情報は専用シグナリング（個別シグナリング）で端末装置２へ送信されてもよい。
【０１１７】
また、上位層処理部１０１は、システムインフォメーションブロックタイプ１に少なくとも１つのＴＤＤ  ＵＬ／ＤＬ設定（TDD UL/DL configuration(s), TDD config, tdd-Config, uplink-downlink configuration(s)）をセットする。ＴＤＤ  ＵＬ／ＤＬ設定は、図３のように定義されてもよい。図３は、１０サブフレームでの下りリンクサブフレーム、スペシャルサブフレーム、上りリンクサブフレームの構成例を示している。ＴＤＤ  ＵＬ／ＤＬ設定は、複数のパターンが用意されており、１つのＴＤＤ  ＵＬ／ＤＬ設定は、１つのインデックスと対応付けられている。基地局装置１は、端末装置２に対して、そのインデックスを通知することによって、そのインデックスに対応付けられたＴＤＤ  ＵＬ／ＤＬ設定を用いて通信を行なうことを指示してもよい。さらに、下りリンク参照として、第２のＴＤＤ  ＵＬ／ＤＬ設定をセットしてもよい。また、システムインフォメーションブロックは複数のタイプを用意してもよい。例えば、システムインフォメーションブロックタイプ１には、ＴＤＤ  ＵＬ／ＤＬ設定に関する情報要素が含まれる。また、システムインフォメーションブロックタイプ２には、無線リソース制御に関する情報要素が含まれる。なお、ある情報要素の中に、その情報要素に係るパラメータが情報要素として含まれてもよい。例えば、物理層では、パラメータと呼称されるものが、上位層では、情報要素として定義されてもよい。また、情報要素の一部がパラメータと呼称されてもよい。また、複数の種類のパラメータを一纏め（一括り、一覧）にしたものを情報要素と呼称してもよい。
【０１１８】
なお、本発明では、identity, identifier, identificationをＩＤ（識別子、識別符号、識別番号）と呼称する。端末固有に設定されるＩＤ（ＵＥＩＤ）には、Ｃ−ＲＮＴＩ（Cell Radio Network Temporary Identifier），ＳＰＳ  Ｃ−ＲＮＴＩ（Semi-persistentScheduling C-RNTI），Ｔｅｍｐｏｒａｒｙ  Ｃ−ＲＮＴＩ，ＴＰＣ−ＰＵＳＣＨ  ＲＮＴＩ，ＴＰＣ−ＰＵＣＣＨ  ＲＮＴＩ、コンテンションレゾリューションのためのランダム値がある。これらのＩＤは、セル単位で使用される。これらのＩＤは、上位層処理部１０１によってセットされる。また、上位層処理部１０１は、端末装置２に対して種々の識別子をセットし、送信部１０７を介して、端末装置２へ通知する。例えば、ＲＮＴＩを設定し、端末装置２へ通知する。また、物理セルＩＤまたは仮想セルＩＤまたは仮想セルＩＤに相当するＩＤをセットし、通知する。例えば、仮想セルＩＤに相当するＩＤとして、物理チャネル固有に設定可能なＩＤ（ＰＵＳＣＨ  ＩＤ，ＰＵＣＣＨ  ＩＤ，スクランブリング初期化ＩＤ，参照信号ＩＤ（ＲＳＩＤ）など）がある。物理セルＩＤや仮想セルＩＤは物理チャネルおよび物理信号の系列生成に用いられる。
【０１１９】
上位層処理部１０１は、端末装置２から物理上りリンク制御チャネル（PUCCH: Physical Uplink Control Channel）で通知された上りリンク制御情報（UCI: Uplink Control Information）、および端末装置２から通知されたバッファの状況や上位層処理部１０１が設定した端末装置２各々の各種設定情報（ＲＲＣメッセージ、システムインフォメーション、パラメータ、情報要素）に基づき、受信部１０５および送信部１０７の制御を行うために制御情報を生成し、制御部１０３に出力する。なお、ＵＣＩには、ＡＣＫ／ＮＡＣＫ、スケジューリング要求（SR: Scheduling Request）、チャネル状態情報（CSI: ChannelState Information）のうち少なくとも一つが含まれる。なお、ＣＳＩには、ＣＱＩ，ＰＭＩ，ＲＩのうち少なくとも一つが含まれる。
【０１２０】
上位層処理部１０１は、上りリンク信号（ＰＲＡＣＨ、ＰＵＣＣＨ、ＰＵＳＣＨ、ＵＬ  ＤＭＲＳ、Ｐ−ＳＲＳ、およびＡ−ＳＲＳ）の送信電力および送信電力に関するパラメータを設定する。また、上位層処理部１０１は、下りリンク信号（ＣＲＳ、ＤＬ  ＤＭＲＳ、ＣＳＩ−ＲＳ、ＰＤＳＣＨ、ＰＤＣＣＨ／ＥＰＤＣＣＨなど）の送信電力および送信電力に関するパラメータを、送信部１０７を介して、端末装置２に送信する。つまり、上位層処理部１０１は、上りリンクの電力制御に関する情報および下りリンクの電力制御に関する情報を、送信部１０７を介して、端末装置２に送信する。言い換えると、上位層処理部１０１は、基地局装置１および端末装置２の電力制御に関するパラメータの設定をセットする。例えば、上位層処理部１０１は、基地局装置１の送信電力に関するパラメータ（下りリンク電力制御に関するパラメータ）を端末装置２に通知する。また、上位層処理部１０１は、端末装置２の最大送信電力に関するパラメータを端末装置２に通知する。また、上位層処理部１０１は、種々の物理チャネルの電力制御に関する情報を端末装置２に通知する。また、上位層処理部１０１は、隣接する基地局装置からの干渉量を示す情報、隣接する基地局装置から通知された隣接する基地局装置１に与えている干渉量を示す情報、またチャネル測定部１０９から入力されたチャネルの品質などに応じて、ＰＵＳＣＨなどが所定のチャネル品質を満たすよう、また隣接する基地局装置１への干渉を考慮し、端末装置２の送信電力をセットする。また、上位層処理部１０１は、これらの設定を示す情報を、送信部１０７を介して、端末装置２に送信する。
【０１２１】
具体的には、上位層処理部１０１は、端末装置２間で共有する情報（上りリンク電力制御に関する共有パラメータ）または端末装置２間で共通なパラメータとして、ＰＵＳＣＨとＰＵＣＣＨそれぞれに対する標準電力（ＰＯ＿ＮＯＭＩＮＡＬ＿ＰＵＳＣＨ（p0-NominalPUSCH），ＰＯ＿ＮＯＭＩＮＡＬ＿ＰＵＣＣＨ（p0-NominalPUCCH））、伝搬路損失補償係数（減衰係数）αｃ（alpha）、メッセージ３用の電力オフセット（deltaPreambleMsg3）、ＰＵＣＣＨフォーマット毎に規定される電力オフセット（deltaFList-PUCCH）などをシステムインフォメーションで送信する。その際、ＰＵＣＣＨフォーマット３の電力オフセット（deltaF-PUCCH-Format3）およびデルタＰＵＣＣＨフォーマット１ｂＣＳの電力オフセット（deltaF-PUCCH-Format1bCS）を追加して通知してもよい。また、これらのパラメータは、ＲＲＣメッセージ（上位層シグナリング、dedicated signaling）で通知されてもよい。
【０１２２】
また、上位層処理部１０１は、端末装置２毎に設定可能なパラメータ（上りリンク電力制御に関する専用パラメータ）として、端末装置固有ＰＵＳＣＨ電力Ｐ０＿ＵＥ＿ＰＵＳＣＨ（p0-UE-PUSCH）、デルタＭＣＳ有効Ｋｓ（deltaMCS-Enabled）、アキュムレーション有効（accumulationEnabled）、端末装置固有ＰＵＣＣＨ電力（p0-UE-PUCCH）、Ｐ−ＳＲＳ電力オフセット（pSRS-Offset）、フィルタ係数（filterCoefficient）をＲＲＣメッセージで通知する。その際、各ＰＵＣＣＨフォーマットにおける送信ダイバーシチの電力オフセット（deltaTxD-OffsetListPUCCH）、Ａ−ＳＲＳ電力オフセット（pSRS-OffsetAp）を通知してもよい。デルタＭＣＳ有効は、デルタＭＣＳが有効か否かを指示するパラメータ（情報）である。デルタＭＣＳが有効な場合、Ｋｓ＝１．２５とし、デルタＭＣＳが有効ではない場合、Ｋｓ＝０として処理を行なう。アキュムレーション有効は、ＴＰＣコマンドのアキュムレーション（累算、累積）が有効か否かを指示するパラメータ（情報）である。アキュムレーションが有効な場合、端末装置２は、ＴＰＣコマンドフィールドにセットされた値に対応する補正値のアキュムレーション（累算処理）によって得られた電力制御調整値に基づいて送信電力をセットする。また、アキュムレーションが有効ではない場合、端末装置２は、１つのＴＰＣコマンドフィールドにセットされた値に対応する絶対値によって与えられた電力制御調整値に基づいて送信電力をセットする。
【０１２３】
なお、ここで述べるαｃとはパスロス値と共に送信電力をセットするために用いられる。また、αｃはパスロスを補償する度合いを表す係数、言い換えるとパスロスに応じてどの程度送信電力を増減させるか（つまり、どの程度送信電力を補償するか）を決定する係数（減衰係数、伝搬路損失補償係数）である。αｃは通常０から１の値をとり、０であればパスロスに応じた電力の補償は行なわず、１であればパスロスの影響が基地局装置１において生じないよう端末装置２の送信電力を補償する。これらの情報は、再設定情報として端末装置２へ送信されてもよい。
【０１２４】
また、上位層処理部１０１は、ランダムアクセスチャネルに対する電力制御に関するパラメータ（グループＢの電力オフセット（messagePowerOffsetGroupB）、パワーランピングステップ（powerRampingStep）、プリアンブルの初期受信目標電力（preambleInitialReceivedTargetPower））を通知してもよい。
【０１２５】
また、上位層処理部１０１は、下りリンク電力制御に関するパラメータとして、ＰＤＳＣＨと非ゼロパワーＣＳＩ−ＲＳの電力比（p-C）、基地局装置１（または基地局装置１から送信されるＣＲＳ）の参照信号電力（referenceSignalPower）、ＣＲＳが存在しないサブフレームにおけるＰＤＳＣＨとＣＲＳの電力比の算出に用いられるＰＡ（p-a）、ＣＲＳが存在しないサブフレームにおけるＰＤＳＣＨとＣＲＳの電力比とＣＲＳが存在するサブフレームにおけるＰＤＳＣＨとＣＲＳの電力比との比率を表すインデックスＰＢ（p-b）、ＰＤＳＣＨとＣＲＳの電力比の電力シフトΔｏｆｆｓｅｔ（nomPDSCH-RS-EPRE-Offset）を通知してもよい。
【０１２６】
また、上位層処理部１０１は、キャリア周波数（セル、コンポーネントキャリア）における端末装置２の最大送信電力を制限するパラメータ（P-Max）をシステムインフォメーション（例えば、ＳＩＢ１）で通知してもよい。これらのパラメータの一部は、上位層シグナリングで通知されてもよい。これら電力制御に関するパラメータの設定は、サービングセル毎にセットされてもよい。これら電力制御に関するパラメータの設定は、サブフレームセット毎にセットされてもよい。基地局装置１の参照信号電力は、基地局装置１の送信電力と呼称してもよい。
【０１２７】
また、上位層処理部１０１は、端末装置２毎に下りリンク信号／上りリンク信号の送信電力または送信電力に関するパラメータをセットしてもよい。また、上位層処理部１０１は、端末装置２間で共通の下りリンク／上りリンク信号の送信電力または送信電力に関するパラメータを設定してもよい。これらのパラメータに関する情報は上りリンク電力制御に関する情報および／または下りリンク電力制御に関する情報として端末装置２へ送信されてもよい。
【０１２８】
上位層処理部１０１は、種々の物理チャネル／物理信号に係る種々のＩＤの設定を行ない、制御部１０３を介して、受信部１０５および送信部１０７へＩＤの設定に関する情報を出力する。例えば、上位層処理部１０１は、下りリンク制御情報フォーマットに付加されるＣＲＣをスクランブルするＲＮＴＩ（ＵＥＩＤ）の値を設定する。また、上位層処理部１０１は、Ｃ−ＲＮＴＩ（Cell Radio Network Temporary Identifier），Ｔｅｍｐｏｒａｒｙ  Ｃ−ＲＮＴＩ，Ｐ−ＲＮＴＩ（Paging-RNTI），ＲＡ−ＲＮＴＩ（Random Access-RNTI），ＳＰＳ  Ｃ−ＲＮＴＩ（Semi-Persistent Scheduling C-RNTI）などの種々の識別子の値を設定してもよい。また、上位層処理部１０１は、物理セルＩＤや仮想セルＩＤ、スクランブル初期化ＩＤなどのＩＤの値を設定する。これらの設定情報は、制御部１０３を介して、各処理部へ出力される。また、これらの設定情報は、ＲＲＣメッセージやシステムインフォメーション、端末装置固有の専用情報、情報要素として端末装置２へ送信されてもよい。また、一部のＲＮＴＩはＭＡＣ  ＣＥ（Control Element）を用いて送信されてもよい。
【０１２９】
ＭＡＣ  ＣＥはＰＤＳＣＨを介して送信される。ＭＡＣ  ＣＥは、ＭＡＣ層において処理される情報／信号である。
【０１３０】
制御部１０３は、上位層処理部１０１からの制御情報に基づいて、受信部１０５、および送信部１０７の制御を行う制御信号を生成する。制御部１０３は、生成した制御信号を受信部１０５、および送信部１０７に出力して受信部１０５、および送信部１０７の制御を行なう。
【０１３１】
受信部１０５は、制御部１０３から入力された制御信号に従って、送受信アンテナ１１１を介して端末装置２から受信した受信信号を分離、復調、復号し、復号した情報を上位層処理部１０１に出力する。無線受信部１０５７は、送受信アンテナ１１１を介して受信した上りリンクの信号を、中間周波数（IF: Intermediate Frequency）に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（GI: Guard Interval）に相当する部分を除去する。無線受信部１０５７は、ガードインターバルを除去した信号に対して高速フーリエ変換（FFT: Fast Fourier Transform）を行い、周波数領域の信号を抽出し多重分離部１０５５に出力する。
【０１３２】
多重分離部１０５５は、無線受信部１０５７から入力された信号をＰＵＣＣＨ、ＰＵＳＣＨ、ＵＬ  ＤＭＲＳ、ＳＲＳなどの信号に、それぞれ分離する。尚、この分離は、予め基地局装置１が決定して各端末装置２に通知した無線リソースの割り当て情報に基づいて行われる。また、多重分離部１０５５は、チャネル測定部１０９から入力された伝搬路の推定値から、ＰＵＣＣＨとＰＵＳＣＨの伝搬路の補償を行なう。また、多重分離部１０５５は、分離したＵＬ  ＤＭＲＳおよびＳＲＳをチャネル測定部１０９に出力する。
【０１３３】
復調部１０５３は、ＰＵＳＣＨを逆離散フーリエ変換（IDFT: Inverse Discrete Fourier Transform）し、変調シンボルを取得し、ＰＵＣＣＨとＰＵＳＣＨの変調シンボルそれぞれに対して、２位相偏移変調（BPSK: Binary Phase Shift Keying）、４相位相偏移変調（QPSK: Quadrature Phase Shift Keying）、１６値直交振幅変調（16QAM: 16 Quadrature Amplitude Modulation）、６４値直交振幅変調（64QAM: 64 Quadrature Amplitude Modulation）等の予め定められた、または基地局装置１が端末装置２各々に下りリンク制御情報で予め通知した変調方式を用いて受信信号の復調を行なう。
【０１３４】
復号化部１０５１は、復調したＰＵＣＣＨとＰＵＳＣＨの符号化ビットを、予め定められた符号化方式の、予め定められた、又は基地局装置１が端末装置２に上りリンクグラント（UL grant）で予め通知した符号化率で復号を行ない、復号したデータ情報と、上りリンク制御情報を上位層処理部１０１へ出力する。
【０１３５】
チャネル測定部１０９は、多重分離部１０５５から入力された上りリンク復調参照信号ＵＬ  ＤＭＲＳとＳＲＳから伝搬路の推定値、チャネルの品質などを測定し、多重分離部１０５５および上位層処理部１０１に出力する。また、チャネル測定部１０９は、第１の信号から第ｎの信号の受信電力および／または受信品質を測定し、多重分離部１０５５および上位層処理部１０１に出力する。
【０１３６】
送信部１０７は、制御部１０３から入力された制御信号に従って、下りリンクの参照信号（下りリンク参照信号）を生成し、上位層処理部１０１から入力されたデータ情報、下りリンク制御情報を符号化、および変調し、ＰＤＣＣＨ（ＥＰＤＣＣＨ）、ＰＤＳＣＨ、および下りリンク参照信号を多重して、送受信アンテナ１１１を介して端末装置２に下りリンク信号を送信する。
【０１３７】
符号化部１０７１は、上位層処理部１０１から入力された下りリンク制御情報、およびデータ情報を、ターボ符号化、畳み込み符号化、ブロック符号化等の符号化を行う。変調部１０７３は、符号化ビットをＱＰＳＫ、１６ＱＡＭ、６４ＱＡＭ等の変調方式で変調する。下りリンク参照信号生成部１０７９は、基地局装置１を識別するためのセル識別子（Cell ID, Cell Identity, Cell Identifier, Cell Identification）などを基に予め定められた規則で求まる、端末装置２が既知の系列で下りリンク参照信号として生成する。多重部１０７５は、変調した各チャネルと生成した下りリンク参照信号を多重する。
【０１３８】
無線送信部１０７７は、多重した変調シンボルを逆高速フーリエ変換（IFFT: Inverse Fast Fourier Transform）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ１１１に出力して送信する。
【０１３９】
図２は、本実施形態に係る端末装置２の構成を示す概略ブロック図である。図示するように、端末装置２は、上位層処理部２０１、制御部２０３、受信部２０５、送信部２０７、チャネル測定部２０９、および、送受信アンテナ２１１、を含んで構成される。また、受信部２０５は、復号化部２０５１、復調部２０５３、多重分離部２０５５と無線受信部２０５７を含んで構成される。端末局装置２の受信処理は、上位層処理部２０１、制御部２０３、受信部２０５、送受信アンテナ２１１で行なわれる。また、送信部２０７は、符号化部２０７１、変調部２０７３、多重部２０７５と無線送信部２０７７を含んで構成される。また、端末装置２の送信処理は、上位層処理部２０１、制御部２０３、送信部２０７、送受信アンテナ２１１で行なわれる。
【０１４０】
上位層処理部２０１は、ユーザの操作等により生成された上りリンクのデータ情報を、送信部に出力する。また、上位層処理部２０１は、媒体アクセス制御（MAC: Medium Access Control）層、パケットデータ統合プロトコル（PDCP: Packet Data Convergence Protocol）層、無線リンク制御（RLC: Radio Link Control）層、無線リソース制御（RRC: Radio Resource Control）層の処理を行う。
【０１４１】
上位層処理部２０１は、自局の各種設定情報の管理を行なう。また、上位層処理部２０１は、上りリンクの各チャネルに配置する情報を生成し、送信部２０７に出力する。上位層処理部２０１は、基地局装置１からＰＤＣＣＨで通知された下りリンク制御情報、およびＰＤＳＣＨで通知された無線リソース制御情報で設定された上位層処理部２０１が管理する自局の各種設定情報に基づき、受信部２０５、および送信部２０７の制御を行うための制御情報を生成し、制御部２０３に出力する。また、上位層処理部２０１は、基地局装置１から通知された第１の設定に関する情報から第ｎの設定に関する情報に基づいて、各信号の種々のパラメータ（情報要素、ＲＲＣメッセージ）をセットする。また、それらのセットした情報を生成し、制御部２０３を介して、送信部２０７に出力する。
【０１４２】
上位層処理部２０１は、基地局装置１が報知しているＳＲＳを送信するための無線リソースを予約するサブフレームであるサウンディングサブフレーム（ＳＲＳサブフレーム、ＳＲＳ送信サブフレーム）、およびサウンディングサブフレーム内でＳＲＳを送信するために予約する無線リソースの帯域幅を示す情報、および、基地局装置１が端末装置２に通知したピリオディックＳＲＳを送信するサブフレームと、周波数帯域と、ピリオディックＳＲＳのＣＡＺＡＣ系列に用いるサイクリックシフトの量と、を示す情報、および、基地局装置１が端末装置２に通知したアピリオディックＳＲＳを送信する周波数帯域と、アピリオディックＳＲＳのＣＡＺＡＣ系列に用いるサイクリックシフトの量と、を示す情報を受信部２０５から取得する。
【０１４３】
上位層処理部２０１は、基地局装置１から通知された上りリンク参照信号の設定に関する情報に基づいて上りリンク参照信号の生成等を行なうように制御部２０３を介して送信部２０７に指示情報を出力する。つまり、参照信号制御部２０１３は、制御部２０３を介して、上りリンク参照信号の設定に関する情報を上りリンク参照信号生成部２０７９へ出力する。
【０１４４】
制御部２０３は、上位層処理部２０１からの制御情報に基づいて、受信部２０５、および送信部２０７の制御を行う制御信号を生成する。制御部２０３は、生成した制御信号を受信部２０５および送信部２０７に出力して、受信部２０５および送信部２０７の制御を行なう。
【０１４５】
送信部２０７は、制御部２０３から入力された制御信号（制御情報）に従って、上りリンク復調参照信号（ＵＬ  ＤＭＲＳ）および／またはサウンディング参照信号（ＳＲＳ）を生成し、上位層処理部２０１から入力されたデータ情報を符号化および変調し、ＰＵＣＣＨ、ＰＵＳＣＨ、および生成したＵＬ  ＤＭＲＳおよび／またはＳＲＳを多重し、ＰＵＣＣＨ、ＰＵＳＣＨ、ＵＬ  ＤＭＲＳ、およびＳＲＳの送信電力を調整し、送受信アンテナ２１１を介して基地局装置１に送信する。また、送信部２０７は、上位層処理部２０１から測定結果に関する情報が出力された場合、送受信アンテナ２１１を介して基地局装置１に送信する。また、送信部２０７は、上位層処理部２０１からチャネル評価に関する結果であるチャネル状態情報が出力された場合、そのチャネル状態情報を基地局装置１へフィードバックする。つまり、上位層処理部２０１は、チャネル測定部２０９から通知された測定結果に基づいてチャネル状態情報（ＣＳＩ、ＣＱＩ、ＰＭＩ、ＲＩ）を生成し、制御部２０３を介して基地局装置１へフィードバックする。送信部２０７は、受信部２０５において、所定のグラント（または所定の下りリンク制御情報フォーマット）が検出されると、所定のグラントに対応する上りリンク信号はグラントを検出したサブフレームから所定のサブフレーム以降の最初の上りリンクサブフレームで送信される。例えば、受信部２０５において、サブフレームｉでグラントを検出すると、送信部２０７は、サブフレームｉ＋ｋ以降の最初の上りリンクサブフレームで上りリンク信号を送信する。ここで、ｋは所定の値であってもよい。また、ｋはテーブルによって管理されてもよい。
【０１４６】
また、受信部２０５において、サブフレームｉでグラントに含まれるＳＲＳリクエストを検出すると、送信部２０７は、サブフレームｉ＋ｋ（ｋは所定の値）以降の最初のＳＲＳサブフレーム（Ａ−ＳＲＳに対して設定される送信サブフレーム）でＡ−ＳＲＳを送信する。ここで、Ａ−ＳＲＳは、サブフレームｉ＋ｋを満たす最初のＳＲＳサブフレームが第３の設定を用いて上りリンクサブフレームと指示されている場合には、送信されてもよい。また、ＳＲＳサブフレームに関する情報は、上位層によって通知される。ＳＲＳサブフレームは、サブフレーム周期とサブフレームオフセットで設定される。ＳＲＳサブフレームは、セル固有のパラメータと端末装置固有のパラメータに基づいて、設定される。
【０１４７】
送信部２０７は、セル固有のＳＲＳサブフレームでＰＵＳＣＨまたはＰＵＣＣＨでの送信を行なう場合、ＰＵＳＣＨまたはＰＵＣＣＨでの送信に割り当てられるシンボルがＳＲＳが割り当てられるシンボルと重複しないようにＰＵＳＣＨまたはＰＵＣＣＨに対するリソース割り当てを行なう。
【０１４８】
また、送信部２０７は、上りリンク信号の送信サブフレームがサブフレームｉである場合、サブフレームｉ−ｋで受信した送信電力制御コマンドを用いて上りリンク信号の送信電力を設定する。ここで、ｋは所定の値であってもよい。また、ｋはテーブルによって管理されてもよい。また、ｋは送信サブフレームと関連付けられてもよい。
【０１４９】
送信部２０７は、受信部２０５において第１の設定に関する情報または第２の設定に関する情報のうち、何れか一方を受信し、第１の設定または第２の設定のうち、何れか一方がセットされる場合には、Ｐ−ＳＲＳおよびＡ−ＳＲＳの送信電力をＰＵＳＣＨに対する電力制御に関するパラメータに基づいてセットする。送信部２０７は、受信部２０５において第１の設定に関する情報および第２の設定に関する情報を受信し、第１の設定および第２の設定がセットされ、複数のサブフレームセットが設定される場合には、Ｐ−ＳＲＳの送信電力を第１のサブフレームセットまたは第２のサブフレームセットで送信されるＰＵＳＣＨの電力制御パラメータに基づいてセットする。送信部２０７は、受信部２０５において第１の設定に関する情報および第２の設定に関する情報を受信し、第１の設定および第２の設定がセットされ、複数のサブフレームセットが設定され、Ａ−ＳＲＳを送信するサブフレームが第１のサブフレームセットに属する場合には、Ａ−ＳＲＳの送信電力を第１のサブフレームセットで送信されるＰＵＳＣＨに対する電力制御に関するパラメータに基づいてセットする。送信部２０７は、受信部２０５において第１の設定に関する情報および第２の設定に関する情報を受信し、第１の設定および第２の設定がセットされ、複数のサブフレームセットが設定され、第２のサブフレームセットで送信される場合には、Ａ−ＳＲＳの送信電力を第２のサブフレームセットで送信されるＰＵＳＣＨに対する電力制御に関するパラメータに基づいてセットし、Ａ−ＳＲＳを送信する。
【０１５０】
また、送信部２０７は、条件に応じて、適宜、サービングセルｃに対して端末装置２の最大送信電力ＰＣＭＡＸ，ｃ（the configured UE transmit power, the configured maximum output power）を設定する。上位層処理部２０１は、上りリンク信号の送信電力を電力制御に関するパラメータの設定に基づいてセットする。送信部２０７は、上りリンク信号の送信電力が最大送信電力を超える場合には、端末装置２の最大送信電力ＰＣＭＡＸ，ｃで上りリンク信号を送信する。つまり、送信部２０７は、算出した送信電力と最大送信電力を比較し、算出した送信電力が最大送信電力より低ければ、算出した送信電力で上りリンク信号を送信し、算出した送信電力が最大送信電力より高ければ、最大送信電力で上りリンク信号を送信する。
【０１５１】
また、送信部２０７は、あるサービングセル（例えば、サービングセルｃ）およびあるサブフレーム（例えば、サブフレームｉ）において、上りリンク参照信号の送信電力と物理上りリンク共用チャネルの送信電力の合計が端末装置２に設定される総最大出力電力ＰＣＭＡＸ（UE total configured maximum output power）を超える場合、物理上りリンク共用チャネルを送信する。
【０１５２】
また、送信部２０７は、あるサービングセルおよびあるサブフレームにおいて、上りリンク参照信号の送信電力と物理上りリンク制御チャネルの送信電力の合計が端末装置２に設定される総最大出力電力ＰＣＭＡＸ（UE total configured maximum output power）を超える場合、物理上りリンク制御チャネルを送信する。
【０１５３】
また、送信部２０７は、複数のサービングセルで同時に通信を行なう場合、総最大出力電力ＰＣＭＡＸを超えないように各サービングセルで送信される上りリンク信号の送信電力を制御する。
【０１５４】
また、送信部２０７は、同じタイミング（例えば、サブフレーム、ＳＣ−ＦＤＭＡシンボル）で複数の物理チャネルの送信が生じる場合、種々の物理チャネルの優先度に応じて、種々の物理チャネルの送信電力を制御したり、種々の物理チャネルの送信を制御したりすることもできる。
【０１５５】
また、送信部２０７は、複数のサービングセルまたは複数のサービングセルそれぞれに対応する複数のコンポーネントキャリアを用いるキャリアアグリゲーションを行なう場合、物理チャネルの優先度に応じて、種々の物理チャネルの送信電力を制御したり、種々の物理チャネルの送信を制御したりすることもできる。
【０１５６】
また、送信部２０７は、セルの優先度に応じて、該セルから送信される種々の物理チャネルの送信制御を行なってもよい。
【０１５７】
また、送信部２０７は、上位層処理部２０１から入力された情報に従ってＳＲＳ送信の制御を行なう。具体的には、上位層処理部２０１は、前記ピリオディックＳＲＳに関する情報に従ってピリオディックＳＲＳを１回または周期的に送信するよう送信部２０７を制御する。また、送信部２０７は、受信部２０５から入力されたＳＲＳリクエスト（ＳＲＳインディケータ）においてアピリオディックＳＲＳの送信を要求された場合、アピリオディックＳＲＳに関する情報に従ってアピリオディックＳＲＳを予め定められた回数（例えば、１回）だけ送信する。
【０１５８】
また、送信部２０７は、基地局装置１から送信される種々の上りリンク信号の送信電力制御に関する情報（送信電力制御に関するパラメータ）に基づいて、ＰＲＡＣＨ、ＰＵＣＣＨ、ＰＵＳＣＨ、ピリオディックＳＲＳ、およびアピリオディックＳＲＳの送信電力の制御を行なう。具体的には、送信部２０７は、受信部２０５から取得した種々の上りリンク電力制御に関する情報に基づいて種々の上りリンク信号の送信電力を設定する。例えば、ＳＲＳの送信電力は、Ｐ０＿ＰＵＳＣＨ、αｃ、ピリオディックＳＲＳ用の電力オフセットＰＳＲＳ＿ＯＦＦＳＥＴ（０）（第１の電力オフセット（pSRS-Offset））、アピリオディックＳＲＳ用の電力オフセットＰＳＲＳ＿ＯＦＦＳＥＴ（１）（第２の電力オフセット（pSRS-OffsetAp））、およびＰＵＳＣＨに対するＴＰＣコマンドに基づいて制御される。つまり、ＳＲＳの送信電力は、ＰＵＳＣＨの電力制御に用いられるパラメータに基づいてセットされる。なお、送信部２０７は、ＰＳＲＳ＿ＯＦＦＳＥＴに対してピリオディックＳＲＳかアピリオディックＳＲＳかに応じて第１の電力オフセットか第２の電力オフセットかを切り替える。
【０１５９】
また、送信部２０７は、ピリオディックＳＲＳおよび／またはアピリオディックＳＲＳに対して第３の電力オフセットが設定されている場合、第３の電力オフセットに基づいて送信電力をセットする。
【０１６０】
なお、第３の電力オフセットは、第１の電力オフセットや第２の電力オフセットよりも広い範囲で値が設定されてもよい。第３の電力オフセットは、ピリオディックＳＲＳおよびアピリオディックＳＲＳそれぞれに対して設定されてもよい。つまり、上りリンク電力制御に関する情報とは、種々の上りリンク物理チャネルの送信電力の制御に係るパラメータ（情報要素、ＲＲＣメッセージ）のことである。これらの情報の一部は、システムインフォメーションで送信されてもよい。また、これらの情報の一部は、上位層シグナリングで送信されてもよい。これらの情報の一部は、物理チャネル／物理信号で送信されてもよい。
【０１６１】
受信部２０５は、制御部２０３から入力された制御信号に従って、送受信アンテナ２１１を介して基地局装置１から受信した受信信号を、分離、復調、復号し、復号した情報を上位層処理部２０１に出力する。
【０１６２】
受信部２０５は、第１の設定に関する情報および／または第２の設定に関する情報を受信するか否かによって、適切な受信処理を行なう。例えば、第１の設定に関する情報または第２の設定に関する情報のうち、何れか一方を受信している場合には、受信した下りリンク制御情報フォーマットから第１の制御情報フィールドを検出し、第１の設定に関する情報および第２の設定に関する情報を受信している場合には、受信した下りリンク制御情報フォーマットから第２の制御情報フィールドを検出する。
【０１６３】
無線受信部２０５７は、各受信アンテナを介して受信した下りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０５７は、変換したディジタル信号からガードインターバルに相当する部分を除去し、ガードインターバルを除去した信号に対して高速フーリエ変換を行い、周波数領域の信号を抽出する。
【０１６４】
多重分離部２０５５は、抽出した信号を物理下りリンク制御チャネル（PDCCH: Physical Downlink Control Channel）、ＰＤＳＣＨ、および下りリンク参照信号（DRS: Downlink Reference Signal）に、それぞれ分離する。なお、この分離は、下りリンク制御情報で通知された無線リソースの割り当て情報などに基づいて行われる。また、多重分離部２０５５は、チャネル測定部２０９から入力された伝搬路の推定値から、ＰＤＣＣＨとＰＤＳＣＨの伝搬路の補償を行なう。また、多重分離部２０５５は、分離した下りリンク参照信号をチャネル測定部２０９に出力する。
【０１６５】
復調部２０５３は、ＰＤＣＣＨに対して、ＱＰＳＫ変調方式の復調を行ない、復号化部２０５１へ出力する。復号化部２０５１は、ＰＤＣＣＨの復号を試み、復号に成功した場合、復号した下りリンク制御情報を上位層処理部２０１に出力する。復調部２０５３は、ＰＤＳＣＨに対して、ＱＰＳＫ、１６ＱＡＭ、６４ＱＡＭ等の下りリンク制御情報で通知された変調方式の復調を行ない、復号化部２０５１へ出力する。復号化部２０５１は、下りリンク制御情報で通知された符号化率に対する復号を行い、復号したデータ情報を上位層処理部２０１へ出力する。
【０１６６】
チャネル測定部２０９は、多重分離部２０５５から入力された下りリンク参照信号から下りリンクのパスロスを測定し、測定したパスロスを上位層処理部２０１へ出力する。また、チャネル測定部２０９は、下りリンク参照信号から下りリンクの伝搬路の推定値を算出し、多重分離部２０５５へ出力する。また、チャネル測定部２０９は、参照信号制御部２０１３から制御部２０３を介して通知された測定に関する種々の情報、測定報告に関する種々の情報に従って、第１の信号および／または第２の信号の受信電力測定や受信品質測定を行なう。その結果を上位層処理部２０１に出力する。また、チャネル測定部２０９は、第１の信号および／または第２の信号のチャネル評価を行なうことを指示された場合、それぞれの信号のチャネル評価に関する結果を上位層処理部２０１に出力してもよい。ここで、第１の信号や第２の信号は、参照信号（パイロット信号、パイロットチャネル、基準信号）であり、第１の信号や第２の信号の他に第３の信号や第４の信号があってもよい。つまり、チャネル測定部２０９は、１つ以上の信号のチャネルを測定する。また、チャネル測定部２０９は、上位層処理部２０１から、制御部２０３を介して、通知された制御情報に従って、チャネル測定を行なう信号を設定する。
【０１６７】
符号化部２０７１は、上位層処理部２０１から入力された上りリンク制御情報、およびデータ情報を、ターボ符号化、畳み込み符号化、ブロック符号化等の符号化を行う。変調部２０７３は、符号化部２０７１から入力された符号化ビットをＢＰＳＫ、ＱＰＳＫ、１６ＱＡＭ、６４ＱＡＭ等の変調方式で変調する。
【０１６８】
上りリンク参照信号生成部２０７９は、上りリンク参照信号の設定に関する情報に基づいて上りリンク参照信号を生成する。つまり、上りリンク参照信号生成部２０７９は、基地局装置１を識別するためのセル識別子、上りリンク復調参照信号、第１の上りリンク参照信号、第２の上りリンク参照信号を配置する帯域幅などを基に予め定められた規則で求まる、基地局装置１が既知のＣＡＺＡＣ系列を生成する。また、上りリンク参照信号生成部２０７９は、制御部２０３から入力された制御信号に従って、生成した上りリンク復調参照信号、第１の上りリンク参照信号、第２の上りリンク参照信号のＣＡＺＡＣ系列にサイクリックシフトを与える。
【０１６９】
上りリンク参照信号生成部２０７９は、上りリンク復調参照信号および／またはサウンディング参照信号、上りリンク参照信号の基準系列を所定のパラメータに基づいて初期化してもよい。所定のパラメータは各参照信号で同じパラメータであってもよい。また、所定のパラメータは各参照信号に独立に設定されたパラメータであってもよい。つまり、上りリンク参照信号生成部２０７９は、独立に設定されたパラメータがなければ、同じパラメータで各参照信号の基準系列を初期化することができる。
【０１７０】
多重部２０７５は、制御部２０３から入力された制御信号に従って、ＰＵＳＣＨの変調シンボルを並列に並び替えてから離散フーリエ変換（DFT: Discrete Fourier Transform）し、ＰＵＣＣＨとＰＵＳＣＨの信号と生成したＵＬ  ＤＭＲＳおよびＳＲＳを多重する。
【０１７１】
無線送信部２０７７は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数（無線周波数）の信号に変換（アップコンバート）し、余分な周波数成分を除去し、電力増幅し、送受信アンテナ２１１に出力して送信する。
【０１７２】
図４は、第１の実施形態の基本形態に係るピリオディックＳＲＳに対する端末装置２の処理手順を示すフローチャートである。端末装置２は、ある条件を満たすことによって、複数のサブフレームセットが設定されるか否かを判定する（ステップＳ４０１）。複数のサブフレームセットが設定される場合（Ｓ４０１：ＹＥＳ）、端末装置２は、複数のサブフレームセットのうち、１つのサブフレームセット（特定のサブフレームセット）に含まれる上りリンクサブフレームで送信されるＰＵＳＣＨに対する電力制御に関するパラメータ（端末装置２に対する標準電力ＰＯ＿ＰＵＳＣＨ（ＰＯ＿ＮＯＭＩＮＡＬ＿ＰＵＳＣＨとＰＯ＿ＵＥ＿ＰＵＳＣＨの合計）や伝搬路損失補償係数α、ＴＰＣコマンドによって得られる電力制御調整値ｆ（ｉ）など）に基づいて、ピリオディックＳＲＳの送信電力をセットする（ステップＳ４０２）。複数のサブフレームセットが設定されない場合（Ｓ４０１：ＮＯ）、端末装置２は、ＰＵＳＣＨに対する電力制御に関するパラメータに基づいて、ピリオディックＳＲＳの送信電力をセットする（ステップＳ４０３）。
【０１７３】
ここで、ある条件とは、複数のサブフレームセットを設定するための条件であり、例えば、第１の設定および第２の設定がセットされることであってもよい。また、ある条件とは、端末装置２が複数のサブフレームセットを示す情報を受信することであってもよい。
【０１７４】
なお、第１の設定および第２の設定の詳細については後述する。
【０１７５】
図５は、第１の実施形態の基本形態に係るアピリオディックＳＲＳに対する端末装置２の処理手順を示すフローチャートである。端末装置２は、ある条件を満たすことによって、複数のサブフレームセットが設定されるか否かを判定する（ステップＳ５０１）。複数のサブフレームセットが設定される場合（Ｓ５０１：ＹＥＳ）、アピリオディックＳＲＳが複数のサブフレームセットのうち、どのサブフレームセットで送信されるのかを判定する（ステップＳ５０２）。アピリオディックＳＲＳが第１のサブフレームセットに属する上りリンクサブフレームで送信される場合（Ｓ５０２：第１のサブフレームセット）、端末装置２は、第１のサブフレームセットにおけるＰＵＳＣＨに対する電力制御に関するパラメータ（端末装置２に対する標準電力ＰＯ＿ＰＵＳＣＨ（ＰＯ＿ＮＯＭＩＮＡＬ＿ＰＵＳＣＨとＰＯ＿ＵＥ＿ＰＵＳＣＨの合計）や伝搬路損失補償係数α、ＴＰＣコマンドによって得られる電力制御調整値ｆ（ｉ）など）に基づいて、アピリオディックＳＲＳの送信電力をセットする（ステップＳ５０３）。アピリオディックＳＲＳが第２のサブフレームセットに属する上りリンクサブフレームで送信される場合（Ｓ５０２：第２のサブフレームセット）、端末装置２は、第２のサブフレームセットにおけるＰＵＳＣＨに対する電力制御に関するパラメータに基づいて、アピリオディックＳＲＳの送信電力をセットする（ステップＳ５０４）。複数のサブフレームセットが設定されない場合（Ｓ５０１：ＮＯ）、端末装置２は、ＰＵＳＣＨに対する電力制御に関するパラメータに基づいて、アピリオディックＳＲＳの送信電力をセットする（ステップＳ５０５）。
【０１７６】
第１の実施形態の基本形態では、サブフレームセットとピリオディックＳＲＳ／アピリオディックＳＲＳを対応付けることで、通信環境に応じたＳＲＳの電力制御を適切に行うことができる。
【０１７７】
（第１の実施形態の変形例）
次に、第１の実施形態の変形例について説明する。第１の実施形態の変形例では、基地局装置１は、複数のサブフレームセットを指示するために用いられる情報、ＰＵＳＣＨとＡ−ＳＲＳ間の電力オフセットに関する情報を端末装置２へ送信する。基地局装置１から受信した情報に基づいて複数のサブフレームセットが設定されない端末装置２は、ＰＵＳＣＨに対する電力制御に関するパラメータに基づいてＡ−ＳＲＳの送信電力をセットする。基地局装置１から受信した情報に基づいて複数のサブフレームセットが設定される端末装置２は、Ａ−ＳＲＳを送信するサブフレームがどのサブフレームセットに属しているかに因らず、複数のサブフレームセットのうちの１つのサブフレームセット（例えば、第１のサブフレームセット）に含まれる上りリンクサブフレームで送信されるＰＵＳＣＨの電力制御に関するパラメータに基づいてＡ−ＳＲＳの送信電力をセットする。ここで、ＰＵＳＣＨとＡ−ＳＲＳの電力オフセットがサブフレームセット毎にそれぞれセットされている場合には、Ａ−ＳＲＳを送信するサブフレームセットに応じて、ＰＵＳＣＨとＡ−ＳＲＳの電力オフセットを切り替えてセットしてもよい。
【０１７８】
また、第１の実施形態の変形例は言い換えると、端末装置２は、複数のサブフレームセットが設定される場合、ピリオディックＳＲＳおよびアピリオディックＳＲＳの送信電力は、ピリオディックＳＲＳおよびアピリオディックＳＲＳを送信するサブフレームがどのサブフレームセットに属しているかに因らず、複数のサブフレームセットのうち、何れかのサブフレームセット（例えば、第１のサブフレームセット、所定のサブフレームセット、特定のサブフレームセット）に属する上りリンクサブフレームで送信されるＰＵＳＣＨの電力制御に関するパラメータ（少なくとも１つのパラメータ）に基づいてセットされる。すなわち、端末装置２は、複数のサブフレームセットのうち、何れか１つのサブフレームセットに対応するＰＵＳＣＨに対する電力制御に関するパラメータに基づいて、ピリオディックＳＲＳおよびアピリオディックＳＲＳに対する送信電力をセットする。
【０１７９】
第１の実施形態において、複数のサブフレームセットが設定される端末装置２は、ＴＰＣコマンドによる電力制御調整値をサブフレームセット毎にセットしてもよい。ＴＰＣコマンドによる電力制御調整値は、ＴＰＣコマンドが含まれているＤＣＩフォーマットによってスケジューリングされているＰＵＳＣＨが送信されるサブフレームが属するサブフレームセットに対して適用される。つまり、単一のＤＣＩフォーマットでＰＵＳＣＨのスケジューリングとＴＰＣコマンドによる電力制御調整が行なわれる場合、ＴＰＣコマンドによって得られる電力制御調整値が適用されるサブフレームが属するサブフレームセットとＰＵＳＣＨが送信されるサブフレームが属するサブフレームセットは、同一のサブフレームセットであってもよい。また、ＤＣＩフォーマット３／３Ａで送信されるＴＰＣコマンドによって得られる電力制御調整値は、ＤＣＩフォーマット３／３Ａを受信したサブフレームが属するサブフレームセットに因らず、特定のサブフレームセットに対して適用されてもよい。
【０１８０】
第１の実施形態では、同じ（ある単一の）ＤＣＩフォーマット（上りリンクグラント）で、ＰＵＳＣＨのスケジューリングとアピリオディックＳＲＳ要求が行なわれ、ＰＵＳＣＨが第１のサブフレームセットに属する上りリンクサブフレームで送信され、アピリオディックＳＲＳが第２のサブフレームセットに属する上りリンクサブフレームで送信される場合、第２のサブフレームセットで送信されるアピリオディックＳＲＳに対する送信電力に対して、そのＤＣＩフォーマットで送信されるＴＰＣコマンドによって得られた電力制御調整値は、適用されなくてもよい。ＰＵＳＣＨのスケジューリングに用いられるＤＣＩフォーマットにセットされるＴＰＣコマンドによるアキュムレーションは、ＰＵＳＣＨが送信されるサブフレームが属するサブフレームセットに対するＴＰＣコマンドのアキュムレーションを示し、アピリオディックＳＲＳが送信されるサブフレームが属するサブフレームセットに対して適用されなくてもよい。そのＤＣＩフォーマットでＰＵＳＣＨとアピリオディックＳＲＳの送信が指示されるサブフレームまたはサブフレームセットが同じ場合、そのＤＣＩフォーマットで送信されるＴＰＣコマンドによって得られる電力制御調整値は、アピリオディックＳＲＳに対する送信電力にも適用される。ここで、ＴＰＣコマンドによって得られる電力制御補正値は、アキュムレーションが有効な場合には補正値によるアキュムレーションによって得られてもよいし、アキュムレーションが有効でない場合には絶対値によって得られてもよい。
【０１８１】
また、アピリオディックＳＲＳを送信するサブフレームが第２のサブフレームセットに属している場合、アピリオディックＳＲＳの送信要求を行なうＳＲＳリクエストフィールドがセットされているＤＣＩフォーマットで第１のサブフレームセットに対するＰＵＳＣＨのスケジューリングが行なわれてもよいし、第２のサブフレームセットに対するＰＵＳＣＨのスケジューリングが行なわれてもよい。また、１つのＤＣＩフォーマットで異なるサブフレームセットに対するＰＵＳＣＨのスケジューリングとアピリオディックＳＲＳの送信要求が行なわれてもよい。
【０１８２】
図６は、第１の実施形態に係るＰＵＳＣＨとＡ−ＳＲＳの送信サブフレームの一例を示す図である。図６では、サブフレーム｛ｎ，ｎ＋１，ｎ＋２，ｎ＋５，ｎ＋６，ｎ＋１０，ｎ＋１１，ｎ＋１２，ｎ＋１５，ｎ＋１６｝が第１のサブフレームセットを構成し、サブフレーム｛ｎ＋３，ｎ＋４，ｎ＋７，ｎ＋８，ｎ＋９，ｎ＋１３，ｎ＋１４，ｎ＋１７，ｎ＋１８，ｎ＋１９｝が第２のサブフレームセットを構成している。また、図６では、Ａ−ＳＲＳの送信可能なサブフレームをサブフレーム｛ｎ＋２，ｎ＋７，ｎ＋１２，ｎ＋１７｝としている。
【０１８３】
図６（ａ）は、ＰＵＳＣＨとＡ−ＳＲＳが異なるサブフレームセット（異なるサブフレーム）で送信される例である。サブフレームｎ＋５でＰＵＳＣＨのスケジューリングおよびＡ−ＳＲＳの送信要求を行なうＤＣＩフォーマット０が検出され、サブフレームｎ＋９でＰＵＳＣＨは送信され、サブフレームｎ＋１２でＡ−ＳＲＳは送信される。図６（ａ）では、ＤＣＩフォーマット０に含まれているＴＰＣコマンドによって得られる電力制御調整値は、ＰＵＳＣＨに対する送信電力をセットするために使用されるが、ＰＵＳＣＨが送信されるサブフレームが属するサブフレームセットとは異なるサブフレームセットで送信されるＡ−ＳＲＳに対する送信電力をセットするために使用されない。
【０１８４】
また、図６（ｂ）は、サブフレームｎ＋６でＰＵＳＣＨのスケジューリングおよびＡ−ＳＲＳの送信要求を行なうＤＣＩフォーマット０が検出され、サブフレームｎ＋１２でＰＵＳＣＨとＡ−ＳＲＳは送信される。図６（ｂ）では、ＰＵＳＣＨとＡ−ＳＲＳが同じサブフレームセットに属するサブフレームで送信されているため、ＤＣＩフォーマット０で送信されるＴＰＣコマンドによって得られる電力制御調整値は、ＰＵＳＣＨの送信電力およびＡ−ＳＲＳの送信電力をセットするために使用される。また、図６（ａ）と（ｂ）の両方を組み合わせた場合、１つのＡ−ＳＲＳサブフレームに対して複数のＤＣＩフォーマットを対応付けることが可能であるが、複数のＤＣＩフォーマットのうち、Ａ−ＳＲＳが送信可能なサブフレームセットとは異なるサブフレームセットに対してＰＵＳＣＨのスケジューリングを行なっている場合、そのＤＣＩフォーマットにセットされているＴＰＣコマンドによって得られる電力制御調整値は、Ａ−ＳＲＳに対する送信電力に使用しない。１つのＡ−ＳＲＳサブフレームに対して、ある期間内に同じ種類のＤＣＩフォーマット（例えば、ＤＣＩフォーマット０／１Ａ）でＳＲＳリクエストが複数通知される場合、Ａ−ＳＲＳと同じサブフレームセットに対してＰＵＳＣＨをスケジュールするＤＣＩフォーマットで送信されるＴＰＣコマンドによって得られる電力制御調整値およびＰＵＳＣＨの電力制御に用いられるパラメータ（電力制御に関するパラメータ）に基づいてＡ−ＳＲＳの送信電力はセットされる。
【０１８５】
第１の実施形態では、複数のサブフレームセットが設定される端末装置２は、ピリオディックＳＲＳとアピリオディックＳＲＳの電力制御を独立に行なうことができる。また、第１の実施形態では、複数のサブフレームセットが設定される端末装置２は、ピリオディックＳＲＳとアピリオディックＳＲＳに対する電力制御を共有できるサブフレームセットと共有されないサブフレームセットを分けることができる。また、第１の実施形態では、ピリオディックＳＲＳとアピリオディックＳＲＳの電力制御とＰＵＳＣＨの電力制御を関連付けることができる。複数のサブフレームセットが設定される場合、ピリオディックＳＲＳの電力は、特定のサブフレームセットに属する上りリンクサブフレームで送信されるＰＵＳＣＨに対する電力制御に基づき、アピリオディックＳＲＳに対する電力制御は、アピリオディックＳＲＳが送信されるサブフレームが属するサブフレームセットで送信されるＰＵＳＣＨに対する電力制御に基づいて制御されてもよい。
【０１８６】
（第２の実施形態の基本形態）
次に、第２の実施形態の基本形態について説明する。第２の実施形態の基本形態では、基地局装置１は、複数のサブフレームセットを指示するために用いられる情報（サブフレームセット指示情報）、および、アキュムレーションが有効か否かを指示するパラメータ（アキュムレーション指示情報、ａｃｃｕｍｕｌａｔｉｏｎＥｎａｂｌｅｄ）を端末装置２へ送信する。端末装置２は、アキュムレーション指示情報に基づいて複数のサブフレームセットに対するアキュムレーションが有効か否かを決定し、アキュムレーションが有効である場合には、複数のサブフレームセットのそれぞれに対するＴＰＣコマンドのアキュムレーションを行なうことによって得られる、複数のサブフレームセットのそれぞれに対する電力制御調整値に基づいて、複数のサブフレームセットのそれぞれに対する物理上りリンク共用チャネルでの送信に対する送信電力をセットし、アキュムレーションが有効でない場合、サブフレームセットに因らず、単一のＴＰＣコマンドによって与えられる絶対値がセットされる電力制御調整値に基づいて、ＰＵＳＣＨでの送信に対する送信電力をセットする。
【０１８７】
また、アキュムレーション指示情報が基地局装置１から通知されなかった場合、端末装置２は、アキュムレーション指示情報に対するデフォルト（デフォルト値、デフォルト設定）に基づいてアキュムレーションが有効か否かを決定する。例えば、デフォルトが“アキュムレーションが有効である（TRUE, Enabled）”の場合、複数のサブフレームセットが設定された端末装置２は、複数のサブフレームセットのそれぞれ対してＴＰＣコマンドのアキュムレーションを行なうことによって得られる、複数のサブフレームセットのそれぞれに対する電力制御調整値に基づいて、複数のサブフレームセットのそれぞれに対するＰＵＳＣＨ（またはＳＲＳ）の送信電力をセットする。また、デフォルトが“アキュムレーションが有効でない（FALSE, Disabled）”の場合、複数のサブフレームセットが設定された端末装置２は、サブフレームセットに因らず、単一のＴＰＣコマンドによって与えられた絶対値がセットされた電力制御調整値に基づいて、ＰＵＳＣＨ（またはＳＲＳ）の送信電力をセットする。この際、ＤＣＩフォーマットまたはＤＣＩフォーマットにセットされているＴＰＣコマンドフィールドとサブフレームセットを対応付けた制御を行なわない。
【０１８８】
ここで、アキュムレーションが有効な場合のＴＰＣコマンドのアキュムレーションとは、ＴＰＣコマンドフィールドにセットされた値と対応している補正値のアキュムレーション（累算、累積）を行なうことである。すなわち、サブフレームｉで上りリンク信号を送信する場合、端末装置２は、サブフレームｉ以前に検出したＴＰＣコマンドフィールドにセットされた値に対応する補正値を考慮して、サブフレームｉで送信する上りリンク信号の送信電力をセットする。
【０１８９】
それに対し、アキュムレーションが有効でない場合、ＴＰＣコマンドフィールドにセットされた値に対応する補正値のアキュムレーションを行なわない。すなわち、サブフレームｉで上りリンク信号を送信する場合、端末装置２は、サブフレームｉの直前のサブフレーム（直近、例えば、４サブフレーム前のサブフレーム）で検出したＴＰＣコマンドフィールドにセットされた値に対応する絶対値によって与えられた電力制御調整値に基づいて、サブフレームｉで送信する上りリンク信号の送信電力をセットする。言い換えると、アキュムレーションが有効でない場合は、あるサブフレームで送信される上りリンク信号（例えば、ＰＵＳＣＨ）の送信電力に用いられる電力制御調整値は、単一のＴＰＣコマンドにセットされている値に対応している絶対値によって与えられる。また、言い換えると、アキュムレーションが有効でない場合の電力制御調整値は、ある下りリンクサブフレームであるＤＣＩフォーマットで送信されたＴＰＣコマンドに基づいて設定される。
【０１９０】
ここで、サブフレームセット毎にＴＰＣコマンドのアキュムレーションを行なうとは、サブフレームセット毎に独立にＴＰＣコマンドのアキュムレーションを行なうことである。第１のサブフレームセットに属する上りリンクサブフレームで上りリンク信号を送信する場合には、第１のサブフレームセットに属する上りリンクサブフレームで送信される上りリンク信号に対して通知されたＴＰＣコマンドに基づいて、アキュムレーションを行なう。第２のサブフレームセットに属する上りリンクサブフレームで上りリンク信号を送信する場合には、第２のサブフレームセットに属する上りリンクサブフレームで送信される上りリンク信号に対して通知されたＴＰＣコマンドに基づいて、アキュムレーションを行なう。すなわち、サブフレームｉで上りリンク信号が送信される場合、サブフレームｉがどのサブフレームセットに属しているかによって、アキュムレーションに使用される累算値（電力制御調整値）が異なる。第１のサブフレームセットに対する累算値と第２のサブフレームセットに対する累算値があり、サブフレームｉでアキュムレーションを行なう場合に、どちらの累算値を用いるかはサブフレームｉがどちらのサブフレームセットに属しているかによって決定される。
【０１９１】
また、端末装置２は、ＰＵＳＣＨに対する端末固有電力に関するパラメータＰＯ＿ＵＥ＿ＰＵＳＣＨ（p0-UE-PUSCH）が複数セットされるか否かによって、ＰＵＳＣＨに対するアキュムレーションのリセット（初期化）をサブフレームセット毎に行なうか否かを決定してもよい。例えば、ＰＵＳＣＨに対する端末固有電力に関するパラメータが複数セットされる、つまり、ＰＵＳＣＨに対する端末固有電力に関するパラメータがサブフレームセットのそれぞれに対してセットされる場合、アキュムレーションのリセットはサブフレームセット毎に行なわれる。ＰＵＳＣＨに対する端末固有電力に関するパラメータが複数セットされない場合、端末固有電力に関するパラメータが再設定され、そのパラメータの値が変更されると、複数のサブフレームセットのそれぞれに対してＴＰＣコマンドのアキュムレーションによる電力制御調整値が設定されていたとしても各アキュムレーション（アキュムレーションによって得られた電力制御調整値）はリセットされる。ここで、アキュムレーションをリセットするとは、アキュムレーションによって得られた電力制御調整値（ＴＰＣコマンドから得られた電力補正値のアキュムレーション値）をリセットすることであり、その電力制御調整値を初期値（デフォルト値）に設定し直すことである。ＳＲＳに対してもＰＵＳＣＨと同様の処理を行なってもよい。また、ＰＵＣＣＨに対してもＰＵＳＣＨと同様の処理を行なってもよい。アキュムレーションのリセットとは、アキュムレーションによって得られた電力制御調整値のリセットを含む。
【０１９２】
また、端末装置２は、ランダムアクセスレスポンスグラントに対応しているＰＵＳＣＨに対する電力制御に関するパラメータ（例えば、ＰＯ＿ＰＲＥ）が複数セットされているか否かによって、ＰＵＳＣＨに対するアキュムレーションのリセット（初期化）をサブフレームセット毎に行なうか否かを決定してもよい。ランダムアクセスレスポンスグラントに対応するＰＵＳＣＨのパラメータがサブフレームセットに対応付けて複数セットされる場合、ランダムアクセスレスポンスメッセージがどのサブフレームセットに対するものかを判定し、複数のサブフレームセットのうち、何れか１つのサブフレームセットに対応するアキュムレーションをリセットする。つまり、ランダムアクセスレスポンスメッセージを受信することによって発生するアキュムレーションのリセットはサブフレームセット毎に行なわれる。ランダムアクセスレスポンスグラントに対応するＰＵＳＣＨのパラメータが複数セットされない、つまり、サブフレームセットに対応付けたランダムアクセスレスポンスグラントに対応するＰＵＳＣＨのパラメータがセットされない場合、サブフレームセット毎に独立してアキュムレーションが行なわれていたとしてもランダムアクセスレスポンスメッセージを受信した時点で、全ての電力制御調整値（複数のサブフレームセットに対応する電力制御調整値）はリセットされる。ＳＲＳに対してもＰＵＳＣＨと同様の処理を行なってもよい。また、ＰＵＣＣＨに対してもＰＵＳＣＨと同様の処理を行なってもよい。なお、ランダムアクセスレスポンスメッセージがサブフレームセット毎に送信されない場合、端末装置２が、サービングセルｃに対するランダムアクセスレスポンスメッセージを受信すると、サブフレームセット毎の制御されているアキュムレーションによって得られた電力制御調整値はそれぞれリセット（初期化）される。その初期値は、ランダムアクセスの送信電力制御に基づいて決定されてもよい。つまり、ランダムアクセスプリアンブルに対するＴＰＣコマンドとランダムアクセスプリアンブルの送信回数に応じて設定されるランプアップ値に基づいて決定されてもよい。
【０１９３】
また、複数のサブフレームセットのそれぞれに対してアキュムレーションが有効な場合、サブフレームセット毎にサービングセルｃに対する端末装置２の最大電力（maximum power, maximum transmit power, maximum output power、ＰＣＭＡＸ，ｃ）または最小電力（minimum power, minimum transmit power, minimum output power）に到達した時の処理を行なう。例えば、第１のサブフレームセットに属する上りリンクサブフレームで送信されるＰＵＳＣＨに対する送信電力ＰＰＵＳＣＨ，ｃがサービングセルｃに対する端末装置２の最大電力に達した場合、サービングセルｃに対する端末装置２の最大電力ＰＣＭＡＸ，ｃを超えるようなＴＰＣコマンドによるアキュムレーションは行なわないが、第２のサブフレームセットに属する上りリンクサブフレームで送信されるＰＵＳＣＨの送信電力がサービングセルｃに対する端末装置２の最大電力ＰＣＭＡＸ，ｃに達していなければ、サービングセルｃに対する端末装置２の最大電力ＰＣＭＡＸ，ｃに到達するまでＴＰＣコマンドによるアキュムレーションを行なってもよい。
【０１９４】
また、第１のサブフレームセットに属する上りリンクサブフレームで送信されるＰＵＳＣＨの送信電力がサービングセルｃに対する端末装置２の最小電力に達した場合、サービングセルｃに対する端末装置２の最小電力を下回るようなＴＰＣコマンドによるアキュムレーションは行なわないが、第２のサブフレームセットに属する上りリンクサブフレームで送信されるＰＵＳＣＨの送信電力がサービングセルｃに対する端末装置２の最小電力に達していなければ、サービングセルｃに対する端末装置２の最小電力に到達するまでＴＰＣコマンドによるアキュムレーションを行なってもよい。つまり、サブフレームセット毎にアキュムレーションが有効な場合、サブフレームセット毎に最大電力または最小電力に対するＴＰＣコマンドのアキュムレーションを行なってもよい。また、送信電力を増加させるＴＰＣコマンドをポジティブＴＰＣコマンド、送信電力を低減させるＴＰＣコマンドをネガティブＴＰＣコマンドと呼称すると、ポジティブＴＰＣコマンドおよび／またはネガティブＴＰＣコマンドが累算されるか否かは、サブフレームセット毎に決定されてもよい。ＳＲＳに対してもＰＵＳＣＨと同様の処理を行なってもよい。また、ＰＵＣＣＨに対してもＰＵＳＣＨと同様の処理を行なってもよい。
【０１９５】
第２の実施形態の基本形態では、１つの指示情報に基づいてサブフレームセット間で共通の処理を行なうかサブフレームセット毎で独立に処理を行なうかを決定することができる。
【０１９６】
（第２の実施形態の変形例１）
次に、第２の実施形態の変形例１について説明する。第２の実施形態の変形例１では、複数のサブフレームセットが設定される場合、端末装置２は、複数のサブフレームセットそれぞれに対して、アキュムレーションが有効か否かを指示するパラメータ（アキュムレーション指示情報、ａｃｃｕｍｕｌａｔｉｏｎＥｎａｂｌｅｄ）がセットされていれば、その指示情報に基づいてサブフレームセット毎にＴＰＣコマンドのアキュムレーションを行なうか否かを決定する。もし、その指示情報がサブフレームセット毎にセットされていなければ、第２の実施形態の基本形態のように、１つの指示情報に基づいてサブフレームセット毎にＴＰＣコマンドのアキュムレーションが有効か否かを決定してもよい。また、１つの指示情報に基づいてサブフレームセットに因らないＴＰＣコマンドのアキュムレーションを行なうか否かを決定してもよい。さらに、その指示情報が通知されない場合、端末装置２は、その指示情報のデフォルトに基づいてサブフレームセット毎にＴＰＣコマンドのアキュムレーションを行なうか否かを決定してもよい。
【０１９７】
アキュムレーション指示情報がサブフレームセット毎にセットされる、すなわち、アキュムレーションおよびアブソリュート送信電力制御がサブフレームセット毎にセット可能な場合、サブフレームセット毎にＴＰＣコマンドフィールドのセットされた値に対応する補正値の加算処理および減算処理（アキュムレーション処理）を行なってもよい。
【０１９８】
第２の実施形態の変形例１では、アキュムレーション指示情報がサブフレームセット毎にセットされることによって、サブフレームセット毎にＴＰＣコマンドのアキュムレーションを行なうか否かが設定でき、サブフレームセット毎に柔軟な電力制御を行なうことができる。サブフレームセット毎に干渉状況が異なる場合の適切な電力制御を行なうことができる。
【０１９９】
（第２の実施形態の変形例２）
次に、第２の実施形態の変形例２について説明する。第２の実施形態の変形例２では、複数のサブフレームセットが設定される場合、端末装置２は、アキュムレーションが有効か否かを指示する情報（アキュムレーション指示情報、ａｃｃｕｍｕｌａｔｉｏｎＥｎａｂｌｅｄ）に因らず、サブフレームセット毎にＴＰＣコマンドのアキュムレーションを行なう。
【０２００】
端末装置２は、アキュムレーション指示情報によって、事前に“アキュムレーションが有効でない（FALSE, disable）”と指示されていたとしても、ある条件を満たすことによって、複数のサブフレームセットが設定される場合、端末装置２は、その指示情報の設定内容に因らず、サブフレームセット毎にアキュムレーションを行なう。
【０２０１】
第２の実施形態の変形例２では、アキュムレーション指示情報に因らず、複数のサブフレームセットが設定される端末装置２においては、サブフレームセット毎にＴＰＣコマンドによるアキュムレーションをインプリシットに行なうため、アキュムレーション指示情報を通知する必要がなくなり、その分のオーバヘッドが低減される。
【０２０２】
（第２の実施形態の変形例３）
次に、第２の実施形態の変形例３について説明する。第２の実施形態の変形例３では、複数のサブフレームセットが設定される場合、端末装置２は、複数のサブフレームセットのうち、１つのサブフレームセット（特定のサブフレームセット、所定のサブフレームセット、第１のサブフレームセット）に対しては、アキュムレーションが有効か否かを指示するパラメータ（アキュムレーション指示情報、ａｃｃｕｍｕｌａｔｉｏｎＥｎａｂｌｅｄ）に基づいて、そのサブフレームセットではＴＰＣコマンドのアキュムレーションを行なうか否かを決定し、それ以外のサブフレームセットではサブフレームセット毎にＴＰＣコマンドのアキュムレーションを行なう。アキュムレーション指示情報による設定は、１つのサブフレームセットに対してのみ有効である。例えば、第１のサブフレームセットは、アキュムレーション指示情報によってＴＰＣコマンドのアキュムレーションが有効か否かを指示されるが、他のサブフレームセットに対しては、常にＴＰＣコマンドによるアキュムレーションが有効である。つまり、複数のサブフレームセットが設定される場合、特定のサブフレームセット以外のサブフレームセットに対しては、ＴＰＣコマンドのアキュムレーションが有効であることがデフォルトとして設定されている、と言い換えることができる。
【０２０３】
第２の実施形態の変形例３では、１つのサブフレームセットに対してアキュムレーション指示情報による電力制御を行ない、それ以外のサブフレームセットでは、常にアキュムレーションを行なうことで、サブフレームセット毎にアキュムレーション指示情報を設定する必要がなくなり、その分のオーバヘッドが低減され、特定のサブフレームセットに対しては、アキュムレーション指示情報による電力制御が行なわれるため、より適切な電力が設定され、通信品質が改善される。
【０２０４】
なお、第２の実施形態では、ＰＵＳＣＨに対するＴＰＣコマンドのアキュムレーションについて説明したが、他の上りリンク物理チャネル（例えば、ＰＵＣＣＨ、ＰＲＡＣＨ、ランダムアクセスレスポンスグラントに対するＰＵＳＣＨ）や物理信号（例えば、ＳＲＳ）に対して、アキュムレーションが有効か否かを指示するパラメータ（情報）が設定され、他の上りリンク物理チャネルでの送信が複数のサブフレームセットで行なわれる場合、他の上りリンク物理チャネルに対しても第２の実施形態で説明した処理が実施されてもよい。
【０２０５】
（第３の実施形態）
次に、第３の実施形態について説明する。第３の実施形態では、基地局装置１は、複数のサブフレームセットを指示するために用いられる情報、および、複数のサブフレームセットのそれぞれに対する最大許容出力電力ＰＥＭＡＸ,ｃ（Maximum allowed UE output power）を端末装置２に送信する。また、基地局装置１は、複数のサブフレームセットのそれぞれに対する最大送信電力ＰＣＭＡＸ，ｃに基づいてセットされた送信電力のＰＵＳＣＨでの受信を、複数のサブフレームセットのそれぞれにおいて行なう。端末装置２は、複数のサブフレームセット、および、複数のサブフレームセットのそれぞれに対する最大許容出力電力ＰＥＭＡＸ,ｃ（p-Max）が設定される場合、複数のサブフレームセットのそれぞれに対する最大許容出力電力ＰＥＭＡＸ,ｃに基づいてサブフレームセット毎におけるサービングセルｃに対する最大送信電力ＰＣＭＡＸ，ｃをセットする。最大送信電力ＰＣＭＡＸ，ｃは、最大送信電力ＰＣＭＡＸ，ｃが最大許容出力電力ＰＥＭＡＸ,ｃと同じ、または、低くなるようにセットされる。サービングセルｃに対する最大送信電力ＰＣＭＡＸ，ｃをセットするためのパラメータであるＭＰＲ（Maximum Power Reduction）、Ａ−ＭＰＲ（Additional Maximum Power Reduction）、Ｐ−ＭＰＲ（Power Management Maximum Power Reduction）、ΔＴＣ（Allowed operating band edge transmission power relaxation）のうち、少なくとも一つはサブフレームセット毎に独立にセットされてもよい。ここで、ＭＰＲは、チャネル帯域幅、送信帯域幅、変調度によって決定される。Ａ−ＭＰＲは、ネットワークシグナリング値およびリソースブロックの割り当て領域、キャリアアグリゲーションの帯域幅の組み合わせ、変調度などによって決定される。また、Ｐ−ＭＰＲは、パワーバックオフや電磁界エネルギー吸収の保証などの電力管理を行なう際に用いられる。ΔＴＣは、送信帯域幅が動作帯域の所定の周波数帯（動作帯域の最低周波数帯付近または最高周波数帯付近）に設定される場合に、最大送信電力を緩和するために用いられる。
【０２０６】
また、ＭＰＲを第１のＭＰＲ、Ａ−ＭＰＲを第２のＭＰＲ、Ｐ−ＭＰＲを第３のＭＰＲとすると、複数のサブフレームセットが設定される場合、第４のＭＰＲがセットされてもよい。例えば、第４のＭＰＲは、あるサブフレームセットに属するサブフレームに対してサブフレームセット間の電力差を考慮して最大送信電力ＰＣＭＡＸ，ｃを調整するために用いられるパラメータである。すなわち、第４のＭＰＲは、サブフレームセット間の電力オフセットであってもよい。また、第４のＭＰＲは、特定のサブフレームセットに属するサブフレームで送信する上りリンク信号に対する最大送信電力ＰＣＭＡＸ，ｃを算出するために用いられてもよい。また、第４のＭＰＲは、固定サブフレーム（fixed subframe）とフレキシブルサブフレーム（flexible subframe）との電力オフセットであってもよい。例えば、フレキシブルサブフレームに対する最大送信電力ＰＣＭＡＸ，ｃを第４のＭＰＲに基づいてセットしてもよい。この際、固定サブフレームに対する最大送信電力には第４のＭＰＲを用いなくてもよい。
【０２０７】
また、複数のサブフレームセットを指示するために用いられる情報が通知される場合、端末装置２に設定される最大許容出力電力ＰＥＭＡＸ，ｃ（p-Max）は、サブフレームセット毎に独立にセットされてもよい。
【０２０８】
また、複数のサブフレームセットを指示するために用いられる情報が通知される場合、端末装置２に設定されるパワークラスＰＰｏｗｅｒＣｌａｓｓは、サブフレームセット毎に独立にセットされてもよい。
【０２０９】
また、複数のサブフレームセットを指示するために用いられる情報が通知され、その一方で、最大許容出力電力ＰＥＭＡＸ,ｃ、第１のＭＰＲから第３のＭＰＲおよびΔＴｃの何れもサブフレームセット毎に設定されない場合には、サブフレームセット毎の最大送信電力ＰＣＭＡＸ，ｃをセットするために第４のＭＰＲがあるサブフレームセットに属するサブフレームに対してセットされてもよい。例えば、第１のサブフレームセットに属するサブフレームの最大送信電力ＰＣＭＡＸ，ｃが、最大許容出力電力ＰＥＭＡＸ,ｃ、第１のＭＰＲから第３のＭＰＲおよびΔＴｃでセットされる場合、第２のサブフレームセットに属するサブフレームの最大送信電力ＰＣＭＡＸ，ｃはさらに、第１のサブフレームセットに属するサブフレームの最大送信電力ＰＣＭＡＸ，ｃと第４のＭＰＲを用いてセットされてもよい。すなわち、第４のＭＰＲは、第１のサブフレームセットか第２のサブフレームセットの何れか一方のサブフレームセットに対して適用されてもよい。これらのパラメータは、事前に定義されてもよい。また、これらのパラメータは、テーブル管理されてもよい。また、これらのパラメータは、基地局装置１から端末装置２へ通知されてもよい。また、端末装置２の最大許容出力電力ＰＥＭＡＸ，ｃは、上位層によってシグナルされる。
【０２１０】
また、端末装置２は、サブフレームセット毎に第１のＭＰＲから第４のＭＰＲが設定され、第１のＭＰＲから第４のＭＰＲに基づいてサブフレームセット毎の最大送信電力ＰＣＭＡＸ，ｃをセットしてもよい。
【０２１１】
また、最大許容出力電力ＰＥＭＡＸ，ｃが端末装置２に対して１つしか通知されない場合、複数のサブフレームセットに対する最大許容出力電力は、通知された最大許容出力電力と第４のＭＰＲによって決定されてもよい。
【０２１２】
端末装置２は、複数のサブフレームセットが設定される場合、サブフレームセット毎に独立にサービングセルｃに対する最大許容出力電力ＰＥＭＡＸ,ｃがセット可能となる。
サービングセルｃに対する最大許容出力電力ＰＥＭＡＸ,ｃをサブフレームセット毎にセットすることで、干渉状況に応じた送信電力制御を行なうことができる。
【０２１３】
端末装置２が、第１のサブフレームセットに属する上りリンクサブフレームでＰＵＣＣＨを同時に伴うＰＵＳＣＨの送信を行ない、第２のサブフレームセットに属する上りリンクサブフレームでＰＵＣＣＨを同時に伴わないＰＵＳＣＨの送信を行なう場合、各サブフレームセットの最大送信電力は独立にセットされてもよい。
【０２１４】
また、端末装置２は、１つのサブフレームにおいて、第１のサブフレームセットに属する上りリンクサブフレームに対するＤＣＩフォーマット３／３Ａを受信し、第２のサブフレームセットに属する上りリンクサブフレームに対するＤＣＩフォーマット０／４を受信した場合、各サブフレームセットの最大送信電力ＰＣＭＡＸ，ｃは独立にセットされてもよい。
【０２１５】
サブフレームセット毎の最大送信電力ＰＣＭＡＸ，ｃは、パワーヘッドルーム報告（PHR: Power Headroom Reporting）に関連するイベントが発生した場合にセットされてもよい。例えば、所定のタイマが満了した場合であってもよいし、パワーヘッドルーム報告に対して設定または再設定される場合であってもよいし、新しい送信に対して上りリンクリソースが割り当てられている時に所定のタイマが満了している場合であってもよいし、新しい送信に対して上りリンクリソースが割り当てられている時に所定のタイマが満了し、なおかつ、パスロスが所定の値以上変化した場合であってもよい。また、サブフレームセット毎の最大送信電力ＰＣＭＡＸ，ｃは、パワーヘッドルームを報告する際にセットされてもよい。また、端末装置２は、何れかのサブフレームセットに属するサブフレームでパワーヘッドルームを報告する場合、全てのサブフレームセットのパワーヘッドルームおよびサービングセルに対する最大送信電力を算出し、基地局装置１へＭＡＣ  ＣＥを用いてそれらの値を報告してもよい。
【０２１６】
複数のサブフレームに対してセットされる最大送信電力のうち、１つは少なくとも１つのセルとのパスロスを考慮して算出されてもよい。例えば、あるセルに対する最大送信電力は、他セルからのパスロスを考慮して算出されてもよい。複数の基地局装置と通信を行なう端末装置２は、第１の基地局装置に対しては、第１の最大送信電力をセットするが、その際、第１の基地局装置以外の基地局装置と端末装置２間のパスロスを考慮して、端末装置２は、第１の最大送信電力をセットしてもよい。第１の最大送信電力は、最大許容出力電力、ＭＰＲ、Ａ−ＭＰＲ、Ｐ−ＭＰＲ、ΔＴＣの他に、他セル（第１の基地局装置を除く他の基地局装置）とのパスロスを考慮してセットされてもよい。他セルのパスロスを考慮することで、第１の最大送信電力で送信した場合の他セルへの干渉を抑圧することができる。この処理は、端末装置２と第１の基地局装置を除く他の基地局装置間のパスロスが所定の値よりも小さい場合に適用されてもよい。また、この処理は、端末装置２と第１の基地局装置間のパスロスと端末装置２と第１の基地局装置を除く他の基地局装置間のパスロスを比較して、端末装置２と第１の基地局装置間のパスロスの方が大きい場合に適用されてもよい。
【０２１７】
また、複数のサブフレームセットでセットされる最大送信電力のうち、１つはＭＰＲ＝０ｄＢ、Ａ−ＭＰＲ＝０ｄＢ、Ｐ−ＭＰＲ＝０ｄＢ、ΔＴＣ＝０ｄＢと仮定し、算出されてもよい。
【０２１８】
なお、第３の実施形態は、さらに、マクロセルを構成する基地局装置１（マスター基地局装置）とスモールセルを構成する基地局装置１（セカンダリー基地局装置）と同時に接続できる（Dual connectivity）端末装置２に対して適用（実施）されてもよい。その際、マクロセルとスモールセルは、同一の周波数（キャリア周波数、バンド、周波数帯、周波数帯域、キャリア、コンポーネントキャリア、送信周波数）で通信を行なってもよい。また、キャリアアグリゲーションが可能な端末装置２において、プライマリーセルとセカンダリーセル（または複数のサービングセル）が同一の周波数に設定される場合に対して、第３の実施形態が適用されてもよい。同一の周波数に設定された２つのセルと同時に接続している端末装置２は、セル間のオフセットをサブフレームセット間のオフセットとして適用し、該オフセットを用いて最大送信電力ＰＣＭＡＸ，ｃを決定してもよい。また、同一の周波数に設定された２つのセルと同時に接続している端末装置２は、セル毎に最大許容出力電力が設定されている場合、セル毎に最大許容出力電力からサブフレームセット間のオフセットを算出し、該オフセットを用いて最大送信電力ＰＣＭＡＸ，ｃを決定してもよい。
【０２１９】
キャリアアグリゲーションが可能な端末装置２において、サブフレームセット毎に総最大出力電力ＰＣＭＡＸがセットされてもよい。
【０２２０】
複数のコンポーネントキャリアに対して、独立に送受信のタイミング調整（Timing advance, time alignment）が可能な端末装置２において、サブフレームセット毎に総最大出力電力ＰＣＭＡＸがセットされてもよい。つまり、複数のタイミング調整情報が設定可能な端末装置２において、サブフレームセット毎に総最大出力電力ＰＣＭＡＸがセットされてもよい。
【０２２１】
また、特定のパラメータが設定される場合に対してのみ、サブフレームセット毎にサービングセルｃに対する最大送信電力ＰＣＭＡＸ，ｃをセットしてもよい。例えば、１つのサービングセルに対して複数の最大送信電力ＰＣＭＡＸ，ｃをセットすることが有効か否かを指示する情報および複数のサブフレームセットを指示するために用いられる情報が端末装置２に通知された場合に、端末装置２は複数の最大送信電力ＰＣＭＡＸ，ｃをセットしてもよい。
【０２２２】
また、特定のパラメータが設定される場合に対してのみ、基地局装置１は、端末装置２に対して、サブフレームセット毎にサービングセルｃに対する最大許容出力電力ＰＥＭＡＸ，ｃをセットしてもよい。例えば、１つのサービングセルに対して複数の最大許容出力電力ＰＥＭＡＸ，ｃをセットすることが有効か否かを指示する情報および１つのサービングセルに対して複数のサブフレームセットを指示するために用いられる情報が端末装置２に通知された場合に、端末装置２は、複数の最大許容出力電力それぞれに基づいて複数の最大送信電力をセットしてもよい。その際、１つの最大許容出力電力は、１つのサブフレームセットと対応付けられてもよい。１つの最大許容出力電力と１つのサブフレームセットが対応付けられる場合、１つのＩＤと関連付けられて対応付けられてもよい。
【０２２３】
また、特定のパラメータが設定される場合に対してのみ、サブフレームセット毎に総最大出力電力ＰＣＭＡＸをセットしてもよい。例えば、１つの端末装置２に対して複数の総最大出力電力ＰＣＭＡＸをセットすることが有効か否かを指示する情報および複数のサブフレームセットを指示するために用いられる情報が端末装置２に通知された場合に、端末装置２は複数の総最大出力電力ＰＣＭＡＸをセットしてもよい。その際、１つの総最大出力電力は、１つのサブフレームセットと対応付けられてもよい。１つの総最大出力電力と１つのサブフレームセットが対応付けられる場合、１つのＩＤと関連付けられて対応付けられてもよい。
【０２２４】
第３の実施形態では、サブフレームセット毎にある端末装置２に対する通信環境状態（干渉や雑音）が異なるため、その通信環境に応じて、端末装置２にセットされるサービングセルｃに対する端末装置２の最大送信電力ＰＣＭＡＸ，ｃをサブフレームセット毎に独立にセットすることで、他の端末装置２に対する干渉抑圧が実現可能である。サービングセルｃに対する端末装置２の最大送信電力のみを制御することで、新たなパラメータを設定せずに、過剰信号電力に対する干渉抑圧が可能となる。複数の端末装置２間の干渉が大きいサブフレームセットでは、端末装置２の最大送信電力を低くセットすることで互いの干渉を緩和することができる。基地局装置１と端末装置２間の干渉が大きい場合、端末装置２の最大送信電力を高くセットすることで、端末装置２から送信される信号の通信品質を確保することができる。端末装置２は、干渉の大きさ（強さ）に合わせた通信を行なうことができる。
【０２２５】
第３の実施形態では、サービングセルｃに対する端末装置２の最大送信電力ＰＣＭＡＸ，ｃについて説明したが、サービングセルｃに対する最小電力についても同様の処理を行なってもよい。端末装置２は、干渉の大きい（干渉電力の高い）サブフレームセットに対する最小送信電力は高めにセットし、干渉の小さい（干渉電力の低い）サブフレームセットに対する最小送信電力は低めにセットしてもよい。また、第３の実施形態では、端末装置２が設定する総最大出力電力ＰＣＭＡＸおよび／または総最小出力電力についても同様の処理を行なってもよい。
【０２２６】
上記各実施形態において、基地局装置１は、複数のサブフレームセットが設定される端末装置２に対して、同じＤＣＩフォーマットに各サブフレームセットに対応しているＴＰＣコマンドをセットして送信してもよい。また、基地局装置１は、複数のサブフレームセットが設定される端末装置２に対して、同じ種類のＤＣＩフォーマットの第１のサブフレームセットに対応しているＴＰＣコマンドフィールドを第２のサブフレームセットに対応するＴＰＣコマンドフィールドとしてセットして送信してもよい。つまり、基地局装置１は、第１のサブフレームセットに対応しているＴＰＣコマンドフィールドから第２のサブフレームセットに対応しているＴＰＣコマンドフィールドに入れ替えて送信してもよい。つまり、第１のサブフレームセットに対応するＴＰＣコマンドフィールドと第２のサブフレームセットに対応するＴＰＣコマンドフィールドは、同じフィールドとして共有されてもよい。また、基地局装置１は、複数のサブフレームセットが設定される端末装置２に対して、一部の制御情報フィールドを第２のサブフレームセットに対応しているＴＰＣコマンドフィールドとしてセットして送信してもよい。端末装置２は、基地局装置１が設定したＤＣＩフォーマットから第２のサブフレームセットに対応しているＴＰＣコマンドフィールドを検出することができる。なお、第２のサブフレームセットに対応しているＴＰＣコマンドを適用できるか否かは、第１の設定に関する情報および第２の設定に関する情報とは異なる制御情報で示されてもよい。
【０２２７】
上記各実施形態において、基地局装置１は、端末装置２に対して、電力制御に関するパラメータの設定を複数セットしてもよい。複数セットされるパラメータは、セル固有にセットされるパラメータであってもよい。また、複数セットされるパラメータは、端末装置固有にセットされるパラメータであってもよい。また、複数セットされるパラメータは、セル固有にセットされるパラメータおよび端末固有にセットされるパラメータであってもよい。また、同じ種類のパラメータが複数セットされるパラメータは、セル固有にセットされるパラメータまたは端末固有にセットされるパラメータに含まれる特定のパラメータであってもよい。例えば、電力制御に関するパラメータの設定は、ＰＵＳＣＨの送信電力やＰＵＣＣＨの送信電力、ＳＲＳの送信電力を制御するためのパラメータまたはパラメータセットを少なくとも１つは含まれてもよい。また、電力制御に関するパラメータの設定は、ＰＤＳＣＨの送信電力やＰＤＣＣＨの送信電力、ＣＲＳの送信電力、ＣＳＩ−ＲＳの送信電力、ＤＬ  ＤＭＲＳの送信電力を制御するためのパラメータまたはパラメータセットを少なくとも１つは含まれてもよい。つまり、第２の電力制御に関するパラメータの設定にセットされていないパラメータは、第１の電力制御に関するパラメータの設定にセットされているパラメータを代用してもよい。第２の電力制御に関するパラメータの設定にセットされていないパラメータは、デフォルト値を用いてもよい。
【０２２８】
例えば、第１の電力制御と第２の電力制御で異なる電力制御は、異なるセル固有の電力制御に関するパラメータ（セット）を切り替えて、信号の電力を制御することである。また、異なる電力制御は、異なる端末固有の電力制御に関するパラメータ（セット）を切り替えて、信号の電力を制御することである。また、異なる電力制御は、異なるセル固有または端末固有の電力制御に関するパラメータ（セット）を切り替えて、信号の電力を制御することである。また、異なる電力制御は、異なるループでＴＰＣコマンドのアキュムレーションを行なうことである。
【０２２９】
上記各実施形態において、サブフレームセット毎に、後述の電力制御に関するパラメータが設定されてもよい。
【０２３０】
図７は、第１の上りリンク電力制御に関するパラメータ（UplinkPowerControl）に含まれるパラメータの一例を示す図である。第１の上りリンク電力制御に関するパラメータには、セル固有（セル内の端末装置２間で共有）に設定されるパラメータ（上りリンク電力制御に関する共有パラメータUplinkPowerControlCommon））と端末装置２毎に設定されるパラメータの設定（上りリンク電力制御に関する専用パラメータ（UplinkPowerControlDedicated））がある。共有パラメータとしては、セル固有に設定可能なＰＵＳＣＨ電力である標準ＰＵＳＣＨ電力（p0-NominalPUSCH）、フラクショナル送信電力制御の減衰係数（伝搬路損失補償係数）αｃ（alpha）、セル固有に設定可能なＰＵＣＣＨ電力である標準ＰＵＣＣＨ電力（p0-NominalPUCCH）、ＰＵＣＣＨフォーマット毎の電力調整値（電力オフセット）ΔＦ＿ＰＵＣＣＨは（deltaFList-PUCCH）、プリアンブルメッセージ３が送信される場合の電力調整値（電力オフセット）（deltaPreambleMsg3）がある。また、専用パラメータとしては、端末装置固有に設定可能なＰＵＳＣＨ電力である端末固有ＰＵＳＣＨ電力（p0-UE-PUSCH）、変調符号化方式による電力シフト値Ｋｓが有効か否かを指示するパラメータ（deltaMCS-Enabled）、アキュムレーションが有効か否かを指示するパラメータ（accumulationEnabled）、端末装置固有に設定可能なＰＵＣＣＨ電力である端末固有ＰＵＣＣＨ電力（p0-UE-PUCCH）、ピリオディックＳＲＳおよびアピリオディックＳＲＳの電力オフセットＰＳＲＳ＿ＯＦＦＳＥＴ（pSRS-Offset、pSRS-OffsetAp）、参照信号の受信電力（RSRP: Reference Signal Received Power）のフィルタ係数（filterCoefficient）がある。これらの情報は、プライマリーセルに対して設定可能であるが、セカンダリーセルに対しても同様の設定を行なうことができる。さらに、セカンダリーセルに対する専用パラメータでは、プライマリーセルかセカンダリーセルのパスロス測定用参照信号を用いてパスロスの計算を行なうことを指示するパラメータ（pathlossReferenceLinking）が設定されてもよい。
【０２３１】
図８は、第２の上りリンク電力制御に関する共有パラメータの一例を示す図である。第２の（プライマリーセルに対する）上りリンク電力制御に関する共有パラメータまたは第２のセカンダリーセルに対する上りリンク電力制御に関する共有パラメータは、図８に示したパラメータが全て設定されてもよい。また、第２の（プライマリーセルに対する）上りリンク電力制御に関する共有パラメータまたは第２のセカンダリーセルに対する上りリンク電力制御に関する共有パラメータは、図８に示したパラメータのうち少なくとも一つのパラメータが設定されてもよい。また、第２の（プライマリーセルに対する）上りリンク電力制御に関する共有パラメータまたは第２のセカンダリーセルに対する上りリンク電力制御に関する共有パラメータは、一つも設定されなくてもよい。この場合には、基地局装置１は、解放を選択し、その共有パラメータの設定に関する情報を端末２へ送信する。また、第２の上りリンク電力制御に関する共有パラメータでセットされなかったパラメータは、第１の上りリンク電力制御に関する共有パラメータでセットされているパラメータと同じ値が設定されてもよい。
【０２３２】
図９は、第１の上りリンク電力制御に関する専用パラメータと第２の上りリンク電力制御に関する専用パラメータの一例を示す図である。第１のプライマリーセル／セカンダリーセルに対する上りリンク電力制御に関する専用パラメータには、パスロスを測定する下りリンク参照信号（下りリンク無線リソース）を指示するパスロス参照リソースが設定されてもよい。また、第２のプライマリーセル／セカンダリーセルに対する上りリンク電力制御に関する専用パラメータには、図７で示したパラメータに加え、パスロス参照リソースが設定されてもよい。第２の（プライマリーセルに対する）上りリンク電力制御に関する専用パラメータまたは第２のセカンダリーセルに対する上りリンク電力制御に関する専用パラメータは、図９に示したパラメータが全て設定されてもよい。また、第２の（プライマリーセルに対する）上りリンク電力制御に関する専用パラメータまたは第２のセカンダリーセルに対する上りリンク電力制御に関する専用パラメータは、図９に示したパラメータのうち少なくとも一つのパラメータが設定されていればよい。また、第２の（プライマリーセルに対する）上りリンク電力制御に関す専用パラメータまたは第２のセカンダリーセルに対する上りリンク電力制御に関する専用パラメータは、一つも設定されていなくてもよい。この場合には、基地局装置１は、解放を選択し、その情報を端末装置２へ送信する。また、第２の上りリンク電力制御に関する専用パラメータでセットされなかったパラメータは、第１の上りリンク電力制御に関する専用パラメータと同じ値に設定されてもよい。つまり、第２の上りリンク電力制御に関する専用パラメータにおいてパスロス参照リソースが設定されなかった場合には、第１の上りリンク電力制御に関する専用パラメータで設定されているパスロス参照リソースに基づいてパスロスの計算を行なってもよい。また、デフォルトが設定されているパラメータについては、デフォルトを用いてもよい。
【０２３３】
なお、第１の上りリンク電力制御に関するパラメータの設定および第２の上りリンク電力制御に関するパラメータの設定は同じ情報要素または同じＲＲＣメッセージに含まれて端末装置２へ送信されてもよい。
【０２３４】
端末装置２に対して複数の上りリンク電力制御に関するパラメータの設定（例えば、第１の上りリンク電力制御に関するパラメータの設定および第２の上りリンク電力制御に関するパラメータの設定）がセットされる場合、第１の上りリンク電力制御に関するパラメータの設定は、第１のサブフレームセットで送信される上りリンク信号に対して適用され、第２の上りリンク電力制御に関するパラメータの設定は、第２のサブフレームセットで送信される上りリンク信号に対して適用されてもよい。また、端末装置２に対して複数の下りリンク電力制御に関するパラメータの設定（例えば、第１の下りリンク電力制御に関するパラメータの設定および第２の下りリンク電力制御に関するパラメータの設定）がセットされる場合、第１の下りリンク電力制御に関するパラメータの設定は、第１のサブフレームセットで送信される下りリンク信号に対して適用され、第２の下りリンク電力制御に関するパラメータの設定は、第２のサブフレームセットで送信される下りリンク信号に対して適用されてもよい。
【０２３５】
これら電力制御に関するパラメータの設定にセットされるパラメータのうち、少なくとも一つは、システムインフォメーションで端末装置２に送信されてもよい。これら電力制御に関するパラメータの設定にセットされるパラメータのうち、少なくとも一つは、上位層シグナリング（ＲＲＣシグナリング、Dedicated signaling）で端末装置２に送信されてもよい。これら電力制御に関するパラメータの設定にセットされるパラメータのうち、少なくとも一つは、物理チャネル（ＤＣＩフォーマット）で端末装置２に送信されてもよい。これら電力制御に関するパラメータの設定にセットされるパラメータのうち、少なくとも一つは、端末装置２にそのパラメータのデフォルトが設定されてもよい。
【０２３６】
第１の設定および第２の設定がそれぞれ、同じサブフレーム（１つのサブフレーム）に対して上りリンクサブフレームと下りリンクサブフレーム、または、下りリンクサブフレームとスペシャルサブフレーム、または、上りリンクサブフレームとスペシャルサブフレームのように、異なる種類のサブフレームが設定される場合、そのようなサブフレームをフレキシブルサブフレームと呼称する場合もある。つまり、フレキシブルサブフレームは、状況に応じて、異なる種類のサブフレームとして処理可能なサブフレームのことである。それに対し、固定サブフレームは、第１の設定および第２の設定で同じ種類のサブフレームが設定されるサブフレームのことである。例えば、サブフレームｉで第１の設定および第２の設定ともに上りリンクサブフレームを示す場合、サブフレームｉは固定サブフレームである。サブフレームｉで第１の設定および第２の設定が異なる種類のサブフレームを示す場合には、サブフレームｉはフレキシブルサブフレームである。複数の固定サブフレームと複数のフレキシブルサブフレームは、それぞれサブフレームセットとして設定されてもよい。
【０２３７】
サブフレームセット毎にＴＰＣコマンドによる送信電力制御（アキュムレーション、アブソリュート）を行なってもよい。その際、各サブフレームセットにおけるアキュムレーションは、各サブフレームセットに対応する上りリンク電力制御に関するパラメータの設定に含まれる端末装置２毎に設定される物理チャネル（ＰＵＳＣＨ、ＰＵＣＣＨ）の電力（p0-UE-PUSCH, p0-UE-PUCCH）が再設定（変更）される場合、アキュムレーションによって得られる電力制御調整値（累積値、累算値、積算値、加算値）もリセット（初期化）されてもよい。また、各サブフレームセットに属する上りリンクサブフレームに対応する下りリンクサブフレームでランダムアクセスレスポンスメッセージを受信する場合、各サブフレームセットに対応するアキュムレーションの電力制御調整値をリセット（初期化）してもよい。端末装置２は、サブフレームセット毎にアキュムレーションによって得られた電力制御調整値を独立にリセットしてもよい。なお、サブフレームセット毎にＴＰＣコマンドによって得られる電力制御調整値ｆ（ｉ）が設定され、ランダムアクセスレスポンスメッセージの受信に基づいて各サブフレームセットに対する電力制御調整値ｆ（ｉ）がそれぞれリセットされる場合、各サブフレームセットに対する電力制御調整値に用いられる初期値ｆ（０）（the first value）は、個別にセットされてもよい。例えば、ランダムアクセスレスポンスメッセージの受信に基づいて第１のサブフレームセットに対する電力制御調整値がリセットされる場合には、第１のサブフレームセットに対する電力制御調整値に用いられる初期値ｆ（０）は、ランダムアクセスの送信電力制御に関するパラメータ（初期送信されるランダムアクセスプリアンブルの電力値、最初の（初期送信の）ランダムアクセスプリアンブルから最後の（最後に再送信された）ランダムアクセスプリアンブルまでのパワーランプアップの総数（合計）、パワーランプアップ毎に加算される電力値など）およびランダムアクセスレスポンスで指示されたＴＰＣコマンドフィールドにセットされた値に対応する補正値に基づいてセットされてもよい。また、ランダムアクセスレスポンスメッセージの受信に基づいて第２のサブフレームセットに対する電力制御調整値がリセットされる場合には、第２のサブフレームセットに対する電力制御調整値に用いられる初期値は、０（または所定の値）にセットされてもよい。また、第１のサブフレームセットに対する電力制御調整値の初期値と第２のサブフレームセットに対する電力制御調整値の初期値は、上記の逆の手段（方法）でそれぞれセットされてもよい。すなわち、複数のサブフレームセットそれぞれに対する電力制御調整値がそれぞれリセットされる場合、各電力制御調整値に用いられる初期値ｆ（０）は、それぞれ個別に（別の方法で、別の手段で、個別のパラメータとして）セットされる。
【０２３８】
ＴＰＣコマンドは上りリンクに関するグラント（上りリンクグラント）または下りリンクに関するグラント（下りリンクグラント）にセットされて、端末装置２へ送信される。上りリンクに関するグラント（上りリンクグラント）には、セミパーシステントグラント（Semi-persistent grant, semi-persistent scheduling grant）、ダイナミックスケジュールドグラント（Dynamic scheduled grant）、ランダムアクセスレスポンスグラント（Random Access Response grant）がある。セミパーシステントグラントは、周期的（定期的、準静的）なデータの送信を指示するために用いられる。ここで、セミパーシステントグラントとは、ＳＰＳ  Ｃ−ＲＮＴＩによってスクランブルされたＣＲＣパリティビットが付加されたＤＣＩフォーマットが含まれる。ダイナミックスケジュールドグラントは、ユーザデータの送信およびリソース割り当てを指示するために用いられる。ここで、ダイナミックスケジュールドグラントとは、Ｃ−ＲＮＴＩによってスクランブルされたＣＲＣパリティビットが付加されたＤＣＩフォーマットが含まれる。ランダムアクセスレスポンスグラントは、基地局装置１から送信されたランダムアクセスレスポンスに対してユーザ情報（端末装置２の情報）を含むデータの送信およびそのリソース割り当てを指示するために用いる。上述したように、ランダムアクセルレスポンスグラントには、コンテンションベースのランダムアクセスプロシージャにおけるランダムアクセスレスポンスグラントが含まれる。これらのデータの送信はＰＵＳＣＨを用いて行なわれる。つまり、これらのグラントは、ＰＵＳＣＨのリソース割り当ておよびＰＵＳＣＨの送信指示、ＰＵＳＣＨのスケジューリングを含んでいる。
【０２３９】
ここで、セミパーシステントグラントによるＰＵＳＣＨの送信の指示には、セミパーシステントグラントによってＰＵＳＣＨのリソース割り当てが指示されること、またはＰＵＳＣＨがスケジュールされることが含まれる。ダイナミックスケジュールドグラントによるＰＵＳＣＨの送信の指示には、ダイナミックスケジュールドグラントによってＰＵＳＣＨのリソース割り当てが指示されること、またはＰＵＳＣＨがスケジュールされることが含まれる。ランダムアクセスレスポンスグラントによるＰＵＳＣＨの送信の指示には、ランダムアクセスレスポンスグラントによってＰＵＳＣＨのリソース割り当てが指示されることまたはＰＵＳＣＨがスケジュールされることが含まれる。つまり、各グラントにおけるＰＵＳＣＨの送信の指示とは、各グラントに対応するＰＵＳＣＨのリソース割り当てが指示されること、またはＰＵＳＣＨがスケジュールされることを含む。
【０２４０】
例えば、端末装置２は、受信した情報に基づいて第１の設定または第２の設定の何れか一方のみがセットされる場合、ダイナミックスケジュールドグラントによってＰＵＳＣＨがスケジュールされると、第１の電力制御（第１の電力制御方法）に基づいて前記ＰＵＳＣＨの送信電力はセットされ、第１の設定および第２の設定の両方がセットされる場合、ダイナミックスケジュールドグラントによってＰＵＳＣＨがスケジュールされると、第２の電力制御（第２の電力制御方法）に基づいてＰＵＳＣＨの送信電力はセットされる。この際、同じグラントによってＳＲＳの送信が要求される（ポジティブＳＲＳリクエストを検出する）場合、ＰＵＳＣＨに適用される電力制御に基づいてＳＲＳの送信電力はセットされる。また、セミパーシステントグラントによってＰＵＳＣＨがスケジュールされる場合もそのＰＵＳＣＨの送信電力は同様の処理を行なってセットされてもよい。ここで、第１の電力制御に関するパラメータの設定や第２の電力制御に関するパラメータの設定に含まれる種々の電力制御パラメータは、図７や図８、図９と同じパラメータがセットされてもよい。これらの電力制御に関するパラメータの設定は、サブフレームセット毎に設定されてもよい。これらの電力制御に関するパラメータの設定は、サービングセル毎に設定されてもよい。一部のパラメータは、サブフレームセット間またはサービングセル間で共有されてもよい。また、例えば、図７から図９に記載されているような電力制御に関するパラメータの設定には、その設定を示すＩＤ（電力制御ＩＤ）が付与されてもよい。端末装置２は、サブフレームセットの設定に、電力制御ＩＤが含まれている場合、そのサブフレームセットで送受信するサブフレームは、その電力制御ＩＤと対応付けられた電力制御に関するパラメータの設定に基づいて送信電力および／または受信電力をセットする。端末装置２は、サブフレームセットと電力制御ＩＤが対応付けられている場合には、その電力制御に関するパラメータの設定に基づいて電力をセットする。図７から図９は、上りリンク電力制御について記載されているが、電力制御ＩＤは下りリンク電力制御に関するパラメータの設定に対してもセットされてよい。
【０２４１】
また、ランダムアクセスレスポンスグラントによってスケジュールされるＰＵＳＣＨの送信電力は、受信した情報に基づいて第１の設定または第２の設定の何れか一方がセットされる場合、第３の電力制御（第３の電力制御方法）に基づいて設定され、受信した情報に基づいて第１の設定および第２の設定の両方が設定される場合であっても、第３の電力制御に基づいて設定される。つまり、この場合、端末装置２はセットした設定に因らず、共通の電力制御を行なう。
【０２４２】
なお、第１の電力制御に関するパラメータの設定、第２の電力制御に関するパラメータの設定、第３の電力制御に関するパラメータの設定およびそのパラメータの設定に含まれる種々のパラメータは、それぞれ独立にセットされてもよい。また、第１の電力制御に関するパラメータの設定、第２の電力制御に関するパラメータの設定は図７や図８、図９で示した例に基づいて設定されてもよい。また、第３の電力制御に関するパラメータの設定は、ランダムアクセスチャネルの設定に含まれてもよい。
【０２４３】
ランダムアクセスレスポンスグラントに対応する上りリンク信号の送信電力制御に関する情報には、独立なパラメータ（preambleInitialReceivedTargetPower（ＰＯ＿ＰＲＥ）、ΔＰＲＥＡＭＢＬＥ＿Ｍｓｇ３）が設定されてもよい。また、ランダムアクセスレスポンスグラントに対応する上りリンク送信電力には、専用のＴＰＣコマンド（δｍｓｇ２）が適用されてもよい。また、これらのパラメータはサブフレームセット毎に設定されてもよい。
【０２４４】
ランダムアクセスレスポンスグラントに対応する上りリンク信号の電力制御に関する情報が独立に複数セットされる場合、他のグラントに対応する上りリンク信号の電力制御と同様に処理してもよい。
【０２４５】
すなわち、受信したグラントの種類に応じて、１つの電力制御を処理するのか２つの電力制御を処理するのかを切り替えられる。
【０２４６】
なお、上記各実施形態において、第１の設定と第２の設定の両方がセットされているか否かによって、２つの電力制御方法を切り替えられるグラントと第１の設定と第２の設定の両方がセットされているか否かに因らず同一の電力制御方法が適用されるグラントがある。干渉を考慮して適切な電力制御を行なうグラントと干渉を考慮せずに電力制御を行なうグラントを分けることができる。
【０２４７】
なお、上記各実施形態において、第１の設定または第２の設定の何れか一方がセットされた端末装置２は、ダイナミックスケジュールドグラントまたはセミパーシステントグラントによって上りリンク信号がスケジュールされると、第１の電力制御方法に基づいて上りリンク信号の送信電力をセットし、第１の設定および第２の設定の両方がセットされた端末装置２は、ダイナミックスケジュールドグラントまたはセミパーシステントグラントによって上りリンク信号がスケジュールされると、第２の電力制御方法に基づいて上りリンク信号の送信電力をセットする。また、端末装置２は、ランダムアクセスレスポンスグラントによって上りリンク信号がスケジュールされると、セットされた設定に因らず、常に第３の電力制御方法に基づいて上りリンク信号の送信電力をセットする。
【０２４８】
なお、上記各実施形態において、第１の設定および第２の設定がセットされる場合、端末装置２は、ランダムアクセスレスポンスメッセージを受信すると、第１の上りリンク電力制御および／または第２の上りリンク電力制御に含まれるＴＰＣコマンドによるアキュムレーションの累算値をリセット（初期化）してもよい。また、端末装置２に対して、第１の上りリンク電力制御に関する情報および第２の上りリンク電力制御に関する情報にそれぞれ端末装置固有の電力パラメータ（ＰＯ＿ＵＥ＿ＰＵＳＣＨ、ＰＯ＿ＵＥ＿ＰＵＣＣＨ）が設定されている場合、それらの電力パラメータが上位層によって再設定（値が変更）されると、それぞれの上りリンク電力制御に含まれるＴＰＣコマンドフィールドのセットされた値に対応する補正値のアキュムレーションの累算値はリセット（初期化）されてもよい。ＴＰＣコマンドのアキュムレーションによって得られた累算値を電力制御調整値と呼称してもよい。
【０２４９】
ここで、ランダムアクセスレスポンスグラントによってスケジュールされる上りリンク信号の送信電力制御が第１のサブフレームセットおよび第２のサブフレームセット、すなわち、複数のサブフレームセットで共通である場合、端末装置２は、ランダムアクセスレスポンスメッセージを受信すると、アキュムレーションによって得られた電力調整値をリセットする。つまり、第１の上りリンク電力制御および第２の上りリンク電力制御で独立にアキュムレーションによる電力制御が行なわれていたとしても、アキュムレーションによって得られた電力調整値はリセットされてもよい。
【０２５０】
なお、上記各実施形態において、第１の電力制御に関する情報および第２の電力制御に関する情報で端末固有の電力パラメータ（ＰＯ＿ＵＥ＿ＰＵＳＣＨ、ＰＯ＿ＵＥ＿ＰＵＣＣＨ）が共通である場合、端末固有の電力パラメータが再設定（値が変更）されると、アキュムレーションによる累算値をリセットする。つまり、第１の電力制御および第２の電力制御で独立にアキュムレーションによる電力制御が行なわれていたとしても、アキュムレーションによる累算値はリセットされてもよい。
【０２５１】
なお、上記各実施形態において、端末装置２は、第１の設定および第２の設定の両方がセットされる場合、セミパーシステントグラントによってＰＵＳＣＨがスケジュールされると、ＰＵＳＣＨの送信サブフレームが固定サブフレーム（第１のサブフレーム）であれば、すなわち、固定サブフレームに対してＰＵＳＣＨがスケジュールされていれば、第１の電力制御に関する情報に設定されているパラメータ（例えば、ＰＯ＿ＮＯＭＩＮＡＬ＿ＰＵＳＣＨ、ＰＯ＿ＵＥ＿ＰＵＳＣＨ）に基づいてセミパーシステントグラントに対応するＰＵＳＣＨの送信電力をセットし、ＰＵＳＣＨの送信サブフレームがフレキシブルサブフレーム（第２のサブフレーム）であれば、すなわち、フレキシブルサブフレームに対してＰＵＳＣＨがスケジュールされていれば、第２の電力制御に関する情報にセットされているパラメータ（例えば、ＰＯ＿ＮＯＭＩＮＡＬ＿ＰＵＳＣＨ、ＰＯ＿ＵＥ＿ＰＵＳＣＨ）に基づいてセミパーシステントグラントに対応するＰＵＳＣＨの送信電力をセットする。
【０２５２】
なお、上記各実施形態において、端末装置２は、第１の設定および第２の設定の両方がセットされる場合、ダイナミックスケジュールドグラントによってＰＵＳＣＨがスケジュールされると、ＰＵＳＣＨの送信サブフレームが固定サブフレーム（第１のサブフレーム）であれば、すなわち、固定サブフレームに対してＰＵＳＣＨがスケジュールされていれば、第１の電力制御に関するパラメータの設定にセットされているパラメータ（例えば、ＰＯ＿ＮＯＭＩＮＡＬ＿ＰＵＳＣＨ、ＰＯ＿ＵＥ＿ＰＵＳＣＨ）に基づいてダイナミックスケジュールドグラントに対応するＰＵＳＣＨの送信電力をセットし、ＰＵＳＣＨの送信サブフレームがフレキシブルサブフレーム（第２のサブフレーム）であれば、すなわち、フレキシブルサブフレームに対してＰＵＳＣＨがスケジュールされていれば、第２の電力制御に関するパラメータの設定にセットされているパラメータ（例えば、ＰＯ＿ＮＯＭＩＮＡＬ＿ＰＵＳＣＨ、ＰＯ＿ＵＥ＿ＰＵＳＣＨ）に基づいてダイナミックスケジュールドグラントに対応するＰＵＳＣＨの送信電力をセットする。
【０２５３】
なお、上記各実施形態において、端末装置２は、第１の設定および第２の設定の両方がセットされる場合、ランダムアクセスレスポンスグラントによってＰＵＳＣＨがスケジュールされると、ＰＵＳＣＨの送信サブフレームが固定サブフレームまたはフレキシブルサブフレームに因らず、同一の電力制御に関するパラメータの設定にセットされているパラメータに基づいてランダムアクセスレスポンスグラントに対応しているＰＵＳＣＨの送信電力をセットする。
【０２５４】
なお、上記各実施形態において、端末装置２に対して、第１の設定および第２の設定がセットされる場合、共有探索領域（CSS: Common Search Space）で検出した下りリンク制御情報（ＤＣＩ）フォーマットで上りリンク信号がスケジュールされる場合と、端末装置固有探索領域（USS: UE specific Search Space）で検出した下りリンク制御情報フォーマットで上りリンク信号がスケジュールされる場合とで、独立な電力制御方法が適用されてもよい。つまり、端末装置２は、第１の設定および第２の設定の両方がセットされている場合、ＣＳＳで検出したＤＣＩフォーマットで上りリンク信号がスケジュールされると、第１の電力制御方法に基づいて上りリンク信号の送信電力を設定し、ＵＳＳで検出したＤＣＩフォーマットで上りリンク信号がスケジュールされると、第２の電力制御方法に基づいて上りリンク信号の送信電力を設定する。また、ＵＳＳで検出したＤＣＩフォーマットで上りリンク信号がスケジュールされると、第１の電力制御方法または第２の電力制御方法に基づいて上りリンク信号の送信電力を設定してもよい。
【０２５５】
なお、上記各実施形態において、ＵＳＳで検出されたＤＣＩフォーマットが第１のサブフレームセットに属する上りリンクサブフレームに対して上りリンク信号をスケジュールする場合と第２のサブフレームセットに属する上りリンクサブフレームに対して上りリンク信号をスケジュールする場合でＤＣＩフォーマットに送信されるＴＰＣコマンドによる送信電力制御は独立に行なわれてもよい。
【０２５６】
なお、上記各実施形態において、ＣＳＳで検出されたＤＣＩフォーマットが上りリンク信号をスケジュールしている場合には、第１のサブフレームセットおよび第２のサブフレームセットに因らず、共通の送信電力制御が行なわれてもよい。
【０２５７】
なお、上記各実施形態において、端末装置２は、第１の設定または第２の設定の何れか一方がセットされる場合、第１のＤＣＩフォーマットによって上りリンク信号の送信が指示されると、第１の電力制御方法（または第２の電力制御方法）に基づいて上りリンク信号の送信電力をセットし、第１の設定および第２の設定の両方がセットされる場合、第１のサブフレームセットおよび第２のサブフレームセットを設定することができ、第１のサブフレームセットに属する上りリンクサブフレームに対して第１のＤＣＩフォーマットによって上りリンク信号の送信が指示されると、第１の電力制御方法に基づいて上りリンク信号の送信電力をセットし、第２のサブフレームセットに属する上りリンクサブフレームに対して第１のＤＣＩフォーマットによって上りリンク信号の送信が指示されると、第２の電力制御方法に基づいて上りリンク信号の送信電力をセットしてもよい。
【０２５８】
例えば、同一の上りリンクデータ（トランスポートブロック）に対するＰＵＳＣＨの再送信においては、ＰＵＳＣＨの再送信を指示するＤＣＩフォーマットに付加されているＣＲＣは、Ｃ−ＲＮＴＩを用いてスクランブルされている場合とＴｅｍｐｏｒａｒｙ  Ｃ−ＲＮＴＩを用いてスクランブルされている場合がある。ＣＲＣがＣ−ＲＮＴＩを用いてスクランブルされている場合、第１のサブフレームセットに属する上りリンクサブフレームにおいては、ＰＵＳＣＨの送信電力は、第１の電力制御方法に基づいてセットされ、第２のサブフレームセットに属する上りリンクサブフレームにおいては、ＰＵＳＣＨの送信電力は、第２の電力制御方法に基づいてセットされてもよい。ＣＲＣがＴｅｍｐｏｒａｒｙ  Ｃ−ＲＮＴＩを用いてスクランブルされている場合、第１のサブフレームセットに属する上りリンクサブフレームおよび第２のサブフレームセットに属する上りリンクサブフレームにおいては、ＰＵＳＣＨの送信電力は、同じ電力制御方法（例えば、第３の電力制御方法）に基づいてセットされてもよい。
【０２５９】
なお、上記各実施形態において、端末装置２は、再送信が指示されたＤＣＩフォーマットを検出する場合、サブフレームセットに因らず、同一の上りリンク電力制御方法に基づいて再送信する上りリンク信号の送信電力をセットしてもよい。
【０２６０】
なお、上記各実施形態において、Ｃ−ＲＮＴＩでスクランブルされたＣＲＣが付加されたＤＣＩフォーマットを含むＰＤＣＣＨ（ＥＰＤＣＣＨ）によって上りリンク信号（例えば、ＰＵＳＣＨ）の送信が指示される（上りリンク信号のリソースが割り当てられる）場合、上りリンク信号の送信が第１のサブフレームセットに属する上りリンクサブフレームであるとすると、上りリンク信号の送信電力は第１の電力制御方法に基づいてセットされ、上りリンク信号の送信が第２のサブフレームセットに属する上りリンクサブフレームであるとすると、上りリンク信号の送信電力は第２の電力制御方法に基づいてセットされる。この際、他の上りリンク信号（例えば、ＳＲＳ）の送信が指示される場合、他の上りリンク信号の送信電力は、上りリンク信号の送信電力と同じ電力制御方法に基づいてセットされる。また、Ｔｅｍｐｏｒａｒｙ  Ｃ−ＲＮＴＩでスクランブルされたＣＲＣが付加されたＤＣＩフォーマットを含むＰＤＣＣＨ（ＥＰＤＣＣＨ）によって上りリンク信号（例えば、ＰＵＳＣＨ）の送信が指示される場合、上りリンク信号の送信が第１のサブフレームセットに属する上りリンクサブフレームであるとすると、上りリンク信号の送信電力は第３の電力制御方法に基づいてセットされ、上りリンク信号の送信が第２のサブフレームセットに属する上りリンクサブフレームであるとすると、上りリンク信号の送信電力は第３の電力制御方法に基づいてセットされる。
【０２６１】
なお、上記各実施形態において、端末装置２は、複数の条件を満たすことにより、複数のサブフレームセットに対応する上りリンク信号の電力制御を共通の電力制御方法に基づいて行なう場合と独立な電力制御方法に基づいて行なう場合とを切り替えることができる。
【０２６２】
なお、上記各実施形態において、端末装置２は、特定の識別子に対しては、第１の設定および／または第２の設定がセットされるかによって、電力制御方法を切り替えることができ、また別の識別子に対しては、第１の設定および／または第２の設定がセットされるかに因らず、所定の電力制御方法に基づいて送信電力をセットする。
【０２６３】
なお、上記各実施形態において、複数のサブフレームセットが設定されている端末装置２は、Ｃ−ＲＮＴＩを伴う上りリンク信号の送信を行なうとすると、第１のサブフレームセットに属する上りリンクサブフレームでは、第１の電力制御方法に基づいて上りリンク信号の送信電力をセットし、第２のサブフレームセットに属する上りリンクサブフレームでは、第２の電力制御方法に基づいて上りリンク信号の送信電力をセットしてもよい。Ｔｅｍｐｏｒａｒｙ  Ｃ−ＲＮＴＩを伴う上りリンク信号の送信を行なうとすると、第１のサブフレームセットまたは第２のサブフレームセットに因らず、共通の電力制御方法に基づいて上りリンク信号の送信電力をセットしてもよい。
【０２６４】
なお、上記各実施形態において、受信処理は、検出処理（Detection）を含んでもよい。また、受信処理は、復調処理（Demodulation）を含んでもよい。また、受信処理は、復号処理（Decode, Decoding）を含んでもよい。
【０２６５】
なお、上記各実施形態において、複数のサブフレームセットが複数の情報に基づいて設定される場合、第１の設定に関する情報および／または第２の設定に関する情報は、システムインフォメーションで送信されてもよい。また、第１の設定に関する情報および／または第２の設定に関する情報は、上位層シグナリング（Ｌ３シグナリング、ＲＲＣシグナリング、インプリシットシグナリング、セミスタティックシグナリング）で送信されてもよい。また、第１の設定に関する情報または第２の設定に関する情報の何れか一方はダイナミックシグナリング（Ｌ１シグナリング、制御シグナリング、エクスプリシットシグナリング）で送信されてもよい。また、第１の設定に関する情報または第２の設定に関する情報の何れか一方はＭＡＣシグナリング（Ｌ２シグナリング）で送信されてもよい。
【０２６６】
なお、上記各実施形態において、複数のサブフレームセットの設定とは、複数の測定サブフレームセットが設定されることであってもよい。また、複数のサブフレームセットの設定とは、複数の上りリンク送信サブフレームセットが設定されることであってもよい。また、複数のサブフレームセットの設定とは、複数の下りリンク受信サブフレームセットが設定されることであってもよい。また、複数のサブフレームセットの設定とは、複数のＨＡＲＱ送信サブフレームセットが設定されることであってもよい。また、複数のサブフレームセットの設定とは、異なる種類のサブフレームタイプ（例えば、固定サブフレームとフレキシブルサブフレーム）が設定されたサブフレームセットが複数設定されることであってもよい。
【０２６７】
なお、上記各実施形態において、サブフレームセットは、例えば、１０サブフレームで構成される無線フレームにおいて、特定のサブフレームのグループのことを指してもよい。一例として、第１のサブフレームセットは、＃０、＃１、＃２、＃５、＃６、＃７のサブフレームで構成され、第２のサブフレームセットは、＃３、＃４、＃８、＃９のサブフレームで構成されてもよい。これらのサブフレームセットは、特定の情報に基づいて構成されてもよい。また、これらのサブフレームセットは、端末装置２に予め設定されてもよい。また、これらのサブフレームセットは、基地局装置１から端末装置２へ個別にダイナミックまたはセミスタティックに通知されてもよい。これらのサブフレームセットは、ＤＣＩフォーマットまたは上位層シグナリングで通知されてもよい。
【０２６８】
なお、上記各実施形態において、基地局装置１は、サブフレームセットを設定するためのサブフレーム設定に関する情報を端末装置２へ送信する。また、基地局装置１は、電力制御に関するパラメータの設定情報を端末装置２へ送信する。端末装置２は、サブフレーム設定に基づいて複数のサブフレームセットを設定する。また、端末装置２は、電力制御に関するパラメータの設定に基づいて、複数のサブフレームセットにそれぞれ対応する電力制御を行なう。
【０２６９】
なお、上記各実施形態において、端末装置２は、第１の設定および第２の設定に基づいて、第１のサブフレームセットと第２のサブフレームセットを設定してもよい。ここで、第１のサブフレームセットとは、第１の設定および第２の設定において、同じサブフレームで同じ種類のサブフレーム（上りリンクサブフレームと上りリンクサブフレーム、下りリンクサブフレームと下りリンクサブフレーム、スペシャルサブフレームとスペシャルサブフレーム）が設定されるサブフレームのセットのことであり、第２のサブフレームセットとは、第１の設定および第２の設定において、同じサブフレームで異なる種類のサブフレーム（下りリンクサブフレームと上りリンクサブフレーム、下りリンクサブフレームとスペシャルサブフレーム、上りリンクサブフレームとスペシャルサブフレーム）が設定されるサブフレームのセットのことである。例えば、第１の設定と第２の設定は、ＴＤＤ  ＵＬ／ＤＬ設定に基づいて設定されてもよい。
【０２７０】
なお、上記各実施形態において、第１の設定および第２の設定の両方がセットされる場合、端末装置２は、第１の設定に基づいて上りリンク信号を送信するサブフレーム（上りリンクサブフレーム）をセットし、第２の設定に基づいて下りリンク信号を受信するサブフレーム（下りリンクサブフレーム）をセットしてもよい。ここで、第１の設定によって上りリンクサブフレームと設定したサブフレームが第２の設定によって下りリンクサブフレームと設定したサブフレームと同じである場合、つまり、同一サブフレームで上りリンクサブフレームと下りリンクサブフレームの両方が設定されている場合、そのサブフレームをフレキシブルサブフレームと呼称する場合もある。フレキシブルサブフレームで上りリンク信号を送信する場合、その送信電力制御は、他の上りリンクサブフレームとは独立に行なわれてもよい。
【０２７１】
なお、上記各実施形態において、複数のコンポーネントキャリア（複数のサービングセル、複数のセル）を用いて通信を行なうキャリアアグリゲーションを行なう場合、セル毎に複数のサブフレームセットが設定されてもよい。つまり、セル毎に設定されたサブフレームセットのサブフレームパターンはセル間で共有されなくてもよい。１つのサブフレームセットに関しては、セル間で共有されてもよい。
【０２７２】
なお、上記各実施形態において、サブフレームセットの設定は、１セットだけであってもよい。サブフレームセットの設定に含まれるサブフレームのセット（グループ）を第１のサブフレームセットとし、サブフレームセットの設定に含まれなかったサブフレームのセット（グループ）を第２のサブフレームセットとしてもよい。サブフレームセットの設定は、上位層シグナリングで基地局装置１から端末装置２へ通知されてもよい。サブフレームセットの設定にセットされているパラメータは上位層シグナリング（Ｌ３シグナリング、ＲＲＣシグナリング）で通知され、その設定を実際に適用するか否かはＤＣＩフォーマット（Ｌ１シグナリング）で通知されてもよい。
【０２７３】
なお、なお、上記各実施形態において、第１の設定および第２の設定に基づいて、第１のサブフレームセットおよび第２のサブフレームセットが設定される場合、上記の設定方法の他に、第１の設定と第２の設定の何れか一方に、ＴＤＤ  ＵＬ／ＤＬ設定に関する情報が含まれ、もう一方の情報には、フレキシブルサブフレームを指示する情報または固定サブフレームを指示する情報が含まれて設定される方法がある。なお、固定サブフレームを指示する情報とは、第１の設定において、フレキシブルサブフレームとして処理しないサブフレームを指示する情報である。また、特定の種類のサブフレームを指示する情報であってもよい。
【０２７４】
なお、なお、上記各実施形態において、第１の設定と第２の設定と、が同じ（または同じ設定を示す）場合、複数のサブフレームセットは構成されなくてもよい。
【０２７５】
なお、上記各実施形態において、端末装置２は、物理チャネルの種類に応じて送信する物理チャネル／物理信号の優先度が設定または事前に定義されてもよい。
【０２７６】
なお、上記各実施形態において、端末装置２は、第２の下りリンク参照信号に基づく受信電力の測定結果を基地局装置１へ報告してもよい。端末装置２は、その報告を周期的に行なってもよい。また、端末装置２は、その報告をある条件を満たした場合に行なってもよい。
【０２７７】
なお、上記各実施形態において、端末装置２は、第２の下りリンク参照信号に基づく受信電力を測定する場合、その受信電力に基づいて上りリンク信号の送信電力制御を行なってもよい。また、端末装置２は、下りリンクパスロスをその受信電力に基づいて決定してもよい。
【０２７８】
なお、上記各実施形態において、端末装置２は、第１の上りリンク参照信号および／または第２の上りリンク参照信号の送信電力を含む種々の上りリンク信号の送信電力の合計が端末装置２に設定される総最大出力電力（PCMAX: UE total configured maximum output power）を超える場合、第１の上りリンク参照信号および／または第２の上りリンク参照信号を送信しなくてもよい。
【０２７９】
なお、上記各実施形態は、それぞれ組み合わせて実現されてもよい。例えば、第１の実施形態と第２の実施形態を組み合わせてもよい。また、第２の実施形態と第３の実施形態を組み合わせてもよい。また、基本形態と変形例を組み合わせてもよい。また、変形例１と変形例２を組み合わせてもよい。
【０２８０】
なお、上記各実施形態では、実際に上りリンク信号を送信するサブフレームおよび／または下りリンク信号を受信するサブフレームを第１の設定および第２の設定とは独立にセットされるパラメータ（例えば、第３の設定）に基づいてセットされてもよい。
【０２８１】
なお、上記各実施形態では、第１の設定および／または第２の設定は、システムインフォメーションブロックタイプ１（ＳＩＢ１）またはＲＲＣメッセージで通知されてもよい。また、第１の設定と第２の設定は、同じＳＩＢ１または同じＲＲＣメッセージで通知されてもよい。
【０２８２】
なお、上記各実施形態では、第１の設定および第２の設定は、同じＲＲＣメッセージまたは同じシステムインフォメーションまたは同じ情報要素に設定されてもよい。また、第１の設定および第２の設定は、異なるＲＲＣメッセージまたは異なるシステムインフォメーションまたは異なる情報要素に設定されてもよい。また、第１の設定と第２の設定は、異なるパラメータとして独立に設定されてもよい。また、第１の設定および／または第２の設定は、セミスタティックに通知されてもよい。また、第１の設定および／または第２の設定は、ダイナミックに通知されてもよい。
【０２８３】
ここで、上記各実施形態において、第１の設定がシステムインフォメーションブロックタイプ１（ＳＩＢ１）またはＲＲＣメッセージで通知されるＴＤＤ  ＵＬ／ＤＬ設定である場合、第２の設定は、以下のような設定であってもよい。例えば、第２の設定は、追加ＴＤＤ  ＵＬ／ＤＬ設定（第２のＴＤＤ  ＵＬ／ＤＬ設定）であってもよい。また、第２の設定は、フレキシブルサブフレームを指示する情報（flexible subframe pattern）であってもよい。また、第２の設定は、固定サブフレームを指示する情報（fixed subframepattern）であってもよい。また、第２の設定は、リリース１２（Release12, r12）またはヴァージョン１２（version12, v12）に関する情報であってもよい。また、第２の設定は、前述した第１のサブフレームセットに対応する（または第１のサブフレームセットに属する）サブフレームを指示する情報であってもよい。また、第２の設定は、前述した第２のサブフレームセットに対応する（または第２のサブフレームセットに属する）サブフレームを指示する情報であってもよい。また、第２の設定は、フレキシブルサブフレームに対するＴＰＣコマンドを伴うＰＤＣＣＨ／ＥＰＤＣＣＨ（ＤＣＩフォーマット）が割り当て可能なサブフレームを指示する情報であってもよい。また、第２の設定は、ＣＲＳが受信可能なサブフレームを指示する情報であってもよい。また、第２の設定は、ＣＳＩ−ＲＳが受信可能なサブフレームを指示する情報であってもよい。また、第２の設定は、チャネル状態情報（ＣＳＩ、ＣＱＩ、ＰＭＩ、ＲＩ）の報告が可能なサブフレームを指示する情報であってもよい。また、第２の設定は、プライマリーセルでの測定（受信電力ＲＳＲＰ、受信品質ＲＳＲＱ、無線リンクモニタリング）に対して時間領域での測定を制限するサブフレームを指示する情報であってもよい。つまり、第２の設定は、測定を行なうサブフレームを指示する情報であってもよい。また、第２の設定は、隣接セルでの測定に対して時間領域での測定を制限するサブフレームを指示する情報であってもよい。また、第２の設定は、セカンダリーセルでの測定に対して時間領域での測定を制限するサブフレームを指示する情報であってもよい。また、第２の設定は、測定サブフレームパターンに基づいて設定されてもよい。また、第２の設定は、下りリンク信号が受信可能なサブフレームを指示する情報であってもよい。また、第２の設定は、追加可能な情報であってもよい。また、第２の設定は、第２のセル（セカンダリーセル）で物理上りリンク制御チャネルの送信可否に関する情報であってもよい。また、第２の設定は、ＨＡＲＱの送信が可能なサブフレームを指示する情報であってもよい。また、第２の設定は、パワーヘッドルーム報告が可能なサブフレームの指示する情報であってもよい。また、第２の設定は、あるチャネル状態情報（ＣＳＩ、ＣＱＩ、ＰＭＩ、ＲＩ）の報告に関連付けられたサブフレームを指示する情報であってもよい。また、第２の設定は、第２の設定とは異なるあるチャネル状態情報（ＣＳＩ、ＣＱＩ、ＰＭＩ、ＲＩ）の報告に関連付けられたサブフレームを指示する情報とは別に設定された情報あってもよい。つまり、第３の設定と第４の設定が、第２の設定とは別に設定され、そのいずれも���第２の設定と同様にサブフレームを指示する情報であってもよい。つまり、第３の設定と第４の設定が、第２の設定とは別に設定され、そのいずれもがあるチャネル状態情報（ＣＳＩ、ＣＱＩ、ＰＭＩ、ＲＩ）の報告に関連付けられたサブフレームを指示する情報とは別に設定された情報であってもよい。またその報告は、関連付けられたサブフレームパターン（セット）に含まれるＣＳＩ-ＲＳおよび、またはゼロパワーＣＳＩ−ＲＳおよび、またはＣＳＩ−ＩＭリソースに基づいて算出されたチャネル状態情報（ＣＳＩ、ＣＱＩ、ＰＭＩ、ＲＩ）であってもよい。同様の事が、前述の全ての第ｎの設定に適用されても良い。また、第２の設定が複数設定され、そのいずれかに基づいて、第１の電力制御方法と第２の電力制御方法が切り替えられても良い。すなわち、第２の設定は、追加ＴＤＤ  ＵＬ／ＤＬ設定（第２のＴＤＤ  ＵＬ／ＤＬ設定）であり、さらにあるチャネル状態情報（ＣＳＩ、ＣＱＩ、ＰＭＩ、ＲＩ）の報告に関連付けられたサブフレームを指示する情報が設定されても良い。また、第２の設定は、複数の基地局装置または複数の種類のセルの同時接続（dual connectivity）の可否を指示する情報であってもよい。なお、第２の設定は、システムで一意に決定されてもよい。また、第２の設定は、共有情報またはシステム情報として報知されてもよい。第２の設定は、ダイナミックに通知されてもよい。第２の設定は、ＤＣＩフォーマットに含まれるフィールドで示されてもよい。第２の設定は、セミスタティックに通知されてもよい。また、第２の設定は、上位層シグナリングで通知されてもよい。また、第２の設定は、端末装置固有の専用情報として端末装置２毎に個別に通知されてもよい。第２の設定をセット（再設定）できるか否かを示す情報（UE capability）が端末装置２から基地局装置１へ通知されてもよい。ここで、サブフレームを指示する情報は、サブフレームのパターン（またはセット、組み合わせ）を指示する情報であってもよい。サブフレームを指示する情報は、どのサブフレームが対応しているかを示す情報であってもよい。
【０２８４】
第１の設定または第２の設定の何れか一方がシステムインフォメーションブロックタイプ１（ＳＩＢ１）またはＲＲＣメッセージで通知されるＴＤＤ  ＵＬ／ＤＬ設定である場合、もう一方が前述の設定（指示情報）であってもよい。
【０２８５】
また、第１の設定および／または第２の設定は、ビットマップで設定されてもよい。さらにそのビットマップは、４０ビットもしくは８０ビットで構成されていてもよい。
【０２８６】
また、第１の設定および／または第２の設定は、テーブルに基づいて上りリンクサブフレーム、下りリンクサブフレーム、スペシャルサブフレームの構成をインデックス（またはインデックスを表す情報ビット、ビット系列）で指定されてもよい。例えば、テーブルとは、ＴＤＤ  ＵＬ／ＤＬ設定（TDD UL/DL configurations, uplink-downlink configuration）であってもよい。ＴＤＤ  ＵＬ／ＤＬ設定を表すテーブルは図３のように構成されてもよい。
【０２８７】
複数のサブフレームセットは、システムで一意に決定されてもよい。また、複数のサブフレームセットは、デフォルトが端末装置２に予め設定されてもよい。また、複数のサブフレームセットは、予め定義されてもよい。例えば、図３のようなＴＤＤ  ＵＬ／ＤＬ設定において、同じ種類のサブフレームが設定されているサブフレームと異なる種類のサブフレームが設定されているサブフレームで異なるセット（グループ）として取り扱われてもよい。ＴＤＤ  ＵＬ／ＤＬ設定（Uplink-Downlink configuration）インデックス０から６において、サブフレーム番号＃０、＃１、＃２、＃５で１つのサブフレームセットを構成し、サブフレーム番号＃３、＃４、＃６、＃７、＃８、＃９で１つのサブフレームセットを構成してもよい。また、スペシャルサブフレームと下りリンクサブフレームを同じ種類のサブフレームとみなした場合、サブフレーム番号＃０、＃１、＃２、＃５、＃６で１つのサブフレームセットを構成し、サブフレーム番号＃３、＃４、＃７、＃８、＃９で１つのサブフレームセットを構成してもよい。複数のサブフレームセットが設定される場合、複数のサブフレームセットの設定を指示する情報（multi-subframeset-Enabled）が基地局装置１から端末装置２へ送信されてもよい。複数のサブフレームセットが設定される場合、フレキシブルサブフレームの設定を指示する情報が基地局装置１から端末装置２へ送信されてもよい。
【０２８８】
なお、上記各実施形態において、指示する情報は、指示するパラメータまたはインディケータと呼称されてもよい。
【０２８９】
なお、上記各実施形態では、第２の設定は、追加ＴＤＤ  ＵＬ／ＤＬ設定（第２のＴＤＤ  ＵＬ／ＤＬ設定）であってもよい。また、第２の設定とは、ブランクサブフレームを指示する情報であってもよい。また、第２の設定は、フレキシブルサブフレームを指示する情報（flexible subframe pattern）であってもよい。また、第２の設定は、固定サブフレームを指示する情報（fixed subframe pattern）であってもよい。このとき、上りリンク参照ＵＬ−ＤＬ設定と下りリンク参照ＵＬ−ＤＬ設定は、テーブルなどを用いて、第１の設定と第２の設定から算出されても構わない。言い換えると、第１の設定と第２の設定に加え、第３の設定としてテーブルなどを用いて、上りリンク参照ＵＬ−ＤＬ設定と下りリンク参照ＵＬ−ＤＬ設定を決定してもよい。
【０２９０】
なお、上記各実施形態では、基地局装置１または端末装置２は、第１の設定と第２の設定のうち、一方を上りリンク参照ＵＬ−ＤＬ設定として設定し、もう一方を下りリンク参照ＵＬ−ＤＬ設定として設定してもよい。例えば、端末装置２は、第１の設定と第２の設定の２つを受信してから上りリンク参照ＵＬ−ＤＬ設定と下りリンク参照ＵＬ−ＤＬ設定に設定してもよい。なお、上りリンクに関連するＤＣＩフォーマット（例えば、ＤＣＩフォーマット０／４）は、上りリンク参照ＵＬ−ＤＬ設定で設定されている下りリンクサブフレームで送信されてもよい。
【０２９１】
また、上りリンク参照ＵＬ−ＤＬ設定と下りリンク参照ＵＬ−ＤＬ設定は同じテーブルを使用してそれぞれ設定されてもよい。ただし、同じテーブルに基づいて上りリンク参照ＵＬ−ＤＬ設定と下りリンク参照ＵＬ−ＤＬ設定のインデックスが設定される場合、上りリンク参照ＵＬ−ＤＬ設定と下りリンク参照ＵＬ−ＤＬ設定は異なるインデックスで設定されることが好ましい。つまり、上りリンク参照ＵＬ−ＤＬ設定と下りリンク参照ＵＬ−ＤＬ設定は、異なるサブフレームパターンが設定されることが好ましい。
【０２９２】
上記各実施形態では、第１の設定および第２の設定がともにＴＤＤ  ＵＬ／ＤＬ設定である場合には、条件に応じて、何れか一方を上りリンク参照ＵＬ−ＤＬ設定に設定し、もう一方を下りリンク参照ＵＬ−ＤＬ設定に設定してもよい。なお、上りリンク参照ＵＬ−ＤＬ設定は、少なくとも物理下りリンク制御チャネルが配置されるサブフレームと前記物理下りリンク制御チャネルが対応する物理上りリンク共用チャネルが配置されるサブフレームとの対応を決定するために用いられ、実際の信号の送信方向（つまり、上りリンクまたは下りリンク）とは異なっても構わない。下りリンク参照ＵＬ−ＤＬ設定は、少なくとも物理下りリンク共用チャネルが配置されるサブフレームと物理下りリンク共用チャネルに対応するＨＡＲＱ−ＡＣＫが送信されるサブフレームとの対応を決定するために用いられ、実際の信号の送信方向（つまり、上りリンクまたは下りリンク）とは異なっても構わない。すなわち、上りリンク参照ＵＬ−ＤＬ設定は、ＰＤＣＣＨ／ＥＰＤＣＣＨ／ＰＨＩＣＨが配置されるサブフレームｎとＰＤＣＣＨ／ＥＰＤＣＣＨ／ＰＨＩＣＨが対応するＰＵＳＣＨが配置されるサブフレームｎ＋ｋとの対応を特定（選択、決定）するために用いられる。１つのプライマリーセルが設定されている場合、または、１つのプライマリーセルおよび１つのセカンダリーセルが設定され、プライマリーセルに対する上りリンク参照ＵＬ−ＤＬ設定およびセカンダリーセルに対する上りリンク参照ＵＬ−ＤＬ設定が同じ場合は、２つのサービングセルのそれぞれにおいて、対応する上りリンク参照ＵＬ−ＤＬ設定が、ＰＤＣＣＨ／ＥＰＤＣＣＨ／ＰＨＩＣＨが配置されるサブフレームとＰＤＣＣＨ／ＥＰＤＣＣＨ／ＰＨＩＣＨが対応するＰＵＳＣＨが配置されるサブフレームとの対応を決定するために用いられる。また、下りリンク参照ＵＬ−ＤＬ設定は、ＰＤＳＣＨが配置されるサブフレームｎとＰＤＳＣＨに対応するＨＡＲＱ−ＡＣＫが送信されるサブフレームｎ＋ｋとの対応を特定（選択、決定）するために用いられる。１つのプライマリーセルが設定されている場合、または、１つのプライマリーセルおよび１つのセカンダリーセルが設定され、プライマリーセルに対する下りリンク参照ＵＬ−ＤＬ設定およびセカンダリーセルに対する下りリンク参照ＵＬ−ＤＬ設定が同じ場合は、２つのサービングセルのそれぞれにおいて、対応する下りリンク参照ＵＬ−ＤＬ設定が、ＰＤＳＣＨが配置されるサブフレームｎとＰＤＳＣＨに対応するＨＡＲＱ−ＡＣＫが送信されるサブフレームｎ＋ｋとの対応を特定（選択、決定）するために用いられる。
【０２９３】
また、端末装置２は、上りリンク送信参照用のＴＤＤ  ＵＬ／ＤＬ設定（第１のＴＤＤ  ＵＬ／ＤＬ設定）と下りリンク送信参照用のＴＤＤ  ＵＬ／ＤＬ設定（第２のＴＤＤ  ＵＬ／ＤＬ設定）が設定され、さらに、電力制御に関する情報が設定されると、第１のＴＤＤ  ＵＬ／ＤＬ設定と第２のＴＤＤ  ＵＬ／ＤＬ設定で示されているサブフレームパターンにおいて、同じサブフレームで同じ種類のサブフレームが設定されている場合には、そのサブフレームの電力制御は第１の電力制御方法に基づいて行なわれ、第１のＴＤＤ  ＵＬ／ＤＬ設定と第２のＴＤＤ  ＵＬ／ＤＬ設定で異なる種類のサブフレームが設定されている場合には、そのサブフレームの電力制御は第２の電力制御方法に基づいて行なわれる。
【０２９４】
第１のＴＤＤ  ＵＬ／ＤＬ設定および／または第２のＴＤＤ  ＵＬ／ＤＬ設定は、セミスタティックに通知されてもよい。また、第１のＴＤＤ  ＵＬ／ＤＬ設定および／または第２のＴＤＤ  ＵＬ／ＤＬ設定は、ダイナミックに通知されてもよい。第１のＴＤＤ  ＵＬ／ＤＬ設定と第２のＴＤＤ  ＵＬ／ＤＬ設定とで異なるインデックスがセットされている場合、複数のサブフレームセットが設定されてもよい。つまり、２つのＴＤＤ  ＵＬ／ＤＬ設定で同じ種類のサブフレームのセットと異なる種類のサブフレームのセットが設定されてもよい。それらのセットは独立にスケジュールされてもよい。
【０２９５】
端末装置２は、第２の設定として、第２のＴＤＤ  ＵＬ／ＤＬ設定（例えば、tdd-Config-v12, tdd-Config-r12, tdd-ConfigULreference-v12, tdd-ConfigDLreference-r12）がパラメータとして設定／追加される場合、第１のＴＤＤ  ＵＬ／ＤＬ設定に基づいて上りリンク信号を送信し、第２のＴＤＤ  ＵＬ／ＤＬ設定に基づいて下りリンク信号を受信してもよい。あるサブフレームにおいて、上りリンク信号の送信と下りリンク信号の受信が生じる場合、送信方向設定情報（第３の設定に関する情報）に基づいて、どちらを優先するか決定してもよい。
【０２９６】
なお、上記各実施形態では、第１の設定および／または第２の設定は、ＴＤＤ  ＵＬ／ＤＬ設定（TDD UL/DL configuration, TDD configuration, tdd-Config, uplink-downlink configuration(s)）であってもよい。また、第１の設定および／または第２の設定には、ビットマップによって示されるサブフレームパターンであってもよい。また、第１の設定と第２の設定のうち、何れか一方が上りリンクサブフレームを指示する情報であり、もう一方が下りリンクサブフレームを指示する情報であってもよい。これらの指示情報は、テーブルで定義されてもよいし、ビットマップで定義されてもよい。
【０２９７】
なお、基地局装置１は、第１の設定および第２の設定がセット可能な端末装置２に対しては、第１の設定または第２の設定のうち、何れか一方で上りリンクサブフレームを指示し、もう一方で下りリンクサブフレームを指示してもよい。また、端末装置２は、第１の設定または第２の設定のうち何れか一方がセットされる場合、指示されたサブフレーム以外のサブフレームを異なる種類のサブフレームと認識し、送受信処理を行なう。例えば、第１の設定で上りリンクサブフレーム、第２の設定で下りリンクサブフレームが指示される場合、第１の設定のみがセットされる端末装置２は、第１の設定に基づいて指示される上りリンクサブフレーム以外のサブフレームを下りリンクサブフレームまたはスペシャルサブフレームと認識し、受信処理／送信処理を行なう。また、第２の設定のみがセットされる端末装置２は、第２の設定に基づいて指示される下りリンクサブフレーム以外のサブフレームを上りリンクサブフレームまたはスペシャルサブフレームと認識し、送信処理／受信処理を行なう。なお、第１の設定および第２の設定で、同一サブフレームに対して上りリンクサブフレームおよび下りリンクサブフレームが設定されてもよい。
【０２９８】
例えば、端末装置２は、第１の設定および第２の設定がセットされる場合には、第１の設定に基づいて上りリンク信号の送信を行ない、第２の設定に基づいて下りリンク信号の受信を行なってもよい。また、端末装置２は、第１の設定および第２の設定がセットされる場合には、第１の設定に基づいて下りリンク信号の受信を行ない、第２の設定に基づいて上りリンク信号の送信を行なってもよい。どちらかの設定に基づいて上りリンク信号の送信および下りリンク信号の受信を行なうかは第３の設定に基づいて決定されてもよい。
【０２９９】
ここで、第１の設定がＴＤＤ  ＵＬ／ＤＬ設定だとすると、第２の設定は、フレキシブルサブフレームを指示する情報（パラメータ）であってもよい。なお、第２の設定は、テーブル管理されてもよい。また、第２の設定は、ビットマップによってフレキシブルサブフレームとして設定されるサブフレームを指示する情報であってもよい。
【０３００】
なお、上記各実施形態では、フレキシブルサブフレームは、上りリンクサブフレームであり、下りリンクサブフレームであるサブフレームのことである。また、フレキシブルサブフレームは、下りリンクサブフレームであり、スペシャルサブフレームであるサブフレームのことである。また、フレキシブルサブフレームは、上りリンクサブフレームであり、スペシャルサブフレームであるサブフレームのことである。つまり、フレキシブルサブフレームは、第１のサブフレームであり、第２のサブフレームであるサブフレームのことである。例えば、また、フレキシブルサブフレームとして設定されるサブフレームは、条件１の場合、第１のサブフレーム（例えば、上りリンクサブフレーム）として処理され、条件２の場合、第２のサブフレーム（例えば、下りリンクサブフレーム）として処理される。
【０３０１】
なお、フレキシブルサブフレームは、第１の設定および第２の設定に基づいて設定されてもよい。例えば、あるサブフレームｉに対して第１の設定では上りリンクサブフレーム、第２の設定では下りリンクサブフレームとして設定された場合、サブフレームｉはフレキシブルサブフレームとなる。フレキシブルサブフレームは、フレキシブルサブフレームのサブフレームパターンを指示する情報に基づいて設定されてもよい。
【０３０２】
また、上記各実施形態では、第１の設定および第２の設定は、２つのＴＤＤ  ＵＬ／ＤＬ設定ではなく、１つのＴＤＤ  ＵＬ／ＤＬ設定とフレキシブルサブフレームパターン（下りリンク候補サブフレームパターンまたは上りリンク候補サブフレームパターン、追加サブフレーム）であってもよい。端末装置２は、フレキシブルサブフレームパターンで示されるサブフレームインデックスにおいては、ＴＤＤ  ＵＬ／ＤＬ設定で上りリンクサブフレームと示されていてもそのサブフレームで上りリンク信号を送信することがなければ、下りリンク信号を受信することができるし、ＴＤＤ  ＵＬ／ＤＬ設定で下りリンクサブフレームと示されていても事前にそのサブフレームで上りリンク信号を送信することを指示されていれば、上りリンク信号を送信することができる。特定のサブフレームに対して上りリンク／下りリンク候補のサブフレームとして指示されてもよい。
【０３０３】
端末装置２は、第１の設定および第２の設定の両方がセットされると、ある条件に基づいて、何れか一方を上りリンクのためのサブフレームセットと認識し、もう一方を下りリンクのためのサブフレームセットと認識してもよい。ここで、上りリンクのためのサブフレームセットとは、ＰＵＳＣＨおよびＰＨＩＣＨの送信のために設定されるサブフレームのセットであり、下りリンクサブフレームセットとは、ＰＤＳＣＨおよびＨＡＲＱの送信のために設定されるサブフレームのセットである。ＰＵＳＣＨとＰＨＩＣＨのサブフレームの関連を示す情報とＰＤＳＣＨとＨＡＲＱのサブフレームの関連を示す情報が端末装置２に事前に設定されてもよい。つまり、第１の設定または第２の設定のうち、何れか一方を上りリンクサブフレームのサブフレームパターンを指示する情報であり、もう一方を下りリンクサブフレームのサブフレームパターンを指示する情報であってもよい。これらの情報は、ビットマップで設定されてもよい。
【０３０４】
なお、上記各実施形態において、電力制御には、電力制御方法、電力制御プロシージャ、電力制御プロセスなどが含まれてもよい。つまり、第１の上りリンク電力制御には、第１の上りリンク電力制御方法や第１の上りリンク電力制御プロシージャなどが含まれてもよい。
【０３０５】
なお、上記各実施形態において、第１の設定および第２の設定がセットされることにより、２つ以上のサブフレームセットが独立に構成される場合、それぞれのサブフレームセットに対して、端末装置２毎に設定されるサービングセルｃに対する最大送信電力（ＰＣＭＡＸ，ｃ）および／または最小送信電力が設定されてもよい。また、端末装置２が設定する総最大出力電力ＰＣＭＡＸ（UE total configured maximum output power）および総最小出力電力をサブフレームセット毎に設定してもよい。つまり、端末装置２は、独立した最大送信電力および／または最小送信電力を複数セットしてもよい。
【０３０６】
また、種々の上りリンク信号のリソース割り当てが同じ場合、基地局装置１は、各上りリンク信号の信号系列の違いによって、種々の上りリンク信号を検出することができる。つまり、基地局装置１は、受信した上りリンク信号の信号系列の違いによって、各上りリンク信号を識別することができる。また、基地局装置１は、受信した上りリンク信号の信号系列に違いによって、自局宛ての送信か否かを判定することができる。
【０３０７】
さらに、端末装置２は、基地局装置１から第２の下りリンク参照信号による受信電力測定が指示された場合、その測定結果に基づいて下りリンクパスロスを算出し、上りリンク送信電力制御に用いてもよい。
【０３０８】
ここで、受信電力測定は、参照信号受信電力（RSRP: Reference Signal Received Power）測定や受信信号電力測定と呼称する場合もある。また、受信品質測定は、参照信号受信品質（RSRQ: Reference Signal Received Quality）測定や受信信号品質測定と呼称する場合もある。
【０３０９】
また、第２の下りリンク参照信号のリソース割り当て（Resource allocation, mapping to resource elements, mapping to physical resources）は、周波数シフトされてもよい。第２の下りリンク参照信号の周波数シフトは、物理セルＩＤに基づいて決定されてもよい。また、第２の下りリンク参照信号の周波数シフトは、仮想セルＩＤに基づいて決定されてもよい。
【０３１０】
一例として、基地局装置１から端末装置２に対して、第２の下りリンク参照信号の受信電力測定を行なうか否かを指示する情報が通知される。端末装置２は、その指示情報が第２の下りリンク参照信号の受信電力測定を行なうことができると指示している場合、第２の下りリンク参照信号の受信電力測定を行なう。この時、端末装置２は、パラレルに第１の下りリンク参照信号の受信電力測定を行なってもよい。端末装置２は、その指示情報が第２の下りリンク参照信号の受信電力測定を行なうことができないと指示している場合、端末装置２は、第１の下りリンク参照信号のみの受信電力測定を行なう。さらに、この指示情報には、第２の下りリンク参照信号の受信品質測定を行なうか否かを指示する情報が含まれてもよい。また、第３の下りリンク参照信号は、この指示情報によらず、受信電力測定を行なってもよい。
【０３１１】
また、別の例として、基地局装置１から端末装置２に対して、第１の下りリンク参照信号の受信電力測定を行なうか第２の下りリンク参照信号の受信電力測定を行なうかを指示する情報が通知される。端末装置２は、その指示情報が第１の下りリンク参照信号の受信電力測定を行うことを指示している場合、第１の下りリンク参照信号の受信電力測定を行なう。端末装置２は、その指示情報が第２の下りリンク参照信号の受信電力測定を行なうことを指示している場合、第２の下りリンク参照信号の受信電力測定を行なう。つまり、この指示情報は、受信電力測定の切り替えを指示する情報である。また、この指示情報には、受信品質測定を行うか否かを指示する情報が含まれてもよい。この例では、この指示情報は、２つの下りリンク参照信号の受信電力測定の切り替えを指示する情報であることを述べたが、３つ以上の下りリンク参照信号の受信電力測定の切り替えを指示する情報であってもよい。また、第３の下りリンク参照信号は、この指示情報によらず、受信電力測定を行なってもよい。また、第２の下りリンク参照信号の送信電力および／または第３の下りリンク参照信号の送信電力は、第１の下りリンク参照信号の送信電力に基づいてセットされてもよい。例えば、第１の下りリンク参照信号と第２の下りリンク参照信号（または第３の下りリンク参照信号）間の電力の比（電力オフセット）が設定されてもよい。
【０３１２】
下りリンクの場合、第１のサブフレームセットに属する下りリンクサブフレームでは、電力オフセットを考慮せずに、下りリンク信号の受信電力測定を行ない、第２のサブフレームセットに属する下りリンクサブフレームでは、電力オフセットを考慮した下りリンク信号の受信電力測定を行なってもよい。この電力オフセットは、事前に基地局装置１より設定されてもよい。また、この電力オフセットは、下りリンクに関するＤＣＩフォーマットに設定されて指示されてもよい。
【０３１３】
なお、上記各実施形態において、第１の設定および第２の設定がセットされる場合であっても複数のサブフレームセットが構成されなければ、アキュムレーション／アブソリュート送信電力制御は共通であってもよい。
【０３１４】
なお、上記各実施形態において、端末装置２において、フレキシブルサブフレームでは、フレキシブルサブフレームとして設定されていない上りリンクサブフレーム／下りリンクサブフレーム／スペシャルサブフレームとは異なる電力制御（上りリンク電力制御、下りリンク電力制御）を行なってもよい。また、フレキシブルサブフレームと上りリンクサブフレーム／下りリンクサブフレーム／スペシャルサブフレームで独立に閉ループ送信電力制御を行なってもよい。例えば、そのサブフレームでは、他の上りリンクサブフレームまたは下りリンクサブフレームと異なるパラメータを用いて電力を制御してもよい。また、フレキシブルサブフレームと上りリンクサブフレーム／下りリンクサブフレームで、信号生成に用いられるパラメータが独立に設定されてもよい。例えば、仮想セルＩＤやスクランブルＩＤなどが独立に設定されてもよい。ここで、信号を生成するとは、信号系列を生成する、を含む。また、信号を生成するとは、信号を割り当てる無線リソースを決定する、を含む。
【０３１５】
なお、上記各実施形態において、第１のサブフレームセットは、端末装置２にとって干渉源が少ない（つまり、干渉が小さい、弱い）サブフレームで構成されてもよい。第２のサブフレームセットは、端末装置２にとって干渉源の多い（つまり、干渉が大きい、強い）サブフレームで構成されてもよい。ここで、干渉源の少ないサブフレームとは、下りリンクサブフレームと上りリンクサブフレームが同一サブフレームに設定されないサブフレームのことである。また、干渉源の多いサブフレームとは、下りリンクサブフレームと上りリンクサブフレームが同一サブフレームに設定されるサブフレームのことである。干渉源の多いサブフレームとは、端末装置２においては、下りリンク信号を受信する際に、他の端末装置２から送信される上りリンク信号が干渉源になり得るサブフレームのことであり、基地局装置１において、上りリンク信号を受信する際に、他の基地局装置１から送信される下りリンク信号が干渉源になり得るサブフレームのことである。
【０３１６】
なお、上記各実施形態において、第１の電力制御と第２の電力制御とで同じＲＳＲＰおよびパスロス値を適用してもよい。受信電力測定制御は２つのサブフレームセットに属する下りリンクサブフレームで共有してもよい。また、サブフレームセット毎に独立にパスロス測定を行なってもよい。また、サブフレームセットに属する下りリンクサブフレーム毎にパスロス測定を行なってもよい。また、第１のサブフレームセットに対するパスロス測定用の参照信号（パスロス参照リソース）はＣＲＳで、第２のサブフレームセットに対するパスロス測定用の参照信号はＣＳＩ−ＲＳであってもよい。つまり、サブフレームセット毎にパスロス測定用の参照信号が設定されてもよい。また、独立に測定したパスロス値は、サブフレームセット毎に独立に制御される電力に適用されてもよい。また、パスロス参照リソースは、パスロス測定用の参照信号の種類及び、パスロス測定用の参照信号のリソース（時間周波数リソース、リソースエレメント、サブフレーム）の設定が示されてもよい。
【０３１７】
なお、上記各実施形態において、フレキシブルサブフレームでＰＵＳＣＨとＰＵＣＣＨの送信が生じる場合、それらの送信電力の合計が端末装置２に設定される総最大出力電力を超える場合、ＰＵＳＣＨの送信電力の最大値は、総最大出力電力ＰＣＭＡＸからＰＵＣＣＨの送信電力を引いた値としてもよい。
【０３１８】
なお、上記各実施形態において、複数の電力制御方法間で共通で使用される電力パラメータがあってもよい。つまり、一部のパラメータについては、複数の電力制御方法間で共通であってもよい。例えば、第１の電力制御に関するパラメータの設定にだけセットされたパラメータは必要に応じて第２の電力制御方法や第３の電力制御方法で用いることができる。
【０３１９】
また、上記各実施形態において、基地局装置１は、上りリンクインデックスを用いて、上りリンクサブフレームと下りリンクサブフレームが衝突するサブフレームと衝突しないサブフレームで上りリンク信号を送信するように端末装置２を制御してもよい。
【０３２０】
２つのサブフレームセットで、ＴＰＣコマンドのアキュムレーションによって得られた電力調整値を共有してもよい。アキュムレーションは、サブフレームセットに因らず、共通であってもよい。
【０３２１】
なお、上記各実施形態において、第１の電力制御方法に用いられるＰＵＳＣＨに対するＴＰＣコマンド（TPC command for (scheduled) PUSCH）は、ＤＣＩフォーマット０／４またはＤＣＩフォーマット３／３Ａで送信され、第２の電力制御方法に用いられるＰＵＳＣＨに対するＴＰＣコマンドは、ＤＣＩフォーマット０／４で送信されてもよい。また、第１の電力制御方法に用いられるＰＵＣＣＨに対するＴＰＣコマンド（TPC command for PUCCH）は、ＤＣＩフォーマット１／１Ａ／１Ｂ／１Ｄ／２／２Ａ／２Ｂ／２Ｃ／２Ｄ／３／３Ａで送信され、第２の電力制御方法に用いられるＰＵＣＣＨに対するＴＰＣコマンドは、例えば、ＤＣＩフォーマット１／１Ａ／１Ｂ／１Ｄ／２／２Ａ／２Ｂ／２Ｃ／２Ｄで送信されてもよい。
【０３２２】
また、検出したＴＰＣコマンドがどのサブフレームセットに属する上りリンクサブフレームで送信する上りリンク信号に対応しているかによって、同じＴＰＣコマンドであっても、第１の電力制御方法に対応するか第２の電力制御方法に対応するかが切り替えられてもよい。
【０３２３】
また、ＤＣＩフォーマット０にセットされているＴＰＣコマンドが第１のサブフレームセットに属する上りリンクサブフレームに対応している場合と第２のサブフレームセットに属する上りリンクサブフレームに対応している場合とで独立にアキュムレーションされてもよい。例えば、端末装置２は、同一サブフレームでＤＣＩフォーマット０とＤＣＩフォーマット３を検出した場合、ＤＣＩフォーマット０が第１のサブフレームセットに属する上りリンクサブフレームに対する上りリンク信号をスケジュールしているとすると、ＤＣＩフォーマット０にセットされているＴＰＣコマンドに基づいて上りリンク電力をセットし、ＤＣＩフォーマット０が第２のサブフレームセットに属する上りリンクサブフレームに対する上りリンク信号をスケジュールしているとすると、ＤＣＩフォーマット０にセットされているＴＰＣコマンドに基づいて上りリンク電力をセットする。さらに、第１のサブフレームセットに属する上りリンクサブフレームに対応する上りリンク信号の送信電力は、ＤＣＩフォーマット３にセットされているＴＰＣコマンドに基づいてセットされる。つまり、第１の設定および第２の設定がセットされると、サブフレームセットとＤＣＩフォーマットは関連付けられてもよい。
【０３２４】
２つのサブフレームセットで、ＲＳＲＰ測定結果を共有してもよい。ＲＳＲＰはサブフレームセットに因らず、共通であってもよい。
【０３２５】
また、ＴＰＣコマンドのアキュムレーションをサブフレームセットで独立に行なってもよい。固定サブフレームで受信したＴＰＣコマンドによるアキュムレーションとフレキシブルサブフレームで受信したＴＰＣコマンドによるアキュムレーションは独立に制御される。
【０３２６】
例えば、第１の設定および第２の設定がセットされる場合には、サブフレームセット毎に独立にＴＰＣコマンドによる送信電力制御（累積送信電力制御、閉ループ送信電力制御）を行なってもよい。
【０３２７】
アキュムレーションをサブフレームセット毎に行なう場合、それぞれのＴＰＣコマンドフィールドを含むＤＣＩフォーマットを受信するタイミングは予め定義されてもよい。
【０３２８】
また、ＲＳＲＰ測定結果をサブフレームセットで独立であってもよい。固定サブフレームの下りリンクサブフレームで受信したＣＲＳによるＲＳＲＰとフレキシブルサブフレームで受信したＣＲＳによるＲＳＲＰの測定制御は独立に行なってもよい。
【０３２９】
第１の設定および第２の設定に基づいて２つのサブフレームセットが設定される場合、第２のサブフレームセットがフレキシブルサブフレームのサブフレームパターンであるとすると、第２の設定は、フレキシブルサブフレームに対するＴＰＣコマンドフィールドを含むＤＣＩフォーマットを受信可能なサブフレームを指示する情報であってもよい。
【０３３０】
第１のサブフレームセットに属する上りリンクサブフレームに対して適用可能なＴＰＣコマンドが送信されるサブフレームと第２のサブフレームセットに属する上りリンクサブフレームに対して適用可能なＴＰＣコマンドが送信されるサブフレームがそれぞれ設定されてもよい。上りリンクサブフレームとその上りリンクサブフレームに対するＴＰＣコマンドを含むＤＣＩフォーマットが送信される下りリンクサブフレームの対応付け（紐付け、関連付け）がテーブル管理されてもよい。
【０３３１】
なお、上記各実施形態において、第１の設定および／または第２の設定は、上りリンクと下りリンクの切り替え周期と各サブフレームの構成を指示する情報であってもよい。
【０３３２】
なお、上記各実施形態において、上りリンク信号および／または下りリンク信号は、フレキシブルサブフレームとそれ以外のサブフレームで異なる送信電力制御を行なってもよい。
【０３３３】
なお、上記各実施形態では、端末装置２は、第１の設定および第２の設定の両方がセットされる場合、第１の設定がセットされるセル（サービングセル）に対して第１の上りリンク参照信号（例えば、Ｐ−ＳＲＳ）を送信しなくてもよい。また、上記各実施形態では、端末装置２は、第１の設定および第２の設定の両方がセットされる場合、上位層によって固有の送信サブフレームが設定される上りリンク参照信号を送信しなくてもよい。
【０３３４】
なお、上記各実施形態では、種々の上りリンク信号や下りリンク信号のマッピング単位としてリソースエレメントやリソースブロックを用い、時間方向の送信単位としてシンボル、サブフレームや無線フレームを用いて説明したが、これに限るものではない。任意の周波数と時間で構成される領域および時間単位をこれらに代えて用いても、同様の効果を得ることができる。なお、上記各実施形態では、プリコーディング処理されたＲＳを用いて復調する場合について説明し、プリコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ（Ｎｏｎｐｒｅｃｏｄｅｄ）  ＲＳを用い、ポートとしては、プリコーディング処理後の出力端と等価であるポートあるいは物理アンテナ（あるいは物理アンテナの組み合わせ）と等価であるポートを用いることができる。
【０３３５】
なお、上記各実施形態では、上りリンク送信電力制御とは、上りリンク物理チャネル／物理信号（ＰＵＳＣＨ、ＰＵＣＣＨ、ＰＲＡＣＨ、ＳＲＳ、ＤＭＲＳなど）の電力制御のことであり、電力制御とは、種々の上りリンク物理チャネルの電力の設定に使用する種々のパラメータの切り替えまたは（再）設定に関する情報を含んでいる。また、下りリンク送信電力制御とは、下りリンク物理チャネル／物理信号（ＣＲＳ，ＵＥＲＳ（ＤＬ  ＤＭＲＳ），ＣＳＩ−ＲＳ，ＰＤＳＣＨ，ＰＤＣＣＨ／ＥＰＤＣＣＨ，ＰＢＣＨ，ＰＳＳ／ＳＳＳ，ＰＭＣＨ，ＰＲＳなど）の電力制御のことであり、電力制御とは、種々の下りリンク物理チャネルの電力の設定に使用する種々のパラメータの切り替えまたは（再）設定に関する情報を含んでいる。
【０３３６】
なお、上記各実施形態において、ＤＣＩフォーマットを送信するとは、ＤＣＩフォーマットに関連付けられてセットされている種々の下りリンク制御情報をＰＤＣＣＨ／ＥＰＤＣＣＨにセットされている無線リソースを用いて送信するという意味も含まれる。つまり、基地局装置１は、下りリンク制御情報をＰＤＣＣＨ／ＥＰＤＣＣＨで送信するという意味も含まれる。
【０３３７】
なお、上記各実施形態では、基地局装置１は、１つの端末装置２に対して複数の仮想セルＩＤを設定できるようにしてもよい。例えば、基地局装置１および少なくとも１つの基地局装置１を含むネットワークは、物理チャネル／物理信号毎に独立に仮想セルＩＤを設定できるようにしてもよい。また、１つの物理チャネル／物理信号に対して複数の仮想セルＩＤを設定できるようにしてもよい。つまり、各物理チャネル／物理信号に関するパラメータの設定毎に仮想セルＩＤがセットされてもよい。また、複数の物理チャネル／物理信号で仮想セルＩＤは共有されてもよい。
【０３３８】
本発明では、上りリンク電力制御について説明してきたが、下りリンク電力制御についても同様に制御されてもよい。
【０３３９】
本発明では、上りリンク電力制御について説明してきたが、下りリンクのチャネル推定制御についても同様に制御されてもよい。また、本発明は、チャネル状態情報報告の制御に適用されてもよい。本発明は、受信電力測定の制御に適用されてもよい。本発明は、下りリンク電力制御についても同様に制御されてもよい。
【０３４０】
なお、上記各実施形態の説明では、例えば、電力をセットすることは電力の値をセットすることを含み、電力を計算することは電力の値を計算することを含み、電力を測定することは電力の値を測定することを含み、電力を報告することは電力の値を報告することを含む。このように、電力という表現は、適宜電力の値という意味も含まれる。
【０３４１】
なお、上記各実施形態の説明では、例えば、パスロスを計算することはパスロスの値を計算することを含む。このように、パスロスという表現には、適宜パスロスの値という意味も含まれる。
【０３４２】
なお、上記各実施形態の説明では、種々のパラメータを設定することは種々のパラメータの値を設定することを含む。このように、種々のパラメータという表現には、適宜種々のパラメータの値という意味も含まれる。
【０３４３】
本発明に関わる基地局装置１および端末装置２で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０３４４】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局装置１および端末装置２の一部、または全部を典型的には集積回路であるＬＳＩとして実現してもよい。基地局装置１および端末装置２の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【０３４５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【０３４６】
なお、本願発明は、上述の実施形態に限定されるものではない。本願発明の端末装置は、移動局への適用に限定されるものではなく、屋内外に設置される据え置き型または非可動型の電子機器、例えば、ＡＶ機器、キッチン機器、掃除・洗濯機器、空調機器、オフィス機器、自動販売機、その他生活機器などに適用できることは言うまでもない。また、本発明は、無線基地局装置や無線端末装置や無線通信システムや無線通信方法に用いて好適である。
【０３４７】
以上より、本発明は、以下のような特徴を有してよい。
【０３４８】
（１）本発明の一態様による端末装置は、基地局装置と通信する端末装置であって、第１のサブフレームセットのサブフレームと第２のサブフレームセットのサブフレームを示す情報、前記第１のサブフレームセットに対する第１のパラメータを示す情報、および、前記第２のサブフレームセットに対する第２のパラメータを示す情報を受信し、前記第１のパラメータと電力制御調整に関する第３のパラメータに基づいて、前記第１のサブフレームセットに属するサブフレームにおける物理上りリンク共用チャネルの送信に対する送信電力を設定し、前記第２のパラメータと電力制御調整に関する第４のパラメータに基づいて、前記第２のサブフレームセットに属するサブフレームにおける物理上りリンク共用チャネルの送信に対する送信電力を設定し、アキュムレーションが有効にされている場合に、ランダムアクセスレスポンスメッセージを受信するならば、前記第３のパラメータの値をリセットし、アキュムレーションが有効にされている場合に、前記第１のパラメータの値が変更されるならば、前記第３のパラメータの値をリセットし、アキュムレーションが有効にされている場合に、前記第２のパラメータの値が変更されるならば、前記第４のパラメータの値をリセットする。
【０３４９】
（２）また、本発明の一態様による端末装置は、上記の端末装置であって、アキュムレーションが有効にされている場合に、前記第１のサブフレームセットに属するサブフレームに対応する送信電力制御コマンドによって示される補正値を累算することによって前記第３のパラメータの値を算出し、前記第２のサブフレームセットに属するサブフレームに対応する送信電力制御コマンドによって示される補正値を累算することによって前記第４のパラメータの値を算出する。
【０３５０】
（３）また、本発明の一態様による端末装置は、上記の端末装置であって、前記ランダムアクセスレスポンスメッセージを受信することによって、前記第３のパラメータの値をリセットした場合に、前記第３のパラメータに対する初期値をランダムアクセスプリアンブルの送信に対する電力調整に関するパラメータに基づいてセットし、前記第１のパラメータの値が変更されることによって、前記第３のパラメータの値をリセットした場合に、前記第３のパラメータに対する初期値を０にセットし、前記第２のパラメータの値が変更されることによって、前記第４のパラメータの値をリセットした場合に、前記第４のパラメータに対する初期値を０にセットする。
【０３５１】
（４）また、本発明の一態様による端末装置は、上記の端末装置であって、アキュムレーションが有効にされている場合に、前記第１のサブフレームセットに属するサブフレームに対応する送信電力制御コマンドによって示される補正値を累算することによって算出した前記第３のパラメータの値に基づく前記送信電力が、前記端末装置に設定される最大送信電力を超えるとすれば、前記第３のパラメータに対して前記補正値を累算せず、アキュムレーションが有効にされている場合に、前記第２のサブフレームセットに属するサブフレームに対応する送信電力制御コマンドによって示される補正値を累算することによって算出した前記第４のパラメータの値に基づく前記送信電力が、前記端末装置に設定される最大送信電力を超えるとすれば、前記第４のパラメータに対して前記補正値を累算しない。
【０３５２】
（５）また、本発明の一態様による端末装置は、上記の端末装置であって、アキュムレーションが有効にされている場合に、前記第１のサブフレームセットに属するサブフレームに対応する送信電力制御コマンドによって示される補正値を累算することによって算出した前記第３のパラメータの値に基づく前記送信電力が、最小電力以下になるとすれば、前記第３のパラメータに対して前記補正値を累算せず、アキュムレーションが有効にされている場合に、前記第２のサブフレームセットに属するサブフレームに対応する送信電力制御コマンドによって示される補正値を累算することによって算出した前記第４のパラメータの値に基づく前記送信電力が、最小電力以下になるとすれば、前記第４のパラメータに対して前記補正値を累算しない。
【０３５３】
（６）また、本発明の一態様による方法は、基地局装置と通信する端末装置に用いられる方法であって、第１のサブフレームセットのサブフレームと第２のサブフレームセットのサブフレームを示す情報、前記第１のサブフレームセットに対する第１のパラメータを示す情報、および、前記第２のサブフレームセットに対する第２のパラメータを示す情報を受信するステップと、前記第１のパラメータと電力制御調整に関する第３のパラメータに基づいて、前記第１のサブフレームセットに属するサブフレームにおける物理上りリンク共用チャネルの送信に対する送信電力を設定するステップと、前記第２のパラメータと電力制御調整に関する第４のパラメータに基づいて、前記第２のサブフレームセットに属するサブフレームにおける物理上りリンク共用チャネルの送信に対する送信電力を設定するステップと、アキュムレーションが有効にされている場合に、ランダムアクセスレスポンスメッセージを受信するならば、前記第３のパラメータの値をリセットするステップと、アキュムレーションが有効にされている場合に、前記第１のパラメータの値が変更されるならば、前記第３のパラメータの値をリセットするステップと、アキュムレーションが有効にされている場合に、前記第２のパラメータの値が変更されるならば、前記第４のパラメータの値をリセットするステップと、を含む。
【０３５４】
（７）また、本発明の一態様による方法は、上記の方法であって、アキュムレーションが有効にされている場合に、前記第１のサブフレームセットに属するサブフレームに対応する送信電力制御コマンドによって示される補正値を累算することによって前記第３のパラメータの値を算出するステップと、アキュムレーションが有効にされている場合に、前記第２のサブフレームセットに属するサブフレームに対応する送信電力制御コマンドによって示される補正値を累算することによって前記第４のパラメータの値を算出するステップと、を含む。
【０３５５】
（８）また、本発明の一態様による方法は、上記の方法であって、前記ランダムアクセスレスポンスメッセージを受信することによって、前記第３のパラメータの値をリセットした場合に、前記第３のパラメータに対する初期値をランダムアクセスプリアンブルの送信に対する電力調整に関するパラメータに基づいてセットするステップと、前記第１のパラメータの値が変更されることによって、前記第３のパラメータの値をリセットした場合に、前記第３のパラメータに対する初期値を０にセットするステップと、前記第２のパラメータの値が変更されることによって、前記第４のパラメータの値をリセットした場合に、前記第４のパラメータに対する初期値を０にセットするステップと、を含む。
【０３５６】
（９）また、本発明の一態様による方法は、上記の方法であって、アキュムレーションが有効にされている場合に、前記第１のサブフレームセットに属するサブフレームに対応する送信電力制御コマンドによって示される補正値を累算することによって算出した前記第３のパラメータの値に基づく前記送信電力が、前記端末装置に設定される最大送信電力を超えるとすれば、前記第３のパラメータに対して前記補正値を累算しないステップと、アキュムレーションが有効にされている場合に、前記第２のサブフレームセットに属するサブフレームに対応する送信電力制御コマンドによって示される補正値を累算することによって算出した前記第４のパラメータの値に基づく前記送信電力が、前記端末装置に設定される最大送信電力を超えるとすれば、前記第４のパラメータに対して前記補正値を累算しないステップと、を含む。
【０３５７】
（１０）また、本発明の一態様による方法は、上記の方法であって、アキュムレーションが有効にされている場合に、前記第１のサブフレームセットに属するサブフレームに対応する送信電力制御コマンドによって示される補正値を累算することによって算出した前記第３のパラメータの値に基づく前記送信電力が、最小電力以下になるとすれば、前記第３のパラメータに対して前記補正値を累算しないステップと、アキュムレーションが有効にされている場合に、前記第２のサブフレームセットに属するサブフレームに対応する送信電力制御コマンドによって示される補正値を累算することによって算出した前記第４のパラメータの値に基づく前記送信電力が、最小電力以下になるとすれば、前記第４のパラメータに対して前記補正値を累算しないステップと、を含む。
【０３５８】
（１１）また、本発明の一態様による集積回路は、基地局装置と通信する端末装置に搭載される集積回路であって、第１のサブフレームセットのサブフレームと第２のサブフレームセットのサブフレームを示す情報に基づいて、前記第１のサブフレームセットのサブフレームおよび前記第２のサブフレームセットのサブフレームを設定する機能と、前記第１のサブフレームセットに対する第１のパラメータと電力制御調整に関する第３のパラメータに基づいて、前記第１のサブフレームセットに属するサブフレームにおける物理上りリンク共用チャネルの送信に対する送信電力を設定する機能と、前記第２のサブフレームセットに対する第２のパラメータと電力制御調整に関する第４のパラメータに基づいて、前記第２のサブフレームセットに属するサブフレームにおける物理上りリンク共用チャネルの送信に対する送信電力を設定する機能と、アキュムレーションが有効にされている場合に、ランダムアクセスレスポンスメッセージを受信するならば、前記第３のパラメータの値をリセットする機能と、アキュムレーションが有効にされている場合に、前記第１のパラメータの値が変更されるならば、前記第３のパラメータの値をリセットする機能と、アキュムレーションが有効にされている場合に、前記第２のパラメータの値が変更されるならば、前記第４のパラメータの値をリセットする機能と、を含む一連の機能を前記端末装置に発揮させる。
【０３５９】
（１２）また、本発明の一態様による集積回路は、上記の集積回路であって、アキュムレーションが有効にされている場合に、前記第１のサブフレームセットに属するサブフレームに対応する送信電力制御コマンドによって示される補正値を累算することによって前記第３のパラメータの値を算出する機能と、アキュムレーションが有効にされている場合に、前記第２のサブフレームセットに属するサブフレームに対応する送信電力制御コマンドによって示される補正値を累算することによって前記第４のパラメータの値を算出する機能と、を含む一連の機能を前記端末装置に発揮させる。
【０３６０】
（１３）また、本発明の一態様による集積回路は、上記の集積回路であって、前記ランダムアクセスレスポンスメッセージを受信することによって、前記第３のパラメータの値をリセットした場合に、前記第３のパラメータに対する初期値をランダムアクセスプリアンブルの送信に対する電力調整に関するパラメータに基づいてセットする機能と、前記第１のパラメータの値が変更されることによって、前記第３のパラメータの値をリセットした場合に、前記第３のパラメータに対する初期値を０にセットする機能と、前記第２のパラメータの値が変更されることによって、前記第４のパラメータの値をリセットした場合に、前記第４のパラメータに対する初期値を０にセットする機能と、を含む。
【０３６１】
（１４）また、本発明の一態様による集積回路は、上記の集積回路であって、アキュムレーションが有効にされている場合に、前記第１のサブフレームセットに属するサブフレームに対応する送信電力制御コマンドによって示される補正値を累算することによって算出した前記第３のパラメータの値に基づく前記送信電力が、前記端末装置に設定される最大送信電力を超えるとすれば、前記第３のパラメータに対して前記補正値を累算しない機能と、アキュムレーションが有効にされている場合に、前記第２のサブフレームセットに属するサブフレームに対応する送信電力制御コマンドによって示される補正値を累算することによって算出した前記第４のパラメータの値に基づく前記送信電力が、前記端末装置に設定される最大送信電力を超えるとすれば、前記第４のパラメータに対して前記補正値を累算しない機能と、を含む一連の機能を前記端末装置に発揮させる。
【０３６２】
（１５）また、本発明の一態様による集積回路は、上記の集積回路であって、アキュムレーションが有効にされている場合に、前記第１のサブフレームセットに属するサブフレームに対応する送信電力制御コマンドによって示される補正値を累算することによって算出した前記第３のパラメータの値に基づく前記送信電力が、最小電力以下になるとすれば、前記第３のパラメータに対して前記補正値を累算しない機能と、アキュムレーションが有効にされている場合に、前記第２のサブフレームセットに属するサブフレームに対応する送信電力制御コマンドによって示される補正値を累算することによって算出した前記第４のパラメータの値に基づく前記送信電力が、最小電力以下になるとすれば、前記第４のパラメータに対して前記補正値を累算しない機能と、を含む一連の機能を前記端末装置に発揮させる。
【０３６３】
このことにより、端末装置は、適切な送信電力制御を行なうことができる。
【符号の説明】
【０３６４】
１  基地局装置
２  端末装置
１０１  上位層処理部
１０３  制御部
１０５  受信部
１０７  送信部
１０９  チャネル測定部
１１１  送受信アンテナ
１０５１  復号化部
１０５３  復調部
１０５５  多重分離部
１０５７  無線受信部
１０７１  符号化部
１０７３  変調部
１０７５  多重部
１０７７  無線送信部
１０７９  下りリンク参照信号生成部
２０１  上位層処理部
２０３  制御部
２０５  受信部
２０７  送信部
２０９  チャネル測定部
２１１  送受信アンテナ
２０５１  復号化部
２０５３  復調部
２０５５  多重分離部
２０５７  無線受信部
２０７１  符号化部
２０７３  変調部
２０７５  多重部
２０７７  無線送信部
２０７９  上りリンク参照信号生成部
【図１】
0006456287.tif 000002
【図２】
0006456287.tif 000003
【図３】
0006456287.tif 000004
【図４】
0006456287.tif 000005
【図５】
0006456287.tif 000006
【図６】
0006456287.tif 000007
【図７】
0006456287.tif 000008
【図８】
0006456287.tif 000009
【図９】
0006456287.tif 000010